(57)【要約】      （修正有）【課題】出力レイヤセットの最大サブレイヤ値を、出力レイヤフラグに依存せずに、出力レイヤに含まれる全てのレイヤに関する最大サブレイヤ値に応じて導出しているために生じる、出力レイヤに関係ないサブレイヤの復号の複雑化を解決する方法を提供する。さらに、出力レイヤに関係ないサブレイヤのDPB情報まで符号化されて生じる符号量の増加を解決する方法を提供する。【解決手段】出力レイヤフラグが１であるレイヤに関する最大サブレイヤ値に応じて、出力レイヤ最大サブレイヤ値を導出する。また、出力レイヤセットに含まれるレイヤセットのレイヤ数が、出力レイヤセットに含まれる出力フラグが１のレイヤの数である出力レイヤ数よりも大きい場合に、符号化データから代替レイヤ出力フラグを復号する。【選択図】図１
2015195543.tif 000002
【特許請求の範囲】
【請求項１】
階層画像符号化データを復号する画像復号装置であって、
レイヤセットを復号するレイヤセット情報復号手段と、
出力レイヤセットのレイヤセット識別子、出力レイヤフラグ、代替出力レイヤフラグ及びPTL指定識別子を復号する出力レイヤセット情報復号手段と、
上記出力レイヤセットのPTL指定識別子に対応するPTL情報を復号するPTL情報復号手段を備え、
上記出力レイヤセットに対するPTL情報のプロファイル識別子が、ステレオプロファイルを示す場合、上記出力レイヤセットにおいて、プライマリピクチャレイヤの出力レイヤ数は２であることを特徴とする画像復号装置。
【請求項２】
階層的符号化データを生成する画像符号化装置であって、
レイヤセットを符号化するレイヤセット情報符号化手段と、
出力レイヤセットのレイヤセット識別子、出力レイヤフラグ、代替出力レイヤフラグ及びPTL指定識別子を符号化する出力レイヤセット情報符号化手段と、
上記出力レイヤセットのPTL指定識別子に対応するPTL情報を符号化するPTL情報符号化手段を備え、
上記出力レイヤセットに対するPTL情報のプロファイル識別子が、ステレオプロファイルを示す場合、上記出力レイヤセットにおいて、プライマリピクチャレイヤの出力レイヤ数は２であることを特徴とする画像符号化装置。
【請求項３】
階層画像符号化データを復号する画像復号装置であって、
各レイヤのスケーラブル識別子及び補助ピクチャＩＤAuxIDを復号するスケーラブル識別子復号手段と、
直接依存フラグを復号するレイヤ間依存情報復号手段と、
対象レイヤに対するレイヤ間位置対応情報を復号するレイヤ間位置対応情報復号手段とを備え、
前記対象レイヤに対するレイヤ間位置対応情報に含まれるスケール参照レイヤ識別子の値は、前記対象レイヤのレイヤ識別子の値より小さいことを特徴とする画像復号装置。
【請求項４】
階層画像符号化データを復号する画像復号装置であって、
各レイヤのスケーラブル識別子及び補助ピクチャＩＤAuxIDを復号するスケーラブル識別子復号手段と、
直接依存フラグを復号するレイヤ間依存情報復号手段と、
対象レイヤに対するレイヤ間位置対応情報を復号するレイヤ間位置対応情報復号手段とを備え、
前記対象レイヤに対するレイヤ間位置対応情報に含まれるスケール参照レイヤ識別子に等しいレイヤ識別子を有するレイヤは、前記対象レイヤの直接参照レイヤであることを特徴とする画像復号装置。
【請求項５】
さらに、前記対象レイヤに対するレイヤ間位置対応情報に含まれるスケール参照レイヤ識別子に等しいレイヤ識別子を有するレイヤは、前記対象レイヤがプライマリピクチャレイヤである場合、前記プライマリピクチャレイヤに対応する補助ピクチャレイヤであることを特徴とする請求項４に記載の画像復号装置。
【請求項６】
階層的符号化データを生成する画像符号化装置であって、
各レイヤのスケーラブル識別子及び補助ピクチャＩＤAuxIDを符号化するスケーラブル識別子符号化手段と、
直接依存フラグを符号化するレイヤ間依存情報符号化手段と、
対象レイヤに対するレイヤ間位置対応情報を符号化するレイヤ間位置対応情報符号化手段とを備え、
前記対象レイヤに対するレイヤ間位置対応情報に含まれるスケール参照レイヤ識別子の値は、前記対象レイヤのレイヤ識別子の値より小さいことを特徴とする画像符号化装置。
【請求項７】
階層的符号化データを生成する画像符号化装置であって、
各レイヤのスケーラブル識別子及び補助ピクチャＩＤAuxIDを符号化するスケーラブル識別子符号化手段と、
直接依存フラグを符号化するレイヤ間依存情報符号化手段と、
対象レイヤに対するレイヤ間位置対応情報を符号化するレイヤ間位置対応情報符号化手段とを備え、
前記対象レイヤに対するレイヤ間位置対応情報に含まれるスケール参照レイヤ識別子に等しいレイヤ識別子を有するレイヤは、前記対象レイヤの直接参照レイヤであることを特徴とする画像符号化装置。
【請求項８】
さらに、前記対象レイヤに対するレイヤ間位置対応情報に含まれるスケール参照レイヤ識別子に等しいレイヤ識別子を有するレイヤは、前記対象レイヤがプライマリピクチャレイヤである場合、前記プライマリピクチャレイヤに対応する補助ピクチャレイヤであることを特徴とする請求項７に記載の画像符号化装置。
【請求項９】
階層画像符号化データを復号する画像復号装置であって、
各レイヤのスケーラブル識別子及び補助ピクチャＩＤAuxIDを復号するスケーラブル識別子復号手段と、
前記補助ピクチャＩＤAuxIDが０より大きい補助ピクチャレイヤに対して、０以上の補助ピクチャＩＤAuxIDが０であるプライマリピクチャレイヤを関連プライマリピクチャレイヤとして関連付ける関連レイヤ導出手段を備え、
前記関連レイヤ導出手段は、前記補助ピクチャレイヤと前記関連プライマリピクチャレイヤにおいて、AuxIDを除く全てのスケーラブル識別子が等しいことを特徴とする画像復号装置。
【請求項１０】
階層的符号化データを生成する画像符号化装置であって、
各レイヤのスケーラブル識別子及び補助ピクチャＩＤAuxIDを符号化するスケーラブル識別子符号化手段と、
前記補助ピクチャＩＤAuxIDが０より大きい補助ピクチャレイヤに対して、０以上の補助ピクチャＩＤAuxIDが０であるプライマイリピクチャレイヤを関連プライマリピクチャレイヤとして関連付ける関連レイヤ導出手段を備え、
前記関連レイヤ導出手段は、前記補助ピクチャレイヤと前記関連プライマリピクチャレイヤにおいて、AuxIDを除く全てのスケーラブル識別子が等しいことを特徴とする画像符号化装置。
【請求項１１】
階層画像符号化データを復号する画像復号装置であって、レイヤセットを復号するレイヤセット情報復号手段と、出力レイヤセットのレイヤセット識別子、出力レイヤフラグを復号する出力レイヤセット情報復号手段と、各レイヤの最大サブレイヤ値を復号する最大サブレイヤ復号手段と、上記出力レイヤセットの最大サブレイヤ値を導出する出力レイヤセット最大サブレイヤ導出手段を備え、上記出力レイヤセット最大サブレイヤ導出手段は、上記出力レイヤフラグが１であるレイヤに関する上記最大サブレイヤ値に応じて、出力レイヤ最大サブレイヤ値を導出することを特徴とする画像復号装置。
【請求項１２】
上記出力レイヤセット最大サブレイヤ導出手段は、上記出力レイヤフラグが１であるレイヤの最大サブレイヤ値の最大値を上記出力レイヤセット最大サブレイヤ値として導出することを特徴とする請求項１１に記載の画像復号装置。
【請求項１３】
さらに、上記出力レイヤセットに対応するDPB情報を復号するDPB情報復号手段を備え、上記DPB情報復号手段は、上記出力レイヤの上記出力レイヤセット最大サブレイヤ値以下のサブレイヤについてDPB情報を復号することを特徴とする請求項１１または請求項１２に記載の画像復号装置。
【請求項１４】
さらに、上記出力レイヤセットの一つを対象出力レイヤセットとして選択する対象出力レイヤセット選択手段を備え、上記対象出力レイヤセット選択手段は、復号対象レイヤの最大サブレイヤである最高次テンポラル識別子として、０以上、上記出力レイヤセット最大サブレイヤ値以下の値が設定可能であることを特徴とする請求項１３に記載の画像復号装置。
【請求項１５】
さらに、指定された対象レイヤおよび対象サブレイヤを抽出するビットストリーム抽出手段を備え、上記ビットストリーム抽出手段は、上記対象出力レイヤセット選択手段の指定した、対象出力レイヤセットの復号対象レイヤ以外のレイヤおよび上記最高次テンポラル識別子以外のサブレイヤを除去した符号化データを導出することを特徴とする請求項１４に記載の画像復号装置。
【請求項１６】
階層画像符号化データを符号化する画像符号化装置であって、レイヤセットを符号化するレイヤセット情報符号化手段と、出力レイヤセットのレイヤセット識別子、出力レイヤフラグを復号する出力レイヤセット情報符号化手段と、各レイヤの最大サブレイヤ値を復号する最大サブレイヤ符号化手段と、上記出力レイヤセットの最大サブレイヤ値を導出する出力レイヤ最大サブレイヤ導出手段を備え、上記出力レイヤ最大サブレイヤ導出手段は、上記出力レイヤフラグが１であるレイヤに関する上記最大サブレイヤ値に応じて、出力レイヤ最大サブレイヤ値を導出することを特徴とする画像符号化装置。
【請求項１７】
さらに、上記出力レイヤセットに対応するDPB情報を復号するDPB情報符号化手段を備え、
上記DPB情報符号化手段は、上記出力レイヤの上記出力レイヤセット最大サブレイヤ値以下のサブレイヤについてDPB情報を符号化することを特徴とする請求項１６に記載の画像符号化装置。
【請求項１８】
階層画像符号化データを復号する画像復号装置であって、出力レイヤフラグと代替レイヤ出力フラグを復号する出力レイヤセット情報復号手段を備え、上記出力レイヤセット情報復号手段は、出力レイヤセットに含まれるレイヤセットのレイヤ数が、上記出力レイヤセットに含まれる出力フラグが１のレイヤの数である出力レイヤ数よりも大きい場合に、符号化データから代替レイヤ出力フラグを復号し、上記レイヤ数が上記出力レイヤ数以下の場合には、代替レイヤ出力フラグを符号化データから復号せずに０を導出することを特徴とする画像復号装置。
【請求項１９】
階層画像符号化データを復号する画像復号装置であって、符号化データに含まれる任意の２つのレイヤのスケーラブルＩＤが一致することはない、という条件を満たす符号化データを復号することを特徴とする画像復号装置。
【請求項２０】
階層画像符号化データを復号する画像復号装置であって、レイヤセットに含まれる任意の２つのレイヤのスケーラブルＩＤが一致することはない、という条件を満たす符号化データを復号することを特徴とする画像復号装置。
【発明の詳細な説明】
【技術分野】
【０００１】
本発明は、画像が階層的に符号化された階層符号化データを復号する画像復号装置、および画像を階層的に符号化することによって階層符号化データを生成する画像符号化装置に関する。
【背景技術】
【０００２】
通信システムで伝送される情報、あるいは蓄積装置に記録される情報の１つに画像あるいは動画像がある。従来、これらの画像（以降、動画像を含む）の伝送・蓄積のため、画像を符号化する技術が知られている。
【０００３】
動画像符号化方式としては、AVC（H.264/MPEG-4 Advanced Video Coding）や、その後継コーデックであるHEVC（High-Efficiency Video Coding）が知られている。
【０００４】
これらの動画像符号化方式では、通常、入力画像を符号化／復号することによって得られる局所復号画像に基づいて予測画像が生成され、当該予測画像を入力画像（原画像）から減算して得られる予測残差（「差分画像」または「残差画像」と呼ぶこともある）が符号化される。また、予測画像の生成方法としては、画面間予測（インター予測）、および、画面内予測（イントラ予測）が挙げられる。
【０００５】
また、近年、必要なデータレートに従って、画像を階層的に符号化するスケーラブル符号化技術、又は階層符号化技術が提案されている。代表的なスケーラブル符号化方式（階層符号化方式）としてSHVC（Scalable HEVC）、及びMV-HEVC(MultiView HEVC)が知られている。
【０００６】
SHVCでは、空間スケーラビリティ、時間スケーラビリティ、SNRスケーラビリティをサポートする。例えば空間スケーラビリティの場合、原画像から所望の解像度にダウンサンプリングした画像を下位レイヤとして符号化する。次に上位レイヤではレイヤ間の冗長性を除去するためにレイヤ間予測を行う（非特許文献２）。
【０００７】
MV-HEVCでは、視点スケーラビリティ（ビュースケーラビリティ）をサポートする。例えば、視点画像０（レイヤ０）、視点画像１（レイヤ１）、視点画像２（レイヤ２）の３つの視点画像を符号化する場合、下位レイヤ（レイヤ０）から、上位レイヤである視点画像１、視点画像２をレイヤ間予測により予測することによりレイヤ間の冗長性の除去が可能である。
【０００８】
SHVCやMV-HEVCでは、復号対象とするレイヤの集合を出力レイヤセットにより指定する。また、復号対象とするサブレイヤの最大値を最高次テンポラル識別子として指定する。また、出力レイヤセットでは、出力フラグによりどのレイヤを出力するかを制御することが可能であり、また、出力レイヤセット単位およびサブレイヤ単位でDPB情報を符号化することができる。また、出力フラグとして指定されたレイヤが出力できない場合には、代替として別のレイヤを出力する技術が知られており、この機能は出力レイヤセット単位で符号化される代替出力フラグによって有効にできる（非特許文献１）。
【０００９】
SHVCやMV-HEVCでは、予測画像の生成に、インター予測、イントラ予測、レイヤ間画像予測のいずれかを利用できる。また、SHVCやMV-HEVCでは、各レイヤのピクチャに対して、補助ピクチャと呼ばれる補助的なピクチャを付加することができる。補助ピクチャは、アルファピクチャ、デプスピクチャなどであり、補助ピクチャ以外のピクチャであるプライマリピクチャに対して、アルファプレーン情報や、デプス情報を付加する。
【先行技術文献】
【非特許文献】
【００１０】
【非特許文献１】JCTVC-P1008_v4「High efficiency video coding (HEVC) scalable extensions Draft 5」, Joint Collaborative Team on Video Coding (JCT-VC) of ITU-T SG 16 WP 3 and ISO/IEC JTC 1/SC 29/WG 11 16th Meeting: San Jose, US, 9-17 Jan. 2014 （2014年1月22日公開）
【非特許文献２】JCT3V-G1004_v6「MV-HEVC Draft Text 7」, Joint Collaborative Team on 3D Video Coding Extension Development of ITU-T SG 16 WP 3 and ISO/IEC JTC 1/SC 29/WG 11 7th Meeting: San Jose, US, 11-17 Jan. 2014. （2014年1月24日公開）
【発明の概要】
【発明が解決しようとする課題】
【００１１】
しかしながら、出力レイヤセットの最大サブレイヤ値MaxSubLayersInLayerSetMinus1を、レイヤを出力するか否かを制御する出力レイヤフラグOutputLayerFlagに依存せずに、出力レイヤに含まれる全てのレイヤのsub_layers_vps_max_minus1[]に応じて導出しているため、出力レイヤに関係ないサブレイヤの復号が生じ複雑になるという課題がある。
【００１２】
また、サブレイヤ単位のDPB情報を、出力レイヤフラグOutputLayerFlagに依存せずに導出される最大サブレイヤ値MaxSubLayersInLayerSetMinus1を最大値とするサブレイヤに対して符号化されるため、出力レイヤに関係ないサブレイヤのDPB情報まで符号化され符号量が増加するという課題がある。
【００１３】
また、復号対象とするサブレイヤの最大値を示す最高次テンポラル識別子の指定可能な範囲が、出力レイヤフラグOutputLayerFlagに依存せずに定義されているため、出力レイヤに関係ないサブレイヤを含むように最高次テンポラル識別子の値を指定可能であり、出力レイヤに関係ないサブレイヤの復号を復号装置でサポートする必要があるという課題がある。
【００１４】
また、従来の代替出力フラグの復号は複雑であり、また、出力レイヤセットの含まれる全てのレイヤで出力フラグが１の場合にも、代替出力フラグが符号化されるため、符号量が増大するという課題がある。
【００１５】
また、同じスケーラブルＩＤを備えるレイヤが許容されているため、スケーラブルＩＤに基づいて一意にピクチャを特定することができないという課題がある。さらに、同じスケーラブルＩＤを備えるプライマリピクチャおよび補助ピクチャがある場合、スケーラブルＩＤを用いて補助ピクチャに対応するプライマリピクチャを一意に区別できないという課題がある。
【００１６】
また、出力レイヤセットのプロファイルがステレオプロファイル（"Stereo Main Profile"）である場合、出力レイヤセットのプロファイルがステレオプロファイルである場合、プライマリピクチャレイヤ（AuxID[]==0）である出力レイヤの数が０又は１である出力レイヤセットが定義される場合が発生しうるという課題があった。すなわち、ステレオプロファイルである出力レイヤセットにおいて、無意味な出力レイヤセットが定義されうるため、出力レイヤセットに関する符号量が増大するという課題がある。
【００１７】
また、対象レイヤに関するレイヤ間画素位置情報において、対象レイヤに対する非直接参照レイヤのレイヤ間画素位置情報が含まれるうるという課題がある。また、対象レイヤがプライマリピクチャレイヤである場合、該対象レイヤと関連のない補助ピクチャレイヤのレイヤ間画素位置情報が含まれるうるという課題がある。すなわち、対象レイヤに関するレイヤ間画像位置情報の符号量が増大するという課題がある。
【００１８】
また、１又は複数のプライマリピクチャ（レイヤ）に対して、１つの補助ピクチャ（レイヤ）を共有することができないため、プライマリピクチャ（レイヤ）毎に異なった補助ピクチャ（レイヤ）を復号／符号化する必要があり、符号量が増大するという課題がある。
【課題を解決するための手段】
【００１９】
上記の課題を解決するために、本発明の態様１に係る画像復号装置は、階層画像符号化データを復号する画像復号装置であって、
レイヤセットを復号するレイヤセット情報復号手段と、
出力レイヤセットのレイヤセット識別子、出力レイヤフラグ、代替出力レイヤフラグ及びPTL指定識別子を復号する出力レイヤセット情報復号手段と、
上記出力レイヤセットのPTL指定識別子に対応するPTL情報を復号するPTL情報復号手段を備え、
上記出力レイヤセットに対するPTL情報のプロファイル識別子が、ステレオプロファイルを示す場合、上記出力レイヤセットにおいて、プライマリピクチャレイヤの出力レイヤ数は２であることを特徴とする。
【００２０】
上記の課題を解決するために、本発明の態様２に係る画像符号化装置は、階層的符号化データを生成する画像符号化装置であって、
レイヤセットを符号化するレイヤセット情報符号化手段と、
出力レイヤセットのレイヤセット識別子、出力レイヤフラグ、代替出力レイヤフラグ及びPTL指定識別子を符号化する出力レイヤセット情報符号化手段と、
上記出力レイヤセットのPTL指定識別子に対応するPTL情報を符号化するPTL情報符号化手段を備え、
上記出力レイヤセットに対するPTL情報のプロファイル識別子が、ステレオプロファイルを示す場合、上記出力レイヤセットにおいて、プライマリピクチャレイヤの出力レイヤ数は２であることを特徴とする。
【００２１】
上記の課題を解決するために、本発明の態様３に係る画像復号装置は、階層画像符号化データを復号する画像復号装置であって、
各レイヤのスケーラブル識別子及び補助ピクチャＩＤAuxIDを復号するスケーラブル識別子復号手段と、
直接依存フラグを復号するレイヤ間依存情報復号手段と、
対象レイヤに対するレイヤ間位置対応情報を復号するレイヤ間位置対応情報復号手段とを備え、
前記対象レイヤに対するレイヤ間位置対応情報に含まれるスケール参照レイヤ識別子の値は、前記対象レイヤのレイヤ識別子の値より小さいことを特徴とする。
【００２２】
上記の課題を解決するために、本発明の態様４に係る画像復号装置は、階層画像符号化データを復号する画像復号装置であって、
各レイヤのスケーラブル識別子及び補助ピクチャＩＤAuxIDを復号するスケーラブル識別子復号手段と、
直接依存フラグを復号するレイヤ間依存情報復号手段と、
対象レイヤに対するレイヤ間位置対応情報を復号するレイヤ間位置対応情報復号手段とを備え、
前記対象レイヤに対するレイヤ間位置対応情報に含まれるスケール参照レイヤ識別子に等しいレイヤ識別子を有するレイヤは、前記対象レイヤの直接参照レイヤであることを特徴とする。
【００２３】
上記の課題を解決するために、本発明の態様５に係る画像復号装置は、上記態様４において、さらに、前記対象レイヤに対するレイヤ間位置対応情報に含まれるスケール参照レイヤ識別子に等しいレイヤ識別子を有するレイヤは、前記対象レイヤがプライマリピクチャレイヤである場合、前記プライマリピクチャレイヤに対応する補助ピクチャレイヤであることを特徴とする。
【００２４】
上記の課題を解決するために、本発明の態様６に係る画像符号化装置は、階層的符号化データを生成する画像符号化装置であって、
各レイヤのスケーラブル識別子及び補助ピクチャＩＤAuxIDを符号化するスケーラブル識別子符号化手段と、
直接依存フラグを符号化するレイヤ間依存情報符号化手段と、
対象レイヤに対するレイヤ間位置対応情報を符号化するレイヤ間位置対応情報符号化手段とを備え、
前記対象レイヤに対するレイヤ間位置対応情報に含まれるスケール参照レイヤ識別子の値は、前記対象レイヤのレイヤ識別子の値より小さいことを特徴とする。
【００２５】
上記の課題を解決するために、本発明の態様７に係る画像符号化装置は、階層的符号化データを生成する画像符号化装置であって、
各レイヤのスケーラブル識別子及び補助ピクチャＩＤAuxIDを符号化するスケーラブル識別子符号化手段と、
直接依存フラグを符号化するレイヤ間依存情報符号化手段と、
対象レイヤに対するレイヤ間位置対応情報を符号化するレイヤ間位置対応情報符号化手段とを備え、
前記対象レイヤに対するレイヤ間位置対応情報に含まれるスケール参照レイヤ識別子に等しいレイヤ識別子を有するレイヤは、前記対象レイヤの直接参照レイヤであることを特徴とする。
【００２６】
上記の課題を解決するために、本発明の態様８に係る画像符号化装置は、上記態様７において、さらに、前記対象レイヤに対するレイヤ間位置対応情報に含まれるスケール参照レイヤ識別子に等しいレイヤ識別子を有するレイヤは、前記対象レイヤがプライマリピクチャレイヤである場合、前記プライマリピクチャレイヤに対応する補助ピクチャレイヤであることを特徴とする。
【００２７】
上記の課題を解決するために、本発明の態様９に係る画像復号装置は、階層画像符号化データを復号する画像復号装置であって、
各レイヤのスケーラブル識別子及び補助ピクチャＩＤAuxIDを復号するスケーラブル識別子復号手段と、
前記補助ピクチャＩＤAuxIDが０より大きい補助ピクチャレイヤに対して、０以上の補助ピクチャＩＤAuxIDが０であるプライマイリピクチャレイヤを関連プライマリピクチャレイヤとして関連付ける関連レイヤ導出手段を備え、
前記関連レイヤ導出手段は、前記補助ピクチャレイヤと前記関連プライマリピクチャレイヤにおいて、AuxIDを除く全てのスケーラブル識別子が等しいことを特徴とする。
【００２８】
上記の課題を解決するために、本発明の態様１０に係る画像符号化装置は、階層的符号化データを生成する画像符号化装置であって、
各レイヤのスケーラブル識別子及び補助ピクチャＩＤAuxIDを符号化するスケーラブル識別子符号化手段と、
前記補助ピクチャＩＤAuxIDが０より大きい補助ピクチャレイヤに対して、０以上の補助ピクチャＩＤAuxIDが０であるプライマイリピクチャレイヤを関連プライマリピクチャレイヤとして関連付ける関連レイヤ導出手段を備え、
前記関連レイヤ導出手段は、前記補助ピクチャレイヤと前記関連プライマリピクチャレイヤにおいて、AuxIDを除く全てのスケーラブル識別子が等しいことを特徴とする。
【００２９】
本発明の１つの形態は、階層画像符号化データを復号する画像復号装置であって、レイヤセットを復号するレイヤセット情報復号手段と、出力レイヤセットのレイヤセット識別子、出力レイヤフラグを復号する出力レイヤセット情報復号手段と、各レイヤの最大サブレイヤ値を復号する最大サブレイヤ復号手段と、上記出力レイヤセットの最大サブレイヤ値を導出する出力レイヤ最大サブレイヤ導出手段を備え、上記出力レイヤ最大サブレイヤ導出手段は、上記出力レイヤフラグが１であるレイヤに関する上記最大サブレイヤ値に応じて、出力レイヤ最大サブレイヤ値を導出することを特徴とする。
【００３０】
本発明の１つの形態は、上記出力レイヤ最大サブレイヤ導出手段は、上記出力レイヤフラグが１であるレイヤの最大サブレイヤ値の最大値を上記出力レイヤセット最大サブレイヤ値として導出することを特徴とする。
【００３１】
本発明の１つの形態は、さらに、上記出力レイヤセットに対応するDPB情報を復号するDPB情報復号手段を備え、上記DPB情報復号手段は、上記出力レイヤの上記出力レイヤセット最大サブレイヤ値以下のサブレイヤについてDPB情報を復号することを特徴とする。
【００３２】
本発明の１つの形態は、さらに、上記出力レイヤセットの一つを対象出力レイヤセットとして選択する出力レイヤセット選択手段を備え、上記対象出力レイヤセット選択手段は、復号対象レイヤの最大サブレイヤである最高次テンポラル識別子として、０以上、上記出力レイヤセット最大サブレイヤ値以下の値が設定可能であることを特徴とする。
【００３３】
本発明の１つの形態は、さらに、指定された対象レイヤおよび対象サブレイヤを抽出するビットストリーム抽出手段を備え、上記ビットストリーム抽出手段は、上記出力レイヤセット選択手段の指定した、対象出力レイヤセットの復号対象レイヤ以外のレイヤおよび上記最高次テンポラル識別子以外のサブレイヤを除去した符号化データを導出することを特徴とする。
【００３４】
本発明の１つの形態は、階層画像符号化データを符号化する画像符号化装置であって、レイヤセットを符号化するレイヤセット情報符号化手段と、出力レイヤセットのレイヤセット識別子、出力レイヤフラグを復号する出力レイヤセット情報符号化手段と、各レイヤの最大サブレイヤ値を復号する最大サブレイヤ符号化手段と、上記出力レイヤセットの最大サブレイヤ値を導出する出力レイヤ最大サブレイヤ導出手段を備え、上記出力レイヤ最大サブレイヤ導出手段は、上記出力レイヤフラグが１であるレイヤに関する上記最大サブレイヤ値に応じて、出力レイヤ最大サブレイヤ値を導出することを特徴とする。
【００３５】
本発明の１つの形態は、さらに、上記出力レイヤセットに対応するDPB情報を復号するDPB情報符号化手段を備え、上記DPB情報符号化手段は、上記出力レイヤの上記出力レイヤセット最大サブレイヤ値以下のサブレイヤについてDPB情報を符号化することを特徴とする。
【００３６】
本発明の１つの形態は、出力レイヤフラグと代替レイヤ出力フラグを復号する出力レイヤセット情報復号手段を備え、上記出力レイヤセット情報復号手段は、出力レイヤセットに含まれるレイヤセットのレイヤ数が、上記出力レイヤセットに含まれる出力フラグが１のレイヤの数である出力レイヤ数よりも大きい場合に、符号化データから代替レイヤ出力フラグを復号し、上記レイヤ数が上記出力レイヤ数以下の場合には、代替レイヤ出力フラグを符号化データから復号せずに０を導出することを特徴とする。
【００３７】
本発明の１つの形態は、符号化データに含まれる任意の２つのレイヤのスケーラブルＩＤが一致することはない、という条件を満たす符号化データを復号することを特徴とする。
【００３８】
本発明の１つの形態は、レイヤセットに含まれる任意の２つのレイヤのスケーラブルＩＤが一致することはない、という条件を満たす符号化データを復号することを特徴とする。
【発明の効果】
【００３９】
本発明の一態様によれば、出力レイヤフラグが１であるレイヤに関する最大サブレイヤ値に応じて、出力レイヤ最大サブレイヤ値を導出することで、出力レイヤに不要なサブレイヤの復号処理を省略することが可能である。
【００４０】
本発明の一態様によれば、出力レイヤセットに含まれるレイヤセットのレイヤ数が、出力レイヤセットに含まれる出力レイヤフラグが１のレイヤの数である出力レイヤ数よりも大きい場合に、符号化データから代替レイヤ出力フラグを復号することで、該フラグの復号を簡略化することが可能である。
【図面の簡単な説明】
【００４１】
【図１】パラメータセット復号手段１００の構成を示すブロック図である。
【図２】本発明の一実施形態に係る階層符号化データのレイヤ構造を説明するための図であって、（ａ）は、階層動画像符号化装置側について示しており、（ｂ）は、階層動画像復号装置側について示している。
【図３】ビットストリーム抽出処理を説明するための図であって、レイヤセットＡ、及びそのサブセットであるレイヤセットＢの構成を示す図である。
【図４】NALユニットレイヤを構成するデータ構造の例を示す図である。
【図５】NALユニットレイヤに含まれるシンタックスの例を示す図である。（ａ）はNALユニットレイヤを構成するシンタックス例を示し、(ｂ)はNALユニットヘッダのシンタックス例を示す図である。
【図６】本発明の実施形態に係るNALユニットタイプの値とNALユニットの種別の関係を示す図である。
【図７】アクセスユニットに含まれるNALユニットの構成の一例を示す図である。
【図８】本発明の実施形態に係る階層符号化データの構成を説明するための図であって、（ａ）は、シーケンスSEQを既定するシーケンスレイヤ、（ｂ）は、ピクチャPICTを規定するピクチャレイヤ、（ｃ）は、スライスSを規定するスライスレイヤ、（ｄ）は、スライスデータを規定するスライスデータレイヤ、（ｅ）は、スライスデータに含まれる符号化ツリーユニットを規定する符号化ツリーレイヤ、（ｆ）は、符号化ツリーに含まれる符号化単位（Coding Unit; CU）を規定する符号化ユニットレイヤを示す図である。
【図９】本実施形態に係るパラメータセットの参照関係を説明するための図である。
【図１０】参照ピクチャリスト、及び参照ピクチャを説明するための図である。（ａ）は、参照ピクチャリストの一例を示し、（ｂ）参照ピクチャの一例を示す概念図である。
【図１１】本発明の実施形態に係るＶＰＳのシンタックステーブルの一例である。
【図１２】本発明の実施形態に係るＶＰＳ拡張データのシンタックステーブルの一例である。
【図１３】（ａ）スケーラビリティＩＤとスケーラビリティタイプの対応表を示す図である。（ｂ）スケーラブルＩＤの導出方法を示す擬似コードである、（ｃ）スケーラブルＩＤに係るシンタックステーブルを示す図である。
【図１４】本実施形態に係るPTL情報のシンタックステーブルの一例である。
【図１５】本発明の実施形態に係るＤＰＢ情報のシンタックステーブルの一例である。出力レイヤセットOLS#0のDPB情報の一例である。
【図１６】本発明の実施形態に係るＤＰＢ情報のシンタックステーブルの一例である。出力レイヤセットOLS#i(i=1..NumOutputLayerSets-1)のDPB情報の一例である。
【図１７】本発明の実施形態に係るＳＰＳ／ＰＰＳ／スライスレイヤのシンタックステーブルの一例である。（ａ）は、ＳＰＳのシンタックステーブルの一例であり、（ｂ）は、ＰＰＳのシンタックステーブルの一例であり、（ｃ）は、は、スライスレイヤに含まれるスライスヘッダ、及びスライスデータのシンタックステーブルの一例を示し、（ｄ）は、スライスヘッダのシンタックステーブルの一例を示し、（ｅ）スライスデータのシンタックステーブルの一例を示す。
【図１８】本実施形態に係る階層動画像復号装置の構成を示す概略図である。
【図１９】本実施形態に係る出力制御部１６における対象復号レイヤIDリストの導出を説明するためのフローチャートである。
【図２０】本実施形態に係るターゲットセットピクチャ復号部の構成を示す概略図である。
【図２１】本実施形態に係るピクチャ復号部の動作を説明するためのフローチャートである。
【図２２】本実施形態に係るビットストリーム抽出部におけるビットストリーム抽出処理１を説明するためのフローチャートである。
【図２３】本実施形態に係るサブレイヤと出力レイヤの関係を示す図である。
【図２４】本実施形態に係る最大サブレイヤ値と出力レイヤ最大サブレイヤ値の関係を示す図である。
【図２５】本実施形態に係る階層動画像符号化装置の構成を示す概略図である。
【図２６】本実施形態に係るターゲットセットピクチャ符号化部の構成を示す概略図である。
【図２７】本実施形態に係るピクチャ符号化部の動作を説明するためのフローチャートである。
【図２８】本実施形態に係る階層動画像復号装置１の動作を示すフローチャートである。
【図２９】本実施形態に係る階層動画像復号装置１の動作を示すフローチャートである。
【図３０】本実施形態に係る階層動画像復号装置１の動作を示すフローチャートである。
【図３１】本実施形態に係る手段の動作を示すフローチャートである。
【図３２】本実施形態に係るプライマリピクチャと補助ピクチャの関係を示す図である。
【図３３】上記階層動画像符号化装置を搭載した送信装置、および、上記階層動画像復号装置を搭載した受信装置の構成について示した図である。（ａ）は、階層動画像符号化装置を搭載した送信装置を示しており、（ｂ）は、階層動画像復号装置を搭載した受信装置を示している。
【図３４】上記階層動画像符号化装置を搭載した記録装置、および、上記階層動画像復号装置を搭載した再生装置の構成について示した図である。（ａ）は、階層動画像符号化装置を搭載した記録装置を示しており、（ｂ）は、階層動画像復号装置を搭載した再生装置を示している。
【図３５】パラメータセット復号手段の別の構成を示すブロック図である。
【図３６】レイヤ間画素対応情報に係るシンタックス表を説明するための図であって、（ａ）はSPSにおけるレイヤ間画素対応情報に係るシンタックス表の一例であり、（ｂ）はVPSにおけるレイヤ間画素対応情報に係るシンタックス表の一例である。
【図３７】対象レイヤのピクチャ、参照レイヤのピクチャ、および、レイヤ間画素対応オフセットの関係を例示する図であり、（ａ）は、参照レイヤのピクチャ全体が対象レイヤのピクチャの一部に対応する場合の例を示し、（ｂ）は、参照レイヤのピクチャの一部が対象レイヤのピクチャ全体に対応する場合の例を示す。
【図３８】パラメータセット符号化手段の別の構成を示すブロック図である。
【発明を実施するための形態】
【００４２】
図１〜図３８に基づいて、本発明の一実施形態に係る階層動画像復号装置１および階層動画像符号化装置２を説明すれば以下のとおりである。
【００４３】
〔概要〕
本実施の形態に係る階層動画像復号装置（画像復号装置）１は、階層動画像符号化装置（画像符号化装置）２によって階層符号化された符号化データを復号する。階層符号化とは、動画像を低品質のものから高品質のものにかけて階層的に符号化する符号化方式のことである。階層符号化は、例えば、SVCやSHVCにおいて標準化されている。なお、ここでいう動画像の品質とは、主観的および客観的な動画像の見栄えに影響する要素のことを広く意味する。動画像の品質には、例えば、“解像度”、“フレームレート”、“画質”、および、“画素の表現精度”が含まれる。よって、以下、動画像の品質が異なるといえば、例示的には、“解像度”等が異なることを指すが、これに限られない。例えば、異なる量子化ステップで量子化された動画像の場合（すなわち、異なる符号化雑音により符号化された動画像の場合）も互いに動画像の品質が異なるといえる。
【００４４】
また、階層符号化技術は、階層化される情報の種類の観点から、（１）空間スケーラビリティ、（２）時間スケーラビリティ、（３）ＳＮＲ（Signal to Noise Ratio）スケーラビリティ、および（４）ビュースケーラビリティに分類されることもある。空間スケーラビリティとは、解像度や画像のサイズにおいて階層化する技術である。時間スケーラビリティとは、フレームレート（単位時間のフレーム数）において階層化する技術である。ＳＮＲスケーラビリティは、符号化雑音において階層化する技術である。また、ビュースケーラビリティは、各画像に対応付けられた視点位置において階層化する技術である。
【００４５】
本実施形態に係る階層動画像符号化装置２及び階層動画像復号装置１の詳細な説明に先立って、まず（１）階層動画像符号化装置２によって生成され、階層動画像復号装置１によって復号される階層符号化データのレイヤ構造を説明し、次いで（２）各レイヤで採用できるデータ構造の具体例について説明を行う。
【００４６】
〔階層符号化データのレイヤ構造〕
ここで、図２を用いて、階層符号化データの符号化および復号について説明すると次のとおりである。図２は、動画像を、下位階層Ｌ３、中位階層Ｌ２、および上位階層Ｌ１の３階層により階層的に符号化／復号する場合について模式的に表わす図である。つまり、図２（ａ）および（ｂ）に示す例では、３階層のうち、上位階層Ｌ１が最上位層となり、下位階層Ｌ３が最下位層となる。
【００４７】
以下において、階層符号化データから復号され得る特定の品質に対応する復号画像は、特定の階層の復号画像（または、特定の階層に対応する復号画像）と称される（例えば、上位階層Ｌ１の復号画像ＰＯＵＴ＃Ａ）。
【００４８】
図２（ａ）は、入力画像ＰＩＮ＃Ａ〜ＰＩＮ＃Ｃをそれぞれ階層的に符号化して符号化データＤＡＴＡ＃Ａ〜ＤＡＴＡ＃Ｃを生成する階層動画像符号化装置２＃Ａ〜２＃Ｃを示している。図２（ｂ）は、階層的に符号化された符号化データＤＡＴＡ＃Ａ〜ＤＡＴＡ＃Ｃをそれぞれ復号して復号画像ＰＯＵＴ＃Ａ〜ＰＯＵＴ＃Ｃを生成する階層動画像復号装置１＃Ａ〜１＃Ｃを示している。
【００４９】
まず、図２（ａ）を用いて、符号化装置側について説明する。符号化装置側の入力となる入力画像ＰＩＮ＃Ａ、ＰＩＮ＃Ｂ、およびＰＩＮ＃Ｃは、原画は同じだが、画像の品質（解像度、フレームレート、および画質等）が異なる。画像の品質は、入力画像ＰＩＮ＃Ａ、ＰＩＮ＃Ｂ、およびＰＩＮ＃Ｃの順に低くなる。
【００５０】
下位階層Ｌ３の階層動画像符号化装置２＃Ｃは、下位階層Ｌ３の入力画像ＰＩＮ＃Ｃを符号化して下位階層Ｌ３の符号化データＤＡＴＡ＃Ｃを生成する。下位階層Ｌ３の復号画像ＰＯＵＴ＃Ｃを復号するのに必要な基本情報が含まれる（図２において“Ｃ”にて示している）。下位階層Ｌ３は、最下層の階層であるため、下位階層Ｌ３の符号化データＤＡＴＡ＃Ｃは、基本符号化データとも称される。
【００５１】
また、中位階層Ｌ２の階層動画像符号化装置２＃Ｂは、中位階層Ｌ２の入力画像ＰＩＮ＃Ｂを、下位階層の符号化データＤＡＴＡ＃Ｃを参照しながら符号化して中位階層Ｌ２の符号化データＤＡＴＡ＃Ｂを生成する。中位階層Ｌ２の符号化データＤＡＴＡ＃Ｂには、符号化データＤＡＴＡ＃Ｃに含まれる基本情報“Ｃ”に加えて、中位階層の復号画像ＰＯＵＴ＃Ｂを復号するのに必要な付加的情報（図２において“Ｂ”にて示している）が含まれる。
【００５２】
また、上位階層Ｌ１の階層動画像符号化装置２＃Ａは、上位階層Ｌ１の入力画像ＰＩＮ＃Ａを、中位階層Ｌ２の符号化データＤＡＴＡ＃Ｂを参照しながら符号化して上位階層Ｌ１の符号化データＤＡＴＡ＃Ａを生成する。上位階層Ｌ１の符号化データＤＡＴＡ＃Ａには、下位階層Ｌ３の復号画像ＰＯＵＴ＃Ｃを復号するのに必要な基本情報“Ｃ”および中位階層Ｌ２の復号画像ＰＯＵＴ＃Ｂを復号するのに必要な付加的情報“Ｂ”に加えて、上位階層の復号画像ＰＯＵＴ＃Ａを復号するのに必要な付加的情報（図２において“Ａ”にて示している）が含まれる。
【００５３】
このように上位階層Ｌ１の符号化データＤＡＴＡ＃Ａは、異なる複数の品質の復号画像に関する情報を含む。
【００５４】
次に、図２（ｂ）を参照しながら復号装置側について説明する。復号装置側では、上位階層Ｌ１、中位階層Ｌ２、および下位階層Ｌ３それぞれの階層に応じた復号装置１＃Ａ、１＃Ｂ、および１＃Ｃが、符号化データＤＡＴＡ＃Ａ、ＤＡＴＡ＃Ｂ、およびＤＡＴＡ＃Ｃを復号して復号画像ＰＯＵＴ＃Ａ、ＰＯＵＴ＃Ｂ、およびＰＯＵＴ＃Ｃを出力する。
【００５５】
なお、上位の階層符号化データの一部の情報を抽出（ビットストリーム抽出とも呼ぶ）して、より下位の特定の復号装置において、当該抽出した情報を復号することで特定の品質の動画像を再生することもできる。
【００５６】
例えば、中位階層Ｌ２の階層復号装置１＃Ｂは、上位階層Ｌ１の階層符号化データＤＡＴＡ＃Ａから、復号画像ＰＯＵＴ＃Ｂを復号するのに必要な情報（すなわち、階層符号化データＤＡＴＡ＃Ａに含まれる“Ｂ”および“Ｃ”）を抽出して、復号画像ＰＯＵＴ＃Ｂを復号してもよい。言い換えれば、復号装置側では、上位階層Ｌ１の階層符号化データＤＡＴＡ＃Ａに含まれる情報に基づいて、復号画像ＰＯＵＴ＃Ａ、ＰＯＵＴ＃Ｂ、およびＰＯＵＴ＃Ｃを復号できる。
【００５７】
なお、以上の３階層の階層符号化データに限られず、階層符号化データは、２階層で階層符号化されていてもよいし、３階層よりも多い階層数にて階層符号化されていてもよい。
【００５８】
また、特定の階層の復号画像に関する符号化データの一部または全部を他の階層とは独立して符号化し、特定の階層の復号の際に、他の階層の情報を参照しなくても済むように階層符号化データを構成してもよい。例えば、図２（ａ）および（ｂ）を用いて上述した例では、復号画像ＰＯＵＴ＃Ｂの復号に“Ｃ”および“Ｂ”を参照すると説明したが、これに限られない。復号画像ＰＯＵＴ＃Ｂが“Ｂ”だけを用いて復号できるように階層符号化データを構成することも可能である。例えば、復号画像ＰＯＵＴ＃Ｂの復号に、“Ｂ”だけから構成される階層符号化データと、復号画像ＰＯＵＴ＃Ｃを入力とする階層動画像復号装置も構成できる。
【００５９】
なお、ＳＮＲスケーラビリティを実現する場合、入力画像ＰＩＮ＃Ａ、ＰＩＮ＃Ｂ、およびＰＩＮ＃Ｃとして同一の原画を用いた上で、復号画像ＰＯＵＴ＃Ａ、ＰＯＵＴ＃Ｂ、およびＰＯＵＴ＃Ｃが異なる画質となるよう階層符号化データを生成することもできる。その場合、下位階層の階層動画像符号化装置が、上位階層の階層動画像符号化装置に較べて、より大きい量子化幅を用いて予測残差を量子化することで階層符号化データを生成する。
【００６０】
本書では、説明の便宜上、次のとおり用語を定義する。以下の用語は、特に断りがなければ、下記の技術的事項のことを表わすのに用いる。
【００６１】
プロファイル(Profile)：   プロファイルとは、特定のアプリケーションを想定し、規格に準拠するデコーダが備えるべき処理機能を規定するものであり、符号化ツール（要素技術）の組み合わせ、あるいは集合によって定義される。プロファイルを規定することで、個々のアプリケーションでは、規格全体でなく、適したプロファイルのみを実装すればよく、デコーダ／エンコーダの複雑度を低減することが可能となるメリットがある。
【００６２】
レベル（Level）：  レベルは、デコーダの処理能力上限や回路規模の範囲を規定するものであり、単位時間当たりの最大処理画素数、画像の最大解像度、最大ビットレート、最大参照画像バッファサイズ、最低限の圧縮率などのパラメータの制限を規定している。すなわち、レベルはデコーダの処理能力やビットストリームの複雑さを規定するものである。また、レベルでは、各プロファイルで規定されたツールを、どの範囲までサポートするかについても規定されている。そのため、上位のレベルでは、下位のレベルをサポートする必要がある。例えば、レベル制限される各種パラメータには、最大輝度ピクチャサイズ（Max luma picture size）、最大ビットレート(Max bitrate)、最大CPBサイズ(Max CPB size)、ピクチャ単位当りの最大スライスセグメント数(Max slice segments per picture)、ピクチャ単位当たりの最大タイル行数(Max number of tile rows)、ピクチャ単位当たりの最大タイル列数(Max number of tile columns)等がある。また、特定のプロファイルに対して適用される、レベル制限される各種パラメータには、最大輝度サンプルレート（Max luma sample rate）、最大ビットレート（Max bit rate）、及び最低圧縮比率(Min compression Ratio)が挙げられる。なお、レベルのサブ概念として、各レベルに対応するビットストリーム（符号化データ）の最大ビットレート、及びビットストリームを格納する最大CPBサイズがメインティア（Main tier:コンシューマ用）で規定される値か、または、ハイティア（High tier:業務用）で規定される値であるか表す“ティア”(tier)がある。
【００６３】
HRD (Hypothetical Reference Decoder、仮想参照デコーダ)  :  HRDとは、バッファの動作を中心としたデコーダの仮想モデルであり、バッファモデルとも呼ばれる。HRDは、（１）ビットストリームの伝送バッファであるCPB(Coded Picture Buffer、符号化済ピクチャバッファ)、（２）瞬時に復号動作を行う復号処理部、（３）復号したピクチャを保存するDPB(Decoded Picture Buffer、復号ピクチャバッファ)、（４）切り出し処理を行うクロッピング処理部（画像の有効領域のみ切り出す処理）から構成される。
【００６４】
HRDの基本動作は以下の通りである。
（SA01）入力ビットストリームをCPBへ蓄積する;
（SA02）CPBに蓄積されたAUを瞬時復号処理する;
（SA03）瞬時復号処理して得られた復号済ピクチャをDPBへ保存する;
（SA04）DPBに保存された復号ピクチャをクロップして出力する; 
HRDパラメータ(HRD parameters)  ：  HRDパラメータとは、入力されたビットストリームが、HRDにおいて、コンフォーマンス条件を満たすか検証するために利用されるバッファモデルを示すパラメータである。
【００６５】
ビットストリームコンフォーマンス  ：  ビットストリームコンフォーマンスとは、階層動画像復号装置（ここでは本発明の実施形態に係る階層動画像復号装置）が復号するビットストリームが満たす必要がある条件である。同様に、階層動画像符号化装置（ここでは本発明の実施形態に係る階層動画像符号化装置)が生成するビットストリームに関しても、上記階層動画像復号装置が復号可能なビットストリームであることを保障するため、上記ビットストリームコンフォーマンスを満たす必要がある。
【００６６】
VCL NALユニット  ：  VCL(Video Coding Layer、ビデオ符号化レイヤ) NALユニットとは、動画像（映像信号）の符号化データを含むNALユニットである。例えば、VCL NALユニットには、スライスデータ（ＣＴＵの符号化データ）、及び当該スライスの復号を通じて共通で利用されるヘッダ情報（スライスヘッダ）が含まれる。
【００６７】
non-VCL NALユニット  ：  non-VCL(non-Video Coding Layer、非ビデオ符号化レイヤ、非VCL) NALユニットとは、ビデオパラメータセットＶＰＳ、シーケンスパラメータセットＳＰＳ、ピクチャパラメータセットＰＰＳ等の各シーケンスやピクチャを復号する時に利用される符号化パラメータの集合であるヘッダ情報や補助情報ＳＥＩ等の符号化データを含むNALユニットである。
【００６８】
レイヤ識別子  ：  レイヤ識別子(レイヤIDとも称する)は、階層（レイヤ）を識別するためのものであり、階層と１対１に対応する。階層符号化データには特定の階層の復号画像の復号に必要な部分符号化データを選択するために用いられる識別子が含まれる。特定のレイヤに対応するレイヤ識別子に関連付けられた階層符号化データの部分集合は、レイヤ表現とも呼称される。
【００６９】
一般に、特定の階層の復号画像の復号には、当該階層のレイヤ表現、および／または、当該階層の下位レイヤに対応するレイヤ表現が用いられる。すなわち、対象レイヤの復号画像の復号においては、対象レイヤのレイヤ表現、および／または、対象レイヤの下位レイヤに含まれる１つ以上階層のレイヤ表現が用いられる。
【００７０】
レイヤ  ：  特定の階層（レイヤ）のレイヤ識別子の値(nuh_layer_id, nuhLayerId)をもつVCL NAL UNIT及びそのVCL NALユニットに関連付けられたnon-VCL NAL UNITの集合、あるいは、階層的な関係をもつシンタックス構造の集合の一つである。
【００７１】
上位レイヤ  ：  ある階層よりも上位に位置する階層のことを、上位レイヤと称する。例えば、図２において、下位階層Ｌ３の上位レイヤは、中位階層Ｌ２および上位階層Ｌ１である。また、上位レイヤの復号画像とは、より品質の高い（例えば、解像度が高い、フレームレートが高い、画質が高い等）復号画像のことをいう。
【００７２】
下位レイヤ  ：  ある階層よりも下位に位置する階層のことを、下位レイヤと称する。例えば、図２において、上位階層Ｌ１の下位レイヤは、中位階層Ｌ２および下位階層Ｌ３である。また、下位レイヤの復号画像とは、より品質の低い復号画像のことをいう。
【００７３】
対象レイヤ  ：  復号または符号化の対象となっている階層のことをいう。なお、対象レイヤに対応する復号画像を対象レイヤピクチャと呼ぶ。また、対象レイヤピクチャを構成する画素を対象レイヤ画素と呼ぶ。
【００７４】
参照レイヤ  ：  対象レイヤに対応する復号画像を復号するのに参照される特定の下位レイヤのことを参照レイヤと称する。なお、参照レイヤに対応する復号画像を参照レイヤピクチャと呼ぶ。また、参照レイヤを構成する画素を参照レイヤ画素と呼ぶ。
【００７５】
図２（ａ）および（ｂ）に示した例では、上位階層Ｌ１の参照レイヤは、中位階層Ｌ２および下位階層Ｌ３である。しかしながら、これに限られず、特定の上記レイヤの復号において、下位レイヤのすべてを参照しなくてもよいように階層符号化データを構成することもできる。例えば、上位階層Ｌ１の参照レイヤが、中位階層Ｌ２および下位階層Ｌ３のいずれか一方となるように階層符号化データを構成することも可能である。また、参照レイヤは、対象レイヤの復号に用いられる符号化パラメータ等を予測する際に利用（参照）される、対象レイヤとは異なるレイヤであるとも表現できる。対象レイヤのレイヤ間予測で、直接的に参照される参照レイヤは、直接参照レイヤと呼ばれる。また、対象レイヤの直接参照レイヤＡのレイヤ間予測で参照される直接参照レイヤＢは、対象レイヤが、間接的に依存するため、対象レイヤの間接参照レイヤとも呼ばれる。換言すれば、レイヤiが、１又は複数のレイヤｋ(i<k<j)を介して、レイヤjに対して、間接的に依存す場合、レイヤｊは、レイヤiの間接参照レイヤである。なお、対象レイヤに対する直接参照レイヤ、及び間接参照レイヤを総称して、依存レイヤと呼ぶ。
【００７６】
基本レイヤ(base layer)  ：  最下層に位置する階層のことを基本レイヤと称する。基本レイヤの復号画像は、符号化データから復号され得るもっとも低い品質の復号画像であり、基本復号画像と呼称される。別の言い方をすれば、基本復号画像は、最下層の階層に対応する復号画像のことである。基本復号画像の復号に必要な階層符号化データの部分符号化データは基本符号化データと呼称される。例えば、上位階層Ｌ１の階層符号化データＤＡＴＡ＃Ａに含まれる基本情報“Ｃ”が基本符号化データである。また、基本レイヤは、少なくとも、同一のレイヤ識別子を有し、かつそのレイヤ識別子(nuh_layer_id)の値は０である、１又は複数のVCL NALユニットからなるレイヤである。
【００７７】
拡張レイヤ(non-base layer)  ：  基本レイヤの上位レイヤは、拡張レイヤと称される。また、拡張レイヤは、少なくとも、同一のレイヤ識別子を有し、そのレイヤ識別子(nuh_layer_id)の値が０より大きい、１又は複数のVCL NALユニットからなるレイヤである。
【００７８】
レイヤ間予測  ：  レイヤ間予測とは、対象レイヤのレイヤ表現と異なる階層（参照レイヤ）のレイヤ表現に含まれるシンタックス要素値、シンタックス要素値より導出される値、および復号画像に基づいて、対象レイヤのシンタックス要素値や対象レイヤの復号に用いられる符号化パラメータ等を予測することである。動き予測に関する情報を参照レイヤの情報から予測するレイヤ間予測のことをレイヤ間動き情報予測と称することもある。また、下位レイヤの復号画像から予測するレイヤ間予測のことをレイヤ間画像予測（あるいはレイヤ間テクスチャ予測）と称することもある。なお、レイヤ間予測に用いられる階層は、例示的には、対象レイヤの下位レイヤである。また、参照レイヤを用いず対象レイヤ内で予測を行うことをレイヤ内予測と称することもある。
【００７９】
テンポラル識別子：  テンポラル識別子（テンポラルＩＤ）は、時間スケーラビリティに関するレイヤ（以降、サブレイヤ）を識別するための識別子である。テンポラル識別子は、サブレイヤを識別するためのものであり、サブレイヤと１対１に対応する。符号化データには特定のサブレイヤの復号画像の復号に必要な部分符号化データを選択するために用いられるテンポラル識別子が含まれる。特に、最高次（最上位）のサブレイヤのテンポラル識別子を最高次（最上位）テンポラル識別子(highest TemporalId, highestTid、対象最大サブレイヤ値)と称する。
【００８０】
サブレイヤ：  サブレイヤとは、テンポラル識別子により特定される時間スケーラビリティに関するレイヤである。空間スケーラビリティ、ＳＮＲスケーラビリティ等、そのほかのスケーラビリティと区別するため、以降サブレイヤと称する（テンポラルレイヤとも称する）。また、以降では、時間スケーラビリティは、基本レイヤの符号化データ、またはあるレイヤを復号するために必要な階層符号化データ、に含まれるサブレイヤによって実現されるものとする。
【００８１】
レイヤセット：  レイヤセットとは、1以上のレイヤからなるレイヤの集合である。特に、レイヤセットの構成は、レイヤIDリストLayerSetLayerIdList[]（あるいは、LayerIdList[]）によって表現され、レイヤセットに含まれるレイヤを識別するレイヤID（または、ＶＰＳ上でのレイヤの順番を示すインデクス）は、レイヤIDリストLayerIdList[K](K=0.. N-1, Nはレイヤセットに含まれるレイヤ数)の各要素に、格納される。
【００８２】
出力レイヤセット：  出力レイヤセットとは、上記レイヤセットに含まれるレイヤに対して、出力レイヤであるかどうか指定されたレイヤの集合である。また、出力レイヤセットは、レイヤセットと出力レイヤを指定する出力レイヤフラグの組み合わせにより表現される集合とも表現される。以下、識別子iで識別される出力レイヤセットをOLS#iと記載する。  出力レイヤ  ：  出力レイヤとは、上記出力レイヤセットにおいて、復号または符号化の対象となるレイヤのうち、該レイヤの復号ピクチャを、出力ピクチャとして出力することが指定されたレイヤのことである。
【００８３】
代替出力レイヤ：  代替出力レイヤとは、上記出力レイヤセットにおいて、出力レイヤとして指定されたレイヤの復号画像が何らかの理由により復号できない場合、該出力レイヤとは別のレイヤの復号画像を代替として出力されるレイヤである。
【００８４】
ビットストリーム抽出処理  ：  ビットストリーム抽出処理とは、あるビットストリーム（階層符号化データ、符号化データ）から、対象最高次テンポラル識別子(highestTid)、及び対象レイヤセットに含まれるレイヤを表わすレイヤIDリストLayerIdList[]によって定まる集合（ターゲットセットTargetSetと呼ぶ）に含まれないNALユニットを除去（破棄）し、ターゲットセットTargetSetに含まれるNALユニットから構成されるビットストリームを抽出する処理である。なお、ビットストリーム抽出は、サブビットストリーム抽出とも呼ばれる。
【００８５】
また、対象最高次テンポラル識別子をTargetHighestTidと称し、対象レイヤセットをTargetLayerSetと称し、対象レイヤセットのレイヤIDリスト（対象レイヤIDリスト）をTargetLayerIdListとも称する。特に、復号対象となるレイヤIDリストを、TargetDecLayerIdListとも呼ぶ。また、ビットストリーム抽出により生成された、ターゲットセットTargetSetに含まれるNALユニットから構成されるビットストリームを符号化データBitstreamToDecodeとも称する。
【００８６】
次に、図３を参照して、ビットストリーム抽出処理により、あるレイヤセットＡを含む階層符号化データより、レイヤセットＡのサブセットとなるレイヤセットＢを含む階層符号化データを抽出する例について説明する。
【００８７】
図３は、３つのレイヤ（L#0, L#1, L#2）、及び各レイヤは３つのサブレイヤ(TID1, TID2, TID3)からなるレイヤセットＡ、及びそのサブセットであるレイヤセットＢの構成を表わす。なお、以降では、レイヤセットを構成するレイヤ、及びサブレイヤを、｛LayerIdList={L#0,…,L#N}, HighestTid=K｝と表わす。例えば、図３のレイヤセットＡは、｛LayerIdList=｛L#0, L#1, L#2｝, HighestTid=3｝と表現される。ここで、符号L#Nは、あるレイヤＮを示し、図３中の各ボックスは、ピクチャを表わし、ボックス内の番号は、復号順の一例を表わす。以降、ピクチャで番号Ｎを、P#Nと表記する。
【００８８】
また、各ピクチャ間の矢印は、ピクチャ間の依存方向（参照関係）を表わす。同一レイヤ内の矢印であれば、インター予測に利用される参照ピクチャであることを示す。レイヤ間の矢印であれば、レイヤ間予測に利用される参照ピクチャ（参照レイヤピクチャともいう）であることを表わす。
【００８９】
また、図３中のＡＵは、アクセスユニットを表わし、符号＃Ｎは、アクセスユニット番号を表わす。ＡＵ＃Ｎは、ある起点（例えば、ランダムアクセス開始点）のＡＵをＡＵ＃０とすれば、（Ｎ−１）番目のアクセスユニットであることを表わし、ビットストリームに含まれるＡＵの順番を表わす。すなわち、図３の例であれば、ビットストリーム上で、アクセスユニットは、ＡＵ＃０、ＡＵ＃１、ＡＵ＃２、ＡＵ＃３、ＡＵ＃４..の順で並んでいる。なお、アクセスユニットとは、特定の分類ルールにより集約されたＮＡＬユニットの集合を表わす。図３のＡＵ＃０は、ピクチャＰ＃１、Ｐ＃１、及びＰ＃３の符号化データを含むVCL NALの集合とみることができる。なお、アクセスユニットの詳細については後述する。なお、本明細書では、Ｘ番目と記す場合、先頭要素が０番目であり、０番目から数えることとする（以下同様）。
【００９０】
図３の例では、ターゲットセットTargetSet（レイヤセットＢ）は、｛LayerIdList=｛L#0,L#1｝、HighestTid=2｝であるから、レイヤセットＡを含むビットストリームから、ターゲットセットTargetSetに含まれないレイヤ、及び最高次テンポラルID(HighestTid=2)より大きいサブレイヤを、ビットストリーム抽出により破棄する。すなわち、レイヤIDリストに含まれないレイヤL#2、及びサブレイヤ(TID3)を有するNALユニットが破棄され、最終的には、レイヤセットＢを含むビットストリームが抽出される。図３では、点線のボックスは、破棄されたピクチャを表わし、点線の矢印は、破棄されたピクチャと参照ピクチャ間の依存方向を示す。なお、レイヤL#3、及びTID3のサブレイヤのピクチャを構成するNALユニットは破棄済のため、依存関係は既に断ち切られている。
【００９１】
SHVCやMV-HEVCでは、SNRスケーラビリティ、空間スケーラビリティ、時間スケーラビリティ等を実現するために、レイヤ、及びサブレイヤの概念が導入されている。図３で既に説明したように、フレームレートを変更し時間スケーラビリティを実現する場合、ビットストリーム抽出処理により、まず他のピクチャから参照されないピクチャ（最高次テンポラルID（TID3））の符号化データを破棄する。図３の場合、ピクチャ（１０、１３、１１、１４、１２、１５）の符号化データを破棄することにより、フレームレートが１／２となる符号化データが生成される。
【００９２】
また、SNRスケーラビリティ、空間スケーラビリティや、ビュースケーラビリティを実現する場合、ビットストリーム抽出により、ターゲットセットTargetSetに含まれない、レイヤの符号化データを破棄することで、各スケーラビリティの粒度を変更することができる。図３の場合、ピクチャ（３、６、９、１２、１５）の符号化データを破棄することで、スケーラビリティの粒度を粗くした符号化データが生成される。上記処理を繰り返すことで、段階的にレイヤ、サブレイヤの粒度を調整することができる。
【００９３】
なお、以上の用語は、飽くまで説明の便宜上のものであり、上記の技術的事項を別の用語にて表現してもかまわない。
【００９４】
〔階層符号化データのデータ構造について〕
以下、各階層の符号化データを生成する符号化方式として、HEVCおよびその拡張方式を用いる場合について例示する。しかしながら、これに限られず、各階層の符号化データを、MPEG-2や、H.264/AVCなどの符号化方式により生成してもよい。
【００９５】
また、下位レイヤと上位レイヤとが異なる符号化方式によって符号化されていてもよい。また、各階層の符号化データは、互いに異なる伝送路を介して階層動画像復号装置１に供給されてもよいし、同一の伝送路を介して階層動画像復号装置１に供給されてもよい。
【００９６】
例えば、超高精細映像（動画像、４Ｋ映像データ）を基本レイヤおよび１つの拡張レイヤによりスケーラブル符号化して伝送する場合、基本レイヤは、４Ｋ映像データをダウンスケーリングし、インタレース化した映像データをMPEG-2またはH.264/AVCにより符号化してテレビ放送網で伝送し、拡張レイヤは、４Ｋ映像（プログレッシブ）をHEVCにより符号化して、インターネットで伝送してもよい。
【００９７】
＜階層符号化データＤＡＴＡの構造＞
本実施形態に係る画像符号化装置２および画像復号装置１の詳細な説明に先立って、画像符号化装置２によって生成され、画像復号装置１によって復号される階層符号化データＤＡＴＡのデータ構造について説明する。
【００９８】
（ＮＡＬユニットレイヤ）
図４は、階層符号化データＤＡＴＡにおけるデータの階層構造を示す図である。階層符号化データＤＡＴＡは、NAL（Network Abstraction Layer）ユニットと呼ばれる単位で符号化される。
【００９９】
NALは、動画像符号化処理を行う層であるVCL（Video Coding Layer）と、符号化データを伝送・蓄積する下位システムとの間における通信を抽象化するために設けられる層である。
【０１００】
VCLは、画像符号化処理を行う層のことであり、VCLにおいて符号化が行われる。一方、ここでいう、下位システムは、H.264/AVCおよびHEVCのファイルフォーマットや、MPEG-2システムに対応する。以下に示す例では、下位システムは、対象レイヤおよび参照レイヤにおける復号処理に対応する。なお、NALでは、VCLで生成されたビットストリームが、NALユニットという単位で区切られて、宛先となる下位システムへ伝送される。
【０１０１】
図５（ａ）は、NALユニットのシンタックステーブルを示す。NALユニットには、VCLで符号化された符号化データ、および、当該符号化データが宛先の下位システムに適切に届けられるためのヘッダ（NALユニットヘッダ：nal_unit_header()）が含まれる。NALユニットヘッダは、例えば、図５（ｂ）に示すシンタックスで表わされる。NALユニットヘッダには、NALユニットに格納された符号化データの種類を表わす“nal_unit_type”、格納された符号化データが属するサブレイヤの識別子（テンポラル識別子）を表わす”nuh_temporal_id_plus1”や、格納された符号化データが属するレイヤの識別子（レイヤ識別子）を表わす”nuh_layer_id”（または、nuh_reserved_zero_6bits）が記述されている。一方、NALユニットデータには、後述のパラメータセット、SEI、スライスなどが含まれる。
【０１０２】
図６は、NALユニットタイプの値とNALユニットの種別の関係を示す図である。図６に示す通り、SYNA101で示される０から１５の値のNALユニットタイプを持つNALユニットは、非RAP (ランダムアクセスピクチャ)のスライスである。SYNA102で示される１６から２１の値のNALユニットタイプを持つNALユニットは、RAP (ランダムアクセスピクチャ、IRAPピクチャ)のスライスである。RAPピクチャには、大きく分けて、BLAピクチャ、IDRピクチャ、CRAピクチャがあり、BLAピクチャは、さらに、BLA_W_LP、BLA_W_DLP、BLA_N_LPに分類される。IDRピクチャは、さらに、IDR_W_DLP、IDR_N_LPに分類される。RAPピクチャ以外のピクチャには、リーディングピクチャ（LPピクチャ）、テンポラルアクセスピクチャ（TSAピクチャ、STSAピクチャ）、トレイリングピクチャ（TRAILピクチャ）などがある。なお、各階層における符号化データは、NALユニットに格納されることでNAL多重化されて階層動画像復号装置１に伝送される。
【０１０３】
図６、特にNAL Unit Type Classで示されるように、各NALユニットは、NALユニットタイプに応じて、ピクチャを構成するデータ(VCLデータ)と、それ以外のデータ（non-VCL）に分類される。ピクチャは、ランダムアクセスピクチャ、リーディングピクチャ、トレイリングピクチャなどのピクチャ種別によらず、全てVCL NALユニットに分類され、ピクチャの復号に必要なデータであるパラメータセットや、ピクチャの補助情報であるSEI、シーケンスの区切りを表わすアクセスユニットデリミタ(AUD)、エンドオブシーケンス(EOS)、エンドオブビットストリーム(EOB)などは、non-VCL NALユニットに分類される。
【０１０４】
（アクセスユニット）
特定の分類ルールにより集約されたNALユニットの集合のことをアクセスユニットと呼ぶ。レイヤ数が１の場合には、アクセスユニットは１ピクチャを構成するNALユニットの集合である。レイヤ数が１より大きい場合には、アクセスユニットは同じ時刻(同一出力タイミング)の複数のレイヤのピクチャを構成するNALユニットの集合である。なお、アクセスユニットの区切りを示すために、符号化データはアクセスユニットデリミタ（AUD:Access unit delimiter）と呼ばれるNALユニットを含んでも良い。アクセスユニットデリミタは、符号化データ中にあるアクセスユニットを構成するNALユニットの集合と、別のアクセスユニットを構成するNALユニットの集合の間に含まれる。
【０１０５】
図７は、アクセスユニットに含まれるNALユニットの構成の一例を示す図である。同図において、AUには、AUの先頭であることを示すアクセスユニットデリミタ（AUD）、各種パラメータセット（VPS, SPS, PPS）、各種SEI（Prefix SEI, Suffix SEI）、レイヤ数が１の場合は１ピクチャを構成するVCL（slice）、レイヤ数が１より大きい場合はレイヤ数分のピクチャを構成するVCL、シーケンスの終端を示すEOS（End of Sequence）、ビットストリームの終端を示すEOB（End of Bitstream）等のNALユニットから構成される。なお、図７において、VPS, SPS, SEI, VCLの後の符号L#K(K=Nmin.. Nmax)は、レイヤID（あるいは、VPS上で定義されたレイヤの順番を示すインデクス）を表わす。図７の例では、AU内に、VPSを除き、各レイヤL#Nmin〜レイヤL#NmaxのSPS, PPS, SEI, VCLが、レイヤID（あるいは、VPS上で定義されたレイヤの順番を示すインデクス）の昇順で存在する。図７の例では、VPSは、最低次のレイヤIDでのみ送られる。なお、図７において、特定NALユニットがAU内に存在するか、または繰り返し存在するかを、矢印によって示している。
【０１０６】
例えば、特定のNALユニットがAU内に存在すれば、そのNALユニットを通過する矢印で示し、特定のNALユニットがAU内に存在しなければ、そのNALユニットをスキップする矢印で示している。例えば、AUDを通らずに、VPSへ向かう矢印は、AUDがAU内に存在しない場合を示す。また、VCLを通過してから再びVCLへ戻る矢印は、１以上のVCLが存在する場合を示す。
【０１０７】
また、最低次以外の上位のレイヤIDを有するVPSがAU内に含まれてもよいが、画像復号装置は、最低次以外のレイヤIDを有するVPSを無視するものとする。また、各種パラメータセット（VPS，SPS，PPS）や補助情報であるSEIは、図７のように、アクセスユニットの一部として含まれてもよいし、ビットストリームとは別の手段でデコーダに伝達されてもよい。なお、図７は、アクセスユニットに含まれるNALユニットの構成の一実施形態に過ぎず、アクセスユニットに含まれるNALユニットの構成は、ビットストリームを復号することが可能な範囲で変更が可能である。
【０１０８】
特に、レイヤ識別子nuhLayerId=0のIRAPピクチャを含むアクセスユニットを、IRAPアクセスユニット(ランダムアクセスポイント・アクセスユニット)と呼ぶ。また、ターゲットセットに含まれる全レイヤの復号処理の初期化を実施するIRAPアクセスユニットを初期化IRAPアクセスユニットと呼ぶ。また、復号順で、初期化IRAPアクセスユニットから、0以上の非初期化IRAPアクセスユニット(初期化IRAPアクセスユニット以外のアクセスユニット)が続き、次の初期化IRAPアクセスユニットまでのアクセスユニットの集合（ただし、次の初期化IRAPアクセスユニットは除く）を、CVS（Coded Video Sequence;符号化ビデオシーケンス、以降ではシーケンスSEQとも称する）とも称する。
【０１０９】
図８は、階層符号化データＤＡＴＡにおけるデータの階層構造を示す図である。階層符号化データＤＡＴＡは、例示的に、シーケンス、およびシーケンスを構成する複数のピクチャを含む。図８の（ａ）〜（ｆ）は、それぞれ、シーケンスSEQを既定するシーケンスレイヤ、ピクチャPICTを規定するピクチャレイヤ、スライスSを規定するスライスレイヤ、スライスデータを規定するスライスデータレイヤ、スライスデータに含まれる符号化ツリーユニットを規定する符号化ツリーレイヤ、符号化ツリーに含まれる符号化単位（Coding Unit；CU）を規定する符号化ユニットレイヤを示す図である。
【０１１０】
（シーケンスレイヤ）
シーケンスレイヤでは、処理対象のシーケンスSEQ（以下、対象シーケンスとも称する）を復号するために画像復号装置１が参照するデータの集合が規定されている。シーケンスSEQは、図８の（ａ）に示すように、ビデオパラメータセット（Video Parameter Set）シーケンスパラメータセットSPS（Sequence Parameter Set）、ピクチャパラメータセットPPS（Picture Parameter Set）、ピクチャPICT、及び、付加拡張情報SEI（Supplemental Enhancement Information）を含んでいる。ここで＃の後に示される値はレイヤIDを示す。図８では、＃０と＃１すなわちレイヤIDが０とレイヤIDが１の符号化データが存在する例を示すが、レイヤの種類およびレイヤの数はこれに限定されない。
【０１１１】
（ビデオパラメータセット）
図１１は、ビデオパラメータセットVPSのシンタックス表の一例であり、図１２は、ビデオパラメータセットVPSの拡張データのシンタックス表の一例である。ビデオパラメータセットVPSでは、１以上のレイヤから構成される符号化データを復号するために画像復号装置１が参照する符号化パラメータの集合が規定されている。例えば、後述のシーケンスパラメータセットや他のシンタックス要素が参照するVPSを識別するために用いるVPS識別子(video_parameter_set_id)(図１１上のSYNVPS01)や、符号化データに含まれるレイヤ数(vps_max_layers_minus1) (図１１上のSYNVPS02)、レイヤに含まれるサブレイヤ数(vps_sub_layers_minus1) (図１１上のSYNVPS03)、符号化データ中で表現される1以上のレイヤからなるレイヤの集合を規定するレイヤセットの数(vps_num_layer_sets_minus1) (図１１上のSYNVPS06)、レイヤセットを構成するレイヤの集合を規定するレイヤセット情報(レイヤセット、layer_id_included_flag[i][j]) (図１１上のSYNVPS07)や、レイヤ間の依存関係(直接依存フラグdirect_dependency_flag[i][j])(図１２上のSYNVPS0C)、出力レイヤセットを構成する出力レイヤの集合や、ＰＴＬ情報等を規定した出力レイヤセット情報 (デフォルト出力レイヤ識別子default_target_output_layer_idc、関連するレイヤセット識別子output_layer_set_idx_minus1、出力レイヤ情報output_layer_flag[i][j]、代替出力レイヤフラグalt_output_layer_flag[i]、PTL指定識別子profile_level_tier_idx[i]など)(図１２上のSYNVPS0G〜SYNVPS0M)などが規定されている。VPSは符号化データ内に複数存在してもよい。その場合、対象シーケンス毎に復号に用いられるVPSが複数の候補から選択される。
【０１１２】
あるレイヤに属する特定シーケンスの復号に使用されるVPSは、アクティブVPSと呼ばれる。以下では、特に断りがなければ、VPSは、あるレイヤに属する対象シーケンスに対するアクティブVPSを意味する。
【０１１３】
（スケーラブル識別子）
図示しない、スケーラブル識別子復号手段は、入力される対象レイヤ符号化データから、レイヤ単位に割り当てられるスケーラブル識別子（ScalabilityId）を復号する。スケーラブル識別子ScalabilityIdは、レイヤ間でレイヤの性質を区別するためのＩＤであり、１つのレイヤに対して複数の次元のスケーラブルＩＤを有することができる。以下のレイヤi、次元目のスケーラブルＩＤは符号化データのdimension_id[i][j]から導出される。次元は、0から15までをとる。
【０１１４】
図１３（ｃ）は、ＶＰＳ拡張の符号化データの構成を示すシンタックステーブルの一例である。スケーラブル識別子復号手段は、符号化データから分離フラグsplitting_flag、スケーラブルマスクフラグscalability_mask_flag、次元ＩＤ長dimension_id_len_minus1、dimension_id、次元ＩＤdimension_idを復号する。splitting_flagは、dimension_idの符号化位置（符号化方法）を示す。splitting_flagが１の場合には、ＶＰＳ拡張において明示的に符号化させず、NALユニットヘッダから導出される。splitting_flagが０の場合には、dimension_idはＶＰＳ拡張で符号化される。scalability_mask_flag[j]は、インデックスjで示される次元ＩＤが用いられるか否かを示す。スケーラブル識別子復号手段は、scalability_mask_flag[j]が１である次元の数NumScalabilityTypesを導出する。scalability_mask_flag[j]が０の場合には対応するインデックスjのdimension_id[i][j]は復号されないdimension_id_len_minus1は、インデックスjのdimension_id[i][j]のビット長―１を示す。スケーラブル識別子復号手段は、splitting_flagが０の場合には、レイヤのインデックスi、次元のインデックスjの次元ＩＤdimension_id[i][j]を復号する。
【０１１５】
図１３（ｂ）は、スケーラブルＩＤScalabilityIdの導出方法を示す擬似コードである。スケーラブル識別子復号手段は、レイヤインデックス0から最大レイヤ数―１MaxLayersMinus1までのインデックスiについて、次元ＩＤdimension_id[i][j]からスケーラブルＩＤScalabilityIdを導出する。具体的には、スケーラブルマスクsmIdxが０以外のdimension_id[i][smIdx]を、ScalabilityI[i][smIdx]であるとして導出する。
【０１１６】
（補助ピクチャ情報）
補助ピクチャ情報復号手段（関連レイヤ導出手段）は、スケーラブルＩＤに基づいて、補助ピクチャ（補助ピクチャ）に対応するプライマリピクチャ（プライマリピクチャレイヤ）を特定する。プライマリピクチャは、AuxId[]（ここではScalabilityI[i][3]）が０であるレイヤであり、プライマリピクチャレイヤは、AuxId[]が０であるレイヤである。逆に、補助ピクチャレイヤは、AuxId[]（ここではScalabilityI[i][3]）が０以外であるレイヤであり、補助ピクチャは、AuxId[]が０以外であるレイヤのピクチャである。
【０１１７】
本実施形態の補助ピクチャ情報復号手段は、ある補助ピクチャに対して、AuxIdが０であるプライマリピクチャの中で、AuxIdを示すj=3以外の全ての0から15までのjについて、スケーラブルＩＤ（ScalabilityId[ LayerIdxInVps[ nuhLayerIdA ] ][ j ]）が、ScalabilityId[ LayerIdxInVps[ nuhLayerIdB ] ][ j ]と一致する、１もしくはそれ以上の補助ピクチャと同じピクチャを対応する(associateの)プライマリピクチャとする、という定義から、プライマリピクチャを特定する。
【０１１８】
ここで、配列LayerIdxInVps[]は、レイヤ識別子nuh_layer_idを添え字として、対応するレイヤのレイヤインデックスが格納されている配列である。例えば、レイヤ識別子nuh_layer_id=nuhLayerIdAと対応するレイヤのレイヤインデックスは、LayerIdxInVps[nuhLayerIdA]である（以降も同様）。
【０１１９】
本実施形態の補助ピクチャ情報復号手段は、以下のコンフォーマンス条件（ＣＣ１）を満たす符号化データを復号する。
【０１２０】
符号化データに含まれる任意の２つのレイヤにおいて全てのスケーラブルＩＤが一致する場合を禁止する（ＣＣ１）
上記コンフォーマンス条件ＣＣ１は、以下のコンフォーマンス条件ＣＣ２〜ＣＣ３とも表現することができる。
【０１２１】
ＣＣ２：符号化データに含まれるレイヤiA(iA=0..MaxLayersMinus1)のn番目のスケーラブルID”ScalaibityID[iA][n]”（n=0,..,15）とレイヤiB（iA!=iB, iB=0..MaxLayersMinus1）のn番目のスケーラブルID”ScalabilityId[iB][n]”（n=0,..,15）の値は異なる。
【０１２２】
ＣＣ３：ScalabilityId[iA][n] != ScalabilityId[iB][n]
ここで、変数iAとiBは符号化データに含まれるレイヤを識別するレイヤインデックスであり、０からMaxLayersMinus1までの値をとり、iA!=iBを満たす変数である。また、変数ｎはレイヤiのn番目のスケーラブルID[i][n]を識別するインデックスであり０から15までの値をとる変数である。
【０１２３】
以上の構成のコンフォーマンス条件ＣＣ（ＣＣはＣＣ１からＣＣ３のいずれか）を満たす符号化データを復号する画像復号装置によれば、符号化データ内のスケーラブルＩＤの一意性が保障されているため、スケーラブルＩＤに基づいてレイヤを識別可能であるという効果を奏する。
【０１２４】
以上の構成のコンフォーマンス条件を満たす符号化データを復号する画像復号装置によれば、同じスケーラブルＩＤを備えるプライマリピクチャが複数存在する場合に、１つの補助ピクチャに対するプライマリピクチャがいずれであるのかが特定できないという課題を解決することができるという効果を奏する。
【０１２５】
（別の構成例）
なお、スケーラブルＩＤの一致を禁止する条件はレイヤセット単位にする別の構成も好適である。この構成では、補助ピクチャ情報復号手段（関連レイヤ導出手段）は、以下のコンフォーマンス条件（ＣＤ１）を満たす符号化データを復号する。
【０１２６】
レイヤセット（もしくは出力レイヤセット）に含まれる任意の２つのレイヤにおいて全てのスケーラブルＩＤが一致する場合を禁止する（ＣＤ１）
上記コンフォーマンス条件ＣＤ１は、以下のコンフォーマンス条件ＣＤ２〜ＣＤ３とも表現することができる。
【０１２７】
ＣＤ２：レイヤセット（もしくは出力レイヤセット）に含まれるレイヤiA(iA=0..MaxLayersMinus1)のn番目のスケーラブルID”ScalaibityID[iA][n]”（n=0,..,15）とレイヤiB（iA!=iB, iB=0..MaxLayersMinus1）のn番目のスケーラブルID”ScalabilityId[iB][n]”（n=0,..,15）の値は異なる。
【０１２８】
ＣＤ３：ScalabilityId[iA][n] != ScalabilityId[iB][n]
ここで、変数iAとiBはレイヤセット（もしくは出力レイヤセット）に含まれるレイヤを識別するレイヤインデックスであり、０からMaxLayersMinus1までの値をとり、iA!=iBを満たす変数である。また、変数ｎはレイヤiのn番目のスケーラブルID[i][n]を識別するインデックスであり０から15までの値をとる変数である。
【０１２９】
この場合、あるレイヤセット内では、スケーラブルＩＤによる一意性が保障されるため、スケーラブルＩＤによりレイヤセット内のレイヤを識別できる効果がある。逆に、あるレイヤセットと別のレイヤセットであれば、スケーラブルＩＤが一致する場合を許容するため、同じスケーラブルを備えるレイヤが符号化データに複数ある場合にも、一つの符号化データで送信可能であるという効果を奏する。例えば、サイマルキャストの場合など、同じ０のDependencyIdを有する（互いに独立であるので、依存関係はなくDependencyIdは０）である場合などで適当できる。
【０１３０】
この場合、補助ピクチャ情報復号手段は同じレイヤセット内で、補助ピクチャに対応するプライマリピクチャを導出することがさらに適当である。
【０１３１】
補助ピクチャ情報復号手段は、あるレイヤセットの補助ピクチャに対して、AuxIdが０であるプライマリピクチャの中で、AuxIdを示すj=3以外の全ての0から15までのjについて、スケーラブルＩＤ（ScalabilityId[ LayerIdxInVps[ nuhLayerIdA ] ][ j ]）が、ScalabilityId[ LayerIdxInVps[ nuhLayerIdB ] ][ j ]と一致する、１もしくはそれ以上の補助ピクチャと同じレイヤセットに含まれるピクチャを対応する(associateの)プライマリピクチャとする、という定義から、プライマリピクチャを特定する。
【０１３２】
以上の構成のコンフォーマンス条件（ＣＤ１）を満たす符号化データを復号し、レイヤセット内での補助ピクチャ、プライマリピクチャの対応関係を導出する画像復号装置によれば、図３２に示すように、複数の独立なレイヤセットが存在する場合（たとえばレイヤセット１、レイヤセット２）で、レイヤセット１、レイヤセット２でともにScalabileId[0]= ScalabileId[1]=0のプライマリピクチャと補助ピクチャが存在する場合、レイヤセット１の補助ピクチャが、レイヤセット２のプライマリピクチャと対応するような混乱を避けることができる効果を奏する。
【０１３３】
（シーケンスパラメータセット）
図１７(a)は、シーケンスパラメータセットSPSのシンタックス表の一例である。シーケンスパラメータセットSPSでは、対象シーケンスを復号するために画像復号装置１が参照する符号化パラメータの集合が規定されている。例えば、対象SPSが参照するアクティブVPSを表わすアクティブVPS識別子(sps_video_parameter_set_id)（図１７(a)上のSYNSPS01）、後述のピクチャパラメータセットや他のシンタックス要素が参照するSPSを識別するために用いるSPS識別子（sps_seq_parameter_set_id）（図１７(a)上のSYNSPS02）や、ピクチャの幅や高さが規定される。SPSは符号化データ内に複数存在してもよく、その場合には、対象シーケンス毎に復号に用いられるSPSが複数の候補から選択される。
【０１３４】
あるレイヤに属する特定シーケンスの復号に使用されるSPSは、アクティブSPSとも呼ばれる。以下では、特に断りがなければ、SPSは、あるレイヤに属する対象シーケンスに対するアクティブSPSを意味する。
【０１３５】
（ピクチャパラメータセット）
図１７(ｂ)は、ピクチャパラメータセットPPSのシンタックス表の一例である。ピクチャパラメータセットPPSでは、対象シーケンス内の各ピクチャを復号するために画像復号装置１が参照する符号化パラメータの集合が規定されている。例えば、対象PPSが参照するアクティブSPSを表わすアクティブSPS識別子(pps_seq_parameter_set_id)(図１７(b)のSYNPPS01)、後述のスライスヘッダや他のシンタックス要素が参照するPPSを識別するために用いるPPS識別子（pps_pic_parameter_set_id）(図１７(b)のSYNPPS02)や、ピクチャの復号に用いられる量子化幅の基準値（pic_init_qp_minus26）や重み付き予測の適用を示すフラグ（weighted_pred_flag）、スケーリングリスト（量子化マトリックス）が含まれる。なお、PPSは複数存在してもよく、その場合、対象シーケンス内の各ピクチャから複数のPPSの何れかを選択する。
【０１３６】
あるレイヤに属する特定ピクチャの復号に使用されるPPSはアクティブPPSと呼ばれる。以下では、特に断りがなければ、PPSは、あるレイヤに属する対象ピクチャに対するアクティブPPSを意味する。なお、アクティブSPS、及びアクティブPPSは、レイヤ毎に異なるSPSやPPSに設定してもよい。すなわち、レイヤ毎に異なるSPSやPPSを参照して復号処理を実行することができる。
【０１３７】
（ピクチャレイヤ）
ピクチャレイヤでは、処理対象のピクチャPICT（以下、対象ピクチャとも称する）を復号するために階層動画像復号装置１が参照するデータの集合が規定されている。ピクチャPICTは、図８（ｂ）に示すように、スライスS0〜SNS-1を含んでいる（NSはピクチャPICTに含まれるスライスの総数）。なお、以下、スライスS0〜SNS-1のそれぞれを区別する必要が無い場合、符号の添字を省略して記述することがある。また、以下に説明する階層符号化データＤＡＴＡに含まれるデータであって、添字を付している他のデータについても同様である。
【０１３８】
（スライスレイヤ）
スライスレイヤでは、処理対象のスライスS（対象スライスとも称する、スライスセグメント）を復号するために階層動画像復号装置１が参照するデータの集合が規定されている。スライスSは、図８（ｃ）に示すように、スライスヘッダSH、および、スライスデータSDATAを含んでいる。
【０１３９】
スライスヘッダSHには、対象スライスの復号方法を決定するために階層動画像復号装置１が参照する符号化パラメータ群が含まれる。図１７(d)は、スライスヘッダのシンタックス表の一例である。例えば、対象スライスを復号するために参照するPPS（アクティブPPS）を指定するアクティブPPS識別子（slice_pic_parameter_set_id）(図１７(d)のSYNSH02)が含まれる。なお、アクティブPPSが参照するSPSは、アクティブPPSに含まれるアクティブSPS識別子（pps_seq_parameter_set_id）により指定される。さらに、アクティブSPSが参照するVPS（アクティブVPS）は、アクティブSPSに含まれるアクティブVPS識別子（sps_video_parameter_set_id）により指定される。
【０１４０】
図９を例に、パラメータセットのアクティベートについて説明する。同図は、ヘッダ情報とアクセスユニット（AU）を構成する符号化データの参照関係を説明する。同図の例では、各AU内のレイヤL#K(K=Nmin.. Nmax)に属するピクチャを構成する各スライスは、参照すべきPPSを指定するアクティブPPS識別子をスライスヘッダ内に含んでおり、各スライスの復号開始時に該識別子によって復号に用いるPPS（アクティブPPS）を指定する（アクティベートするともいう）。なお、同一ピクチャ内のスライスが参照する各PPS, SPS, VPSの識別子は同一でなければならない。アクティベートされたPPSの中には、復号処理上参照すべきSPS（アクティブSPS）を指定するアクティブSPS識別子が含まれており、該識別子によって復号に用いるSPS（アクティブSPS）を指定する。同様に、アクティベートされたSPSの中には、各レイヤに属するシーケンスの復号処理上参照すべきVPS（アクティブVPS）を指定するアクティブVPS識別子が含まれており、該識別子によって復号に用いるVPS（アクティブVPS）を指定する。以上の手順により、各レイヤの符号化データの復号処理を実行するにあたって必要なパラメータセットが確定する。
【０１４１】
なお、各ヘッダ情報（スライスヘッダSH、PPS、SPS）が参照する上位のパラメータセットの識別子は、同図の例に限定されない。VPSであれば、VPS識別子k=0.. 15の中から選択されてよいし、SPSであれば、SPS識別子m=0.. 15の中から選択されてよいし、PPSであれば、PPS識別子n=0.. 63の中から選択されてよい。
【０１４２】
また、スライスタイプを指定するスライスタイプ指定情報（slice_type）は、スライスヘッダSHに含まれる符号化パラメータの一例である。
【０１４３】
スライスタイプ指定情報により指定可能なスライスタイプとしては、（１）符号化の際にイントラ予測のみを用いるＩスライス、（２）符号化の際に単方向予測、または、イントラ予測を用いるＰスライス、（３）符号化の際に単方向予測、双方向予測、または、イントラ予測を用いるＢスライスなどが挙げられる。
【０１４４】
（スライスデータレイヤ）
スライスデータレイヤでは、処理対象のスライスデータSDATAを復号するために階層動画像復号装置１が参照するデータの集合が規定されている。スライスデータSDATAは、図８（ｄ）に示すように、符号化ツリーブロック（CTB:Coded Tree Block）を含んでいる。CTB、スライスを構成する固定サイズ（例えば６４×６４）のブロックであり、最大符号化単位（LCU:Largest Cording Unit）と呼ぶこともある。
【０１４５】
（符号化ツリーレイヤ）
符号化ツリーレイヤは、図８（ｅ）に示すように、処理対象の符号化ツリーブロックを復号するために階層動画像復号装置１が参照するデータの集合が規定されている。符号化ツリーユニットは、再帰的な４分木分割により分割される。再帰的な４分木分割により得られる木構造のノードのことを符号化ツリー（coding tree）と称する。４分木の中間ノードは、符号化ツリーユニット（CTU:Coded Tree Unit）であり、符号化ツリーブロック自身も最上位のCTUとして規定される。CTUは、分割フラグ（split_flag）を含み、split_flagが１の場合には、４つの符号化ツリーユニットCTUに分割される。split_flagが０の場合には、符号化ツリーユニットCTUは４つの符号化ユニット(CU：Coded Unit)に分割される。符号化ユニットCUは符号化ツリーレイヤの末端ノードであり、このレイヤではこれ以上分割されない。符号化ユニットCUは、符号化処理の基本的な単位となる。
【０１４６】
なお、符号化ツリーユニットより復号される対象ピクチャ上の部分領域を符号化ツリーブロック（CTB: Coding Tree block）と呼ぶ。対象ピクチャの輝度成分である輝度ピクチャに対応するCTBは輝度CTBと呼ばれる。換言すると、CTUから復号される輝度ピクチャ上の部分領域は輝度CTBと呼ばれる。一方、CTUから復号される色差ピクチャに対応する部分領域は色差CTBと呼ばれる。一般に、画像の色フォーマットが決まっていれば、輝度CTBサイズと色差CTBサイズは相互に変換可能である。例えば、色フォーマットが4:2:2の場合は、色差CTBサイズは輝度CTBサイズの各半分である。以下の記載では、特に断りがなければ、CTBサイズとは輝度CTBサイズを意味する。また、CTUサイズは、CTUに対応する輝度CTBサイズである。
【０１４７】
（符号化ユニットレイヤ）
符号化ユニットレイヤは、図８（ｆ）に示すように、処理対象の符号化ユニットを復号するために階層動画像復号装置１が参照するデータの集合が規定されている。具体的には、符号化ユニットCU（coding unit）は、CUヘッダCUH、予測ツリー、変換ツリーから構成される。CUヘッダCUHでは、符号化ユニットが、イントラ予測を用いるユニットであるか、インター予測を用いるユニットであるかなどが規定される。符号化ユニットは、予測ツリー（prediction tree；PT）および変換ツリー（transform tree；TT）のルートとなる。なお、CUに対応するピクチャ上の領域は符号化ブロック（CB:Coding Block）と呼ばれる。輝度ピクチャ上のCBを輝度CB、色差ピクチャ上のCBを色差CBと呼ぶ。CUサイズ（符号化ノードのサイズ）とは、輝度CBサイズを意味する。
【０１４８】
（変換ツリー）
変換ツリー（以下、TTと略称する）は、符号化ユニットCUが１または複数の変換ブロックに分割され、各変換ブロックの位置とサイズとが規定される。別の表現でいえば、変換ブロックは、符号化ユニットCUを構成する１または複数の重複しない領域のことである。また、変換ツリーは、上述の分割より得られた１または複数の変換ブロックを含む。なお、CUに含まれる変換ツリーに関する情報、及び変換ツリーに包含される情報を、TT情報と呼ぶ。
【０１４９】
変換ツリーにおける分割には、符号化ユニットと同一のサイズの領域を変換ブロックとして割り付けるものと、上述したツリーブロックの分割と同様、再帰的な４分木分割によるものがある。変換処理は、この変換ブロックごとに行われる。以下、変換の単位である変換ブロックのことを、変換単位（transform unit；TU）とも称する。
【０１５０】
変換ツリーTTには、対象CUの各変換ブロックへの分割パターンを指定するTT分割情報SP_TT、及び量子化予測残差QD 1〜QD NT（NTは、対象CUに含まれる変換単位TUの総数）を含んでいる。
【０１５１】
TT分割情報SP_TTは、具体的には、対象CUに含まれる各変換ブロックの形状、および、対象CU内での位置を決定するための情報である。例えば、TT分割情報SP_TTは、対象ノードの分割を行うのか否かを示す情報（split_transform_unit_flag）と、その分割の深度を示す情報（trafoDepth）とから実現できる。
【０１５２】
各量子化予測残差QDは、階層動画像符号化装置２が以下の処理１〜３を、処理対象の変換ブロックである対象ブロックに施すことによって生成した符号化データである。
【０１５３】
処理１：符号化対象画像から予測画像を減算した予測残差を周波数変換（例えば、DCT変換（Discrete Cosine Transform）およびDST変換（Discrete Sine Transform）等）する；
処理２：処理１にて得られた変換係数を量子化する；
処理３：処理２にて量子化された変換係数を可変長符号化する；
なお、上述した量子化パラメータqpは、階層動画像符号化装置２が変換係数を量子化する際に用いた量子化ステップQPの大きさを表わす（QP＝２qp/6）。
【０１５４】
（予測ツリー）
予測ツリー（以下、PTと略称する）は、符号化ユニットCUが１または複数の予測ブロックに分割され、各予測ブロックの位置とサイズとが規定される。別の表現でいえば、予測ブロックは、符号化ユニットCUを構成する１または複数の重複しない領域である。また、予測ツリーは、上述の分割により得られた１または複数の予測ブロックを含む。なお、CUに含まれる予測ツリーに関する情報、及び予測ツリーに包含される情報を、PT情報と呼ぶ。
【０１５５】
予測処理は、この予測ブロックごとに行われる。以下、予測の単位である予測ブロックのことを、予測単位（prediction unit；PU）とも称する。
【０１５６】
予測ツリーにおける分割の種類は、イントラ予測の場合と、インター予測の場合との２つがある。イントラ予測とは、同一ピクチャ内の予測であり、インター予測とは、互いに異なるピクチャ間（例えば、表示時刻間、レイヤ画像間）で行われる予測処理を指す。すなわち、インター予測では、対象レイヤと同一レイヤの参照ピクチャ（レイヤ内参照ピクチャ）または、対象レイヤの参照レイヤ上の参照ピクチャ（レイヤ間参照ピクチャ）のいずれを参照ピクチャとして、参照ピクチャ上の復号画像から予測画像を生成する。
【０１５７】
イントラ予測の場合、分割方法は、２Ｎ×２Ｎ（符号化ユニットと同一サイズ）と、Ｎ×Ｎとがある。
【０１５８】
また、インター予測の場合、分割方法は、符号化データのpart_modeにより符号化され、２Ｎ×２Ｎ（符号化ユニットと同一サイズ）、２Ｎ×Ｎ、２Ｎ×ｎＵ、２Ｎ×ｎＤ、Ｎ×２Ｎ、ｎＬ×２Ｎ、ｎＲ×２Ｎ、および、Ｎ×Ｎなどがある。
【０１５９】
（予測パラメータ）
予測ユニットの予測画像は、予測ユニットに付随する予測パラメータによって導出される。予測パラメータには、イントラ予測の予測パラメータ、もしくはインター予測の予測パラメータがある。
【０１６０】
イントラ予測パラメータは、各イントラPUについてのイントラ予測（予測モード）を復元するためのパラメータである。予測モードを復元するためのパラメータには、MPM（Most Probable Mode、以下同様）に関するフラグであるmpm_flag、MPMを選択するためのインデクスであるmpm_idx、及び、MPM以外の予測モードを指定するためのインデクスであるrem_idxが含まれる。
【０１６１】
インター予測パラメータは、予測リスト利用フラグpredFlagL0、predFlagL1と、参照ピクチャインデックスrefIdxL0、refIdxL1と、ベクトルmvL0、mvL1から構成される。予測リスト利用フラグpredFlagL0、predFlagL1は、各々L0参照リスト、L1参照リストと呼ばれる参照ピクチャリストが用いられるか否かを示すフラグであり、値が１の場合に対応する参照ピクチャリストが用いられる。２つの参照ピクチャリストが用いられる場合、つまり、predFlagL0=1, predFlagL1=1の場合が、双予測に対応し、１つの参照ピクチャリストを用いる場合、すなわち(predFlagL0, predFlagL1) = (1, 0)もしくは(predFlagL0, predFlagL1) = (0, 1)の場合が単予測に対応する。
【０１６２】
（参照ピクチャリストの一例）
次に、参照ピクチャリストの一例について説明する。参照ピクチャリストとは、復号ピクチャバッファに記憶された参照ピクチャからなる列である。図１０ (a)は、参照ピクチャリストの一例を示す概念図である。参照ピクチャリストRPL0において、左右に一列に配列された５個の長方形は、それぞれ参照ピクチャを示す。左端から右へ順に示されている符号Ｐ１、Ｐ２、Ｑ０、Ｐ３、Ｐ４は、それぞれの参照ピクチャを示す符号である。同様に、参照ピクチャリストRPL1において、左端から右へ順に示されている符号Ｐ４、Ｐ３、Ｒ０、Ｐ２、Ｐ１は、それぞれの参照ピクチャを示す符号である。Ｐ１等のＰとは、対象レイヤＰを示し、そしてＱ０のＱとは、対象レイヤＰとは異なるレイヤＱを示す。同様に、Ｒ０のＲとは、対象レイヤＰ、及びレイヤＱとは異なるレイヤＲを示す。Ｐ、Ｑ及びＲの添字は、ピクチャ順序番号POC(Picture Ordering Count)を示す。refIdxL0の真下の下向きの矢印は、参照ピクチャインデックスrefIdxL0が、復号ピクチャバッファにおいて、参照ピクチャリストRPL0より参照ピクチャＱ０を参照するインデックスであることを示す。同様に、refIdxL1の真下の下向きの矢印は、参照ピクチャインデックスrefIdxL1が、復号ピクチャバッファにおいて、参照ピクチャリストRPL1より参照ピクチャＰ３を参照するインデックスであることを示す。
【０１６３】
（参照ピクチャの例）
次に、ベクトルを導出する際に用いる参照ピクチャの例について説明する。図１０ (b)は、参照ピクチャの例を示す概念図である。図１０ (b)において、横軸は表示時刻を示し、縦軸はレイヤ数を示す。図示されている、縦３行、横３列（計９個）の長方形は、それぞれピクチャを示す。９個の長方形のうち、下行の左から２列目の長方形は復号対象のピクチャ（対象ピクチャ）を示し、残りの８個の長方形がそれぞれ参照ピクチャを示す。対象ピクチャから下向きの矢印で示される参照ピクチャＱ２、及びＲ２は対象ピクチャと同じ表示時刻であってレイヤが異なるピクチャである。対象ピクチャcurPic(P2)を基準とするレイヤ間予測においては、参照ピクチャＱ２、またはＲ２が用いられる。対象ピクチャから左向きの矢印で示される参照ピクチャＰ１は、対象ピクチャと同じレイヤであって、過去のピクチャである。対象ピクチャから右向きの矢印で示される参照ピクチャＰ３は、対象ピクチャと同じレイヤであって、未来のピクチャである。対象ピクチャを基準とする動き予測においては、参照ピクチャＰ１又はＰ３が用いられる。
【０１６４】
（動きベクトルと変位ベクトル）
ベクトルmvLXには、動きベクトルと変位ベクトル（disparity vector、視差ベクトル）がある。動きベクトルとは、あるレイヤのある表示時刻でのピクチャにおけるブロックの位置と、異なる表示時刻（例えば、隣接する離散時刻）における同一のレイヤのピクチャにおける対応するブロックの位置との間の位置のずれを示すベクトルである。
【０１６５】
変位ベクトルとは、あるレイヤのある表示時刻でのピクチャにおけるブロックの位置と、同一の表示時刻における異なるレイヤのピクチャにおける対応するブロックの位置との間の位置のずれを示すベクトルである。異なるレイヤのピクチャとしては、同一解像度でかつ品質が異なるピクチャである場合、異なる視点のピクチャである場合、もしくは、異なる解像度のピクチャである場合などがある。特に、異なる視点のピクチャに対応する変位ベクトルを視差ベクトルと呼ぶ。
【０１６６】
〔階層動画像復号装置〕
以下では、本実施形態に係る階層動画像復号装置１の構成について、図１８〜図２１を参照して説明する。
【０１６７】
（階層動画像復号装置の構成）
本実施形態に係る階層動画像復号装置１の構成について説明する。図１８は、本実施形態に係る階層動画復号装置１の構成を示す概略図である。
【０１６８】
階層動画像復号装置１は、階層動画像符号化装置２から供給される階層符号化データＤＡＴＡを復号して、外部より供給される出力指定情報によって定まるターゲットセットTargetSetに含まれる各レイヤの復号ピクチャを生成し、出力レイヤの復号ピクチャを出力ピクチャＰＯＵＴ＃Ｔとして出力する。
【０１６９】
すなわち、階層動画像復号装置１は、出力指定情報が示す対象出力レイヤセットTargetOptLayerSetの復号に必要とするレイヤの構成を示す対象復号レイヤIDリストTargetDecLayerIdListの要素TargetDecLayerIdList [0].. TargetDecLayerIdList [N-1](Nはターゲットセットに含まれるレイヤ数)の順で、レイヤiのピクチャの符号化データを復号し、その復号ピクチャを生成し、該レイヤiの出力レイヤ情報OutputLayerFlag[i]が“出力レイヤ”を示す場合、該レイヤiの復号ピクチャを所定のタイミングに出力する。
【０１７０】
図１８に示すように階層動画像復号装置１は、NAL逆多重化部１１、及びターゲットセットピクチャ復号部１０を含んで構成される。さらに、ターゲットセットピクチャ復号部１０は、non-VCL復号部１２、パラメータメモリ１３、ピクチャ復号部１４、復号ピクチャ管理部１５、及び出力制御部１６を含んで構成される。また、NAL逆多重化部１１は、さらにビットストリーム抽出部１７を備える。
【０１７１】
階層符号化データＤＡＴＡには、VCLにより生成されたNALU(NAL Unit)の他に、パラメータセット（VPS、SPS、PPS）やSEI等を含むNALUが含まれる。それらのNALはVCL NALUに対して非VCL NALU(non-VCL NAL unit)と呼ばれる。
【０１７２】
出力制御部１６は、外部より供給される出力指定情報と、パラメータメモリ１３に保持されたアクティブVPSのシンタックス、及びシンタックスから導出されるパラメータに基づいて、出力制御情報を導出する。より具体的には、出力制御部１６は、出力指定情報に含まれる出力レイヤセットを特定する出力レイヤセット識別子TargetOLSIdx、及びパラメータメモリ１３に保持されたアクティブVPSのレイヤセット情報（レイヤセット）、及び出力レイヤセット情報（レイヤセット識別子および出力レイヤフラグ）に基づいて対象出力レイヤセットTargetOptLayerSetの出力レイヤのレイヤ構成を示す対象出力レイヤIDリストTargetOptLayerIdListを導出し、出力制御情報の一部として、復号ピクチャ管理部１５へ供給する。
【０１７３】
さらに、出力制御部１６は、出力指定情報に含まれる出力レイヤセット識別子TargetOLSIdx、及びパラメータメモリ１３に保持されたアクティブVPSのレイヤセット情報、及び出力レイヤセット情報、レイヤ間依存情報より導出される依存フラグ、及び出力制御部１６で導出される対象出力レイヤIDリストTargetOptLayerIdListに基づいて、非出力レイヤかつ非依存レイヤを除く、対象出力レイヤセットの復号に必要とするレイヤの構成を示す対象復号レイヤIDリストTargetDecLayerIdListを導出し、出力制御情報の一部として、ビットストリーム抽出部１７、及びターゲットセットピクチャ復号部１０へ供給する。なお、出力制御部１６における対象出力レイヤIDリスト、及び対象復号レイヤIDリストの導出処理の詳細については後述する。
【０１７４】
さらに、出力制御部１６は、出力指定情報に含まれる最高次サブレイヤ識別子HighestTIdと、パラメータメモリ１３に保持されたアクティブVPS又はアクティブSPSの最大サブレイヤ値に基づいて、対象出力レイヤセットの出力レイヤ最高次サブレイヤ識別子TargetOLSHighestTIdを導出し、ビットストリーム抽出部１７、及びターゲットセットピクチャ復号部１０へ供給する。
【０１７５】
NAL逆多重化部１１の備えるビットストリーム抽出部１７は、概略的には、ビットストリーム抽出処理を行い、階層符号化データＤＡＴＡから、出力制御部１６より供給された対象復号レイヤIDリスト、及び復号対象最高次サブレイヤ識別子TargetHighestTidによって定まる集合、ターゲットTargetSetに含まれるNALユニットから構成されるターゲットセット符号化データＤＡＴＡ＃Ｔ（BitstreamToDecode）を抽出する。なお、ビットストリーム抽出部１７における本発明との関連性の高い処理の詳細について後述する。
【０１７６】
続いて、NAL逆多重化部１１は、ビットストリーム抽出部１７より抽出されたターゲットセット符号化データＤＡＴＡ＃Ｔ（BitstreamToDecode）を逆多重化して、ＮＡＬユニットに含まれるNALユニットタイプ、レイヤ識別子（レイヤID）、テンポラル識別子（テンポラルID）を参照し、ターゲットセットに含まれるNALユニットを、ターゲットセットピクチャ復号部１０へ供給する。
【０１７７】
ターゲットセットピクチャ復号部１０は、供給されたターゲットセット符号化データＤＡＴＡ＃Ｔに含まれるNALUのうち、non-VCL NALUをnon-VCL復号部１２に、VCL NALUをピクチャ復号部１４にそれぞれ供給する。すなわち、ターゲットセットピクチャ復号部１０は、供給されたNALユニットのヘッダ（NALユニットヘッダ）を復号し、復号したNALユニットヘッダに含まれるNALユニットタイプ、レイヤ識別子、及びテンポラル識別子に基づいて、non-VCL NALUの符号化データをnon-VCL復号部１２へ、VCL NALUの符号化データをピクチャ復号部１４へ、復号したNALユニットタイプ、レイヤ識別子、及びテンポラル識別子と合わせて供給する。
【０１７８】
non-VCL復号部１２は、入力されるnon-VCL NALUからパラメータセット、すなわち、VPS、SPS、および、PPSを復号してパラメータメモリ１３に供給する。なお、non-VCL復号部１２における本発明との関連性の高い処理の詳細について後述する。
【０１７９】
パラメータメモリ１３は、復号されたパラメータセットを各パラメータセットの識別子毎に、パラメータセットの符号化パラメータを保持する。具体的には、VPSであれば、VPS識別子(video_parameter_set_id)毎に、VPSの符号化パラメータを保持する。SPSであれば、SPS識別子(sps_seq_parameter_set_id)毎に、SPSの符号化パラメータを保持する。PPSであれば、PPS識別子(pps_pic_parameter_set_id)毎に、PPSの符号化パラメータを保持する。なお、パラメータメモリ１３に保持される符号化パラメータには、各パラメータセットのレイヤ識別子、及びテンポラル識別子が含まれていてもよい。
【０１８０】
また、パラメータメモリ１３は、後述のピクチャ復号部１４が、ピクチャを復号するために参照するパラメータセット（アクティブパラメータセット）の符号化パラメータを、ピクチャ復号部１４へ供給する。具体的には、まず、ピクチャ復号部１４で復号されたスライスヘッダSHに含まれるアクティブPPS識別子(slice_pic_parameter_set_id)により、アクティブPPSが指定される。次に、指定されたアクティブPPSに含まれるアクティブSPS識別子（pps_seq_parameter_set_id）により、アクティブSPSが指定される。最後に、アクティブSPSに含まれるアクティブVPS識別子（sps_video_parameter_set_id）により、アクティブVPSが指定される。その後、指定されたアクティブPPS、アクティブSPS、アクティブVPSの符号化パラメータを、ピクチャ復号部１４へ供給する。また、パラメータメモリ１３は、同様に、出力制御部１６が出力制御情報を導出するために参照するアクティブパラメータセットの符号化パラメータを、出力制御部１６へ供給する。
【０１８１】
ピクチャ復号部１４は、入力されるVCL NALU、アクティブパラメータセット（アクティブPPS、アクティブSPS、アクティブVPS），及び参照ピクチャに基づいて復号ピクチャを生成して復号ピクチャ管理部１５へ供給する。供給された復号ピクチャは、復号ピクチャ管理部１５内のバッファに記録される。なお、ピクチャ復号部１４の詳細な説明は後述する。
【０１８２】
復号ピクチャ管理部１５は、入力される復号ピクチャを内部の復号ピクチャバッファ（DPB: Decoded Picture Buffer）に記録するとともに、参照ピクチャリスト生成や出力ピクチャ決定を行う。また、復号ピクチャ管理部１５は、DPBに記録されている復号ピクチャのうち、出力制御部１６により導出された対象出力レイヤIDリストTargetOptLayerIdListに含まれる出力レイヤの復号ピクチャを出力ピクチャＰＯＵＴ＃Ｔとして、所定のタイミングに外部に出力する。
【０１８３】
（non-VCL復号部１２）
non-VCL復号部１２は、入力されるターゲットセット符号化データから、ターゲットセットの復号に用いられるパラメータセット（VPS, SPS, PPS）を復号する。復号されたパラメータセットの符号化パラメータは、パラメータメモリ１３に供給され、各パラメータセットの有する識別子毎に記録される。なお、non-VCL復号部１２は、パラメータセットに限定されず、図６において、non-VCLに分類されるNALユニット(nal_unit_type=32.. 63）を復号してもよい。パラメータセットと同様に、復号されたnon-VCLの符号化パラメータは、パラメータメモリ１３において、各々記録される。
【０１８４】
一般に、パラメータセットの復号は既定のシンタックス表に基づいて実行される。すなわち、シンタックス表の定める手順に従って符号化データからビット列を読み出して、シンタックス表に含まれるシンタックスを復号する。また、必要に応じて、復号したシンタックスに基づいて導出した変数を導出して、出力するパラメータセットに含めてもよい。したがって、non-VCL復号部１２から出力されるパラメータセットは、符号化データに含まれるパラメータセット（VPS、SPS、PPS）に係るシンタックスおよび、該シンタックスより導出される変数の集合と表現することもできる。
【０１８５】
また、non-VCL復号部１２は、規定のシンタックス表に基づいてパラメータセット(VPS/SPS/PPS)を復号するパラメータセット復号手段１２１を含んで構成される。図１は、本実施形態の階層復号装置が備えるパラメータセット復号手段１２１の構成を示すブロック図である。パラメータセット復号手段１２１は、レイヤセット情報を復号するレイヤセット復号手段１２１１、レイヤ間依存情報を復号するレイヤ間依存情報復号手段１２２０（不図示）、各レイヤの最大サブレイヤ値を復号する最大サブレイヤ復号手段１２１２、出力レイヤセット情報を復号する出力レイヤセット情報復号手段１２１３、出力レイヤセットに対応するPTL情報を復号するPTL情報復号手段１２２１（不図示）、各出力レイヤの最大サブレイヤ値を導出する出力レイヤセット最大サブレイヤ導出手段１２１４、出力レイヤセットに対応DPB情報を復号するDPB情報復号手段１２１５、等を備える。  以下では、non-VCL復号部１２において復号に使用されるシンタックス表のうち、本発明との関連性が高いシンタックス表を中心に説明する。
【０１８６】
(レイヤセット情報) 
レイヤセット情報は、階層符号化データに含まれるレイヤセットを構成するレイヤの集合を表わすリスト（以下、レイヤIDリストLayerIdList）であり、レイヤセット情報復号手段１２１１によってVPSから復号される。レイヤセット情報には、VPS上に定義されるレイヤセットの数を示すシンタックス(vps_num_layer_sets_minus1) (図１１上のSYNPVS06)及び、VPS上のレイヤ定義の順番で、j番目のレイヤ(レイヤj)が、ｉ番目のレイヤセット(レイヤセットi)に含まれるか否かを示すシンタックス“layer_id_included_flag[i][j]”（SYNVPS07）が含まれている。レイヤセット数VpsNumLayerSetsは、(vps_num_layer_sets_minus1 + 1)に設定される。また、レイヤセットiは、シンタックス”layer_id_included_flag[i][j]”の値が１であるレイヤjから構成される。すなわち、レイヤセットｉを構成するレイヤjは、レイヤIDリストLayerIdList[i]に含まれる。
【０１８７】
また、レイヤセットiに含まれるレイヤ数NumLayersInIdList[i]は、シンタックス“layer_id_included_flag[i][j]”のうち、レイヤセットiに関して、該シンタックスの値が１であるフラグの個数から導出される。
【０１８８】
具体的には、レイヤセット情報復号手段１２１１は、各レイヤセットiのレイヤIDリストLayerIdList[i]、及びレイヤセットiに含まれるレイヤ数NumLayersInIdList[i]を、以下の疑似コードにより導出する。
【０１８９】
（各レイヤセットのレイヤIDリストの導出を示す疑似コード）
for( i = 0; i < VpsNumLayerSets; i++){
NumLayersInIdList[i] = 0;
for( m = 0; m  <=  vps_max_layer_id; m++ ){ 
if( layer_id_included_flag[ i ][ m ] ){
LayerIdList[ i ][ NumLayersInIdList[i] ] = m;
NumLayersInIdList[i]++;
}
} // end of loop on for(m=0; m<= vps_max_layer_id; m++)
}   // end of loop on for(i=0; i<VpsNumLayerSets; i++)
なお、上記疑似コードをステップで表わせば、次の通りである。
【０１９０】
（SA01）レイヤセットiのレイヤIDリストの導出に係るループの開始点である。ループの開始前に、変数iは０に初期化される。以下の繰り返し処理のループ変数は変数iであり、０から (NumLayerSets-1)の変数iに対して、SA0A2〜SA0Aに示す処理が実行される。
【０１９１】
（SA02）レイヤセットiのレイヤ数NumLayresInIdList[i]を０へ初期化する（すなわち、NumLayersInIdList[i] = 0;）。
【０１９２】
（SA03）レイヤセットiのレイヤIDリストへm番目のレイヤ(レイヤm)を要素追加に係るループの開始点である。ループの開始前に、変数mは０に初期化される。以下の繰り返し処理のループ変数は変数mであり、０から最大レイヤ識別子“vps_max_layer_id”の変数mに対して、SA04からSA06に示す処理が実行される。なお、最大レイヤ識別子“vps_max_layer_id”の代わりに、最大レイヤ数VpsMaxLayersを用いて、変数mが、最大レイヤ数VpsMaxLayers未満のときに、ループ内の処理が実行されるようにしてもよい。すなわち、for文の“m<=vps_max_layer_id”の判定式を“m<VpsMaxLayers”へ変更してもよい。
【０１９３】
（SA04）レイヤmがレイヤセットiに含まれるか否か（layer_id_included_flag[i][m]）を判定する。layer_id_included_flag[i][m]が１であれば、ステップSA05へ遷移する。layer_id_included_flag[i][m]が０であれば、ステップSA05〜SA06の処理を省略し、SA0Aへ遷移する。
【０１９４】
(SA05)レイヤセットiのレイヤIDリストLayerIdList[i][]のNumLayersInIdList[i]番目の要素へ、レイヤmを追加する（すなわち、LayerIdList[i][NumLayersInIdList[i]] = m;）。
【０１９５】
（SA06）レイヤセットiのレイヤ数NumLayersInIdList[i]の値を“１”加算する（すなわち、NumLayersInIdList[i]++;）。
【０１９６】
（SA0A）ステップSA03のループ終端である。
【０１９７】
（SA0B）ステップSA01のループ終端である。
【０１９８】
以上の手順により、各レイヤセットiのレイヤIDリストLayerIdList[i]を導出することができる。レイヤIDリストLayerIdList[]を参照することで、レイヤセットiで、m番目の要素であるレイヤが、全レイヤ(VPSで定義されるレイヤ)の中で、何番目のレイヤであるかを把握することができる。また、レイヤセットiに含まれるレイヤ数は、レイヤセットiのレイヤ数を表す変数NumLayerｓInIdList[i]を参照することで把握することができる。なお、導出の手順は、上記ステップに限定されず、実施可能な範囲で変更してもよい。
【０１９９】
（レイヤ間依存情報） 
レイヤ間依存情報には、直接依存フラグ“direct_dependency_flag[i][j]”(図１２のSYNVPS0C)が含まれる。レイヤ間依存情報は、レイヤ間依存情報復号手段により、例えば、VPS拡張データから復号される。
【０２００】
直接依存フラグdirect_dependency_flag[i][j]は、ｉ番目のレイヤ（以降、レイヤi）が、ｊ番目のレイヤ（以降、レイヤj）に直接的に依存しているか否かを示し、直接的に依存している場合に１の値、直接的に依存していない場合に０の値をとる。
【０２０１】
ここで、レイヤiがレイヤｊに直接的に依存している場合、レイヤiを対象レイヤとして復号処理を実行する場合に、レイヤjに関するパラメータセット、復号ピクチャや関連する復号済シンタックスが、対象レイヤにより直接的に参照される可能性があることを意味する。逆に、レイヤiがレイヤjに直接的に依存していない場合、レイヤiを対象レイヤとして復号処理を実行する場合に、レイヤjに関するパラメータセット、復号ピクチャや関連する復号済シンタックスが直接的に参照されないことを意味する。言い換えると、レイヤiのレイヤjに対する直接依存フラグdirect_dependency_flag[i][j]が１である場合、レイヤjはレイヤiの直接参照レイヤである。逆に、同フラグが０である場合、レイヤjはレイヤiの非直接参照レイヤである。
【０２０２】
レイヤ依存情報復号手段は、直接依存フラグ”direct_dependency_flag[i][j]”に基づいて、レイヤiのの直接参照レイヤのリスト（参照レイヤIDリストともいう）RefLayerId[][]、及びレイヤiの直接参照レイヤ数NumDirectRefLayers[]を導出する。ここで、参照レイヤIDリストRefLayerId[][]は２次元の配列であり、１次元目のインデックスは、対象レイヤ(レイヤi)のレイヤ識別子(layer_id_in_nuh [i])であり、２次元目のインデックスは、対象レイヤ(レイヤi)の参照レイヤIDリストの要素のインデックスである。ここで、layer_id_in_nuh []は、レイヤiのレイヤ識別子nuh_layer_idを導出するための配列である（以下同様）。
【０２０３】
（参照レイヤIDリスト、及び直接参照レイヤ数の導出）
参照レイヤIDリスト、及び直接参照レイヤ数の導出は以下の疑似コードにより実行される。
【０２０４】
for(i=0; i< VpsMaxLayers; i++){
iNuhLId = layer_id_in_nuh [i];
NumDirectRefLayers[iNuhLId] = 0;
for(j=0; j<i; j++){
if( direct_dependency_flag[i][j]){
RefLayerId[iNuhLId][NumDirectRefLayers[iNuhLId]] = layer_id_in_nuh[j];
NumDirectRefLayers[iNuhLId]++;
} 
} // end of loop on for(j=0; j<i; i++)
}  // end of loop on for(i=0; i< VpsMaxLayers ; i++)
なお、上記疑似コードをステップで表わせば、次の通りである。
【０２０５】
（SL01）レイヤiに関する参照レイヤIDリスト、及び直接参照レイヤ数の導出に係るループの開始点である。ループの開始前に、変数iは０に初期化される。ループ内の処理は、変数iがレイヤ数VpsMaxLayers 未満のときに実行され、ループ内の処理が１回実行される度に、変数iは“１”加算される。
【０２０６】
（SL02）変数iNuhLidに、レイヤiのレイヤ識別子layer_id_in_nuh[i]を設定する。さらに、レイヤ識別子layer_id_in_nuh[i]の直接参照レイヤ数NumDirectRefLyaers[iNuhLId]を０へ設定する。
【０２０７】
（SL03）レイヤiに関する参照レイヤIDリストへの要素追加(レイヤj)に係るループの開始点である。ループの開始前に、変数jは０に初期化される。ループ内の処理は、変数ｊ（レイヤj）がi未満（j<i）のときに実行され、ループ内の処理が１回実行される度に、変数jは“１”加算される。
【０２０８】
（SL04）レイヤｊがレイヤiの直接参照レイヤであるか、直接依存フラグ(direct_dependency_flag[i][j])に基づいて判定する。直接依存フラグが１（直接参照レイヤである）であれば、ステップSL05〜SL07の処理を実行するため、ステップSL05へ遷移する。直接依存フラグが０（非直接参照レイヤである）であれば、ステップSL05〜SL07の処理を省略し、SL0Aへ遷移する。
【０２０９】
（SL05）参照レイヤIDリストRefLayerId[iNuhLId][]のNumDirectRefLayers[iNuhLId]番目の要素へ、レイヤjのレイヤ識別子layer_id_in_nuh[j]を設定する。
すなわち、RefLayerId[iNuhLId][NumDirectRefLayers[iNuhLId]] = layer_id_in_nuh[j];
【０２１０】
（SL06）直接参照レイヤ数NumDirectRefLayers[iNuhLId]の値を“１”加算する。すなわち、NumDirectRefLayers[iNuhLId]++;
【０２１１】
（SL0A）レイヤiに関する参照レイヤIDリストへの要素追加(レイヤj) に係るループの終端である。
【０２１２】
（SL0B）レイヤiの参照レイヤIDリスト、及び直接参照レイヤ数の導出に係るループの終端である。
【０２１３】
なお、上記参照レイヤIDリスト、及び直接参照レイヤ数の導出手順は、上記ステップに限定されず、実施可能な範囲で変更してもよい。
【０２１４】
（PTL情報） 
PTL情報は、出力レイヤセットを復号するために必要とするプロファイル及びレベルを示す情報であり、PTL情報復号手段によってVPSまたはSPSから復号される。
【０２１５】
出力レイヤセットOLS#0に対応するPTL情報は、VPS上の図１１に示すSYNVPS04、又はSPS上の図１７(a)に示すSYN_SPS03において通知される。また、出力レイヤセットOLS#i(i=1.. NumOutputLayerSets-1)に対応するPTL情報は、VPS上で定義される”PTL情報の数−１”を示すシンタックス”vps_num_profile_tier_level_minus1”(図１２上のSYNVPS0D)、i番目(i=1…num_profile_tier_level_minus1)のPTL情報のプロファイル情報の有無を示プロファイル有無フラグ”vps_profile_present_flag[i]” (図１２上のSYNVPS0D)、及びi番目のPTL情報”profile_tier_level()” (図１２上のSYNVPS0F)からなる。
【０２１６】
各PTL情報は、後述の出力レイヤセットOLS#iに含まれるPTL指定識別子 (profile_level_tier_idx[i]) (図１２上のSYNVPS0J)によって、出力レイヤセットOLS#iと対応付けられる。
【０２１７】
なお、図１４に示すようにPTL情報(SYNVPS04及びSYNVPS0H)は、プロファイル及びレベルに関するシンタックス群(SYNPTL01、SYNPTL02、SYNPTL03、SYNPTL04、SYNPTL05、SYNPTL06)が含まれ、PTL情報復号手段によって復号される。
【０２１８】
シンタックス群SYNPTL01には下記シンタックスが含まれる。
・プロファイル空間general_profile_space
・ティアフラグgeneral_tier_flag
・プロファイル識別子general_profile_idc
・プロファイル互換フラグgeneral_profile_compatibility_flag[ i ]
・プロファイル予約シンタックスgeneral_reserved_zero_44bits
シンタックス群SYNPTL02は、レベル識別子general_level_idcが含まれる。
【０２１９】
シンタックス群SYNPTL03は、サブレイヤのサブレイヤプロファイル有無フラグ、およびサブレイヤレベル有無フラグを含む。
【０２２０】
シンタックス群SYNPTL04は、サブレイヤ数(MaxNumSbuLayersMinus1,またはMaxNumSubLayers-1)に基づいて定まるビット数分のバイトアラインデータ(reserved_zero_2bits[i])である。
【０２２１】
シンタックス群SYNPTL05には、下記シンタックスが含まれる。
・サブレイヤプロファイル空間sub_layer_profile_space[ i ]
・サブレイヤティアフラグsub_layer_tier_flag[ i ]
・サブレイヤプロファイル識別子sub_layer_profile_idc[ i ]
・サブレイヤプロファイル互換フラグsub_layer_profile_compatibility_flag[ i ][ j ]
・サブレイヤプロファイル予約シンタックスsub_layer_reserved_zero_44bits[ i ]
シンタックス群SYNPTL05には、サブレイヤのサブレイヤレベル情報として、サブレイヤレベル識別子sub_layer_level_idc[ i ]が含まれる。
【０２２２】
（最大サブレイヤ情報）
最大サブレイヤ復号手段１２１２は、符号化データからレイヤ単位で最大サブレイヤ値sub_layers_vps_max_minus1[]を復号する。具体的には、０から最大レイヤ数MaxLayersMinus1までの値ｉが示すレイヤｉについて、最大サブレイヤ値sub_layers_vps_max_minus1[ i ]を復号する。なお、最大サブレイヤ値は、本実施形態では最大のTIDから１を減じた値として、導出されるが、最大のTIDそのものを用いても良い。
【０２２３】
（出力レイヤセット情報） 
出力レイヤセット情報は、出力するレイヤの集合（出力レイヤ情報）と、レイヤの集合（レイヤセット情報）の組み合わせにより定義され、階層動画像復号装置の備える出力レイヤセット情報復号手段１２１３で復号される。階層動画像復号装置は、出力レイヤセット情報復号化手段で復号される出力レイヤセットに含まれるレイヤセット（出力レイヤセットに対応づけらるレイヤセット）に含まれるレイヤを復号対象とし、該レイヤの復号ピクチャを復号してバッファに記録し、出力レイヤセットに含まれる出力レイヤ情報を対象として、バッファに記録された特定のレイヤの復号ピクチャを選択して出力する。
【０２２４】
出力レイヤセット情報には、以下のシンタックス要素（Ｅ１〜Ｅ６）を含む。
【０２２５】
Ｅ１：追加出力レイヤセット数(num_add_output_layer_sets)(図１２上のSYNVPS0G)
Ｅ２：デフォルト出力レイヤ識別子(default_target_output_layer_idc)(図１２上のSYNVPS0H)
Ｅ３：レイヤセット識別子（output_layer_set_idx_minus1）(図１２上のSYNVPS0I)
Ｅ４：出力レイヤ情報（output_layer_flag）(図１２上のSYNVPS0J)
Ｅ５：代替出力レイヤフラグ(alt_output_layer_flag)(図１２上のSYNVPS0K)
Ｅ６：PTL指定識別子（profile_level_tier_idx）(図１２上のSYNVPS0M) 
本実施形態の出力レイヤセット情報復号手段１２１３は少なくとも出力レイヤセットのレイヤセット識別子（Ｅ３）と出力レイヤフラグ（Ｅ４）を復号する。
【０２２６】
（Ｅ１：追加出力レイヤセット）
出力レイヤセットは対応するレイヤセットと、レイヤセット内の出力レイヤの指定を組み合わせた情報である。出力レイヤセットに対応するレイヤセットとして、レイヤセット識別子により特定されるレイヤセットが利用できる。出力レイヤの指定には、出力レイヤ情報が利用できる。そのため、各出力レイヤセットは一つの関連するレイヤセットを有する。
【０２２７】
出力レイヤセットは、基本出力レイヤセットと追加出力レイヤセットに分類できる。出力レイヤセットが同じレイヤセットに関連付けられる場合、その中の１つを基本出力レイヤセット、同じレイヤセットの関連づけらる基本出力レイヤセット以外の出力レイヤセットが拡張出力レイヤセットである。本実施形態においては、VPSで復号される各レイヤセットに一つの対応する出力レイヤセットが基本出力レイヤセットとして導出される。本実施形態では、レイヤセット数をVpsNumLayerSetsとする場合、０〜VpsNumLayerSets-1の識別子の出力レイヤセットは、０〜VpsNumLayerSets-1の識別子のレイヤセットと１対１に対応する。これらを基本出力レイヤセットとする。VpsNumLayerSets以上の識別子に対応する出力レイヤセットは、基本出力レイヤセット以外の出力レイヤセットであるから、拡張出力レイヤセットである。
【０２２８】
追加レイヤセットは、基本出力レイヤセットに追加して定義される出力レイヤセットである。本実施形態では、追加出力レイヤセット数（num_add_output_layer_sets）がVPS拡張から復号されて、該追加出力レイヤセット数の個数の出力レイヤセットがVPS拡張から復号されるレイヤセット識別子と出力レイヤ情報に基づいて導出される。
【０２２９】
（Ｅ２：デフォルト出力レイヤ識別子）
デフォルト出力レイヤ識別子default_target_output_layer_idcは、出力レイヤセット（出力レイヤ情報）の導出処理を指定するシンタックス要素である。本実施形態の出力レイヤセット情報復号手段１２１３は、デフォルト出力レイヤ識別子を復号し、デフォルト出力レイヤ識別子の値に応じた処理により、出力レイヤ情報の復号制御または導出を実行する。
【０２３０】
（１）デフォルト出力レイヤ識別子＝０の場合：基本出力レイヤセットに対し後述の出力レイヤ情報（output_layer_flag[i][j]）の復号を省略し、各出力レイヤセットに含まれる全レイヤを出力レイヤとする。追加出力レイヤセットについては明示的に出力レイヤ情報（output_layer_flag）を復号し、該出力レイヤ情報に従って出力レイヤを設定する。
【０２３１】
（２）デフォルト出力レイヤ識別子＝１の場合：基本出力レイヤセットにおいて、各出力レイヤセットに含まれる最高次のレイヤ識別子を有するプライマリレイヤを出力レイヤとする。追加出力レイヤセットについては明示的に出力レイヤ情報（output_layer_flag）を復号し、該出力レイヤ情報に従って出力レイヤを設定する。
【０２３２】
（３）デフォルト出力レイヤ識別子＝２の場合：全ての出力レイヤセット（基本出力レイヤセットおよび追加出力レイヤセット）において、明示的に出力レイヤ情報（output_layer_flag）を復号し、該出力レイヤ情報に従って出力レイヤを設定する。
【０２３３】
なお、デフォルト出力レイヤ識別子の値のうち、３以上の値は将来の規格拡張のための予約値である。
【０２３４】
（Ｅ３：レイヤセット識別子）
レイヤセット識別子は出力レイヤセットに関連付けられるレイヤセットを特定する値である。本実施形態の出力レイヤセット情報復号手段１２１３は、シンタックス要素output_layer_set_idx_minus1[i]を復号し、該シンタックス要素値に１を加えた値を識別子iの出力レイヤセットに対するレイヤセット識別子として用いる。レイヤセット識別子が指すレイヤセット(LS#(output_layer_set_idx_minus１[i] + 1))は識別子iの出力レイヤセット（OLS#i）に関連付けられる。
【０２３５】
なお、出力レイヤセット情報復号手段１２１３は、符号化データに、出力レイヤセットOLS#iのレイヤセット識別子が存在しない場合（省略された場合）には、推定してもよい。例えば、出力レイヤセット識別子がiである基本出力レイヤセットの場合には、レイヤセット識別子を（i - 1）と推定する。なお、本実施形態において、レイヤセット識別子に係るシンタックス要素は、”レイヤセット識別子の値−１”で表現されるが、これに限定されず、”レイヤセット識別子の値”そのものでもよい。
【０２３６】
より具体的には、出力レイヤセット情報復号手段１２１３は、ｉで識別される出力レイヤセットのレイヤセット識別子LayerSetIdxForOutputLayerSet[ i ]を以下の擬似コードにより導出する。
【０２３７】
LayerSetIdxForOutputLayerSet[ i ] =  ( i <= vps_number_layer_sets_minus1 ) ? 
i : output_layer_set_idx_minus1[ i ] + 1
すなわち、値iが、レイヤセット数―１（vps_number_layer_sets_minus1）以下、すなわち、基本出力レイヤセットの場合には、LayerSetIdxForOutputLayerSet[ i ] = iとして導出し、それ以外の場合には、LayerSetIdxForOutputLayerSet[ i ] = output_layer_set_idx_minus1[ i ] + 1として導出する。
【０２３８】
（Ｅ４：出力レイヤ情報）
出力レイヤ情報は、出力レイヤセットに関連付けられるレイヤセットに含まれる各レイヤを出力対象レイヤとするかを示すフラグ（OutputLayerFlag[i][j]）の集合である。本実施形態の出力レイヤセット情報復号手段１２１３は、復号したシンタックス要素output_layer_flag[i][j]から、出力レイヤ情報OutputLayerFlag[i][j]を設定する。output_layer_flag[i][j]は、出力レイヤセットiに含まれるj番目のレイヤを出力対象レイヤとするか否かを表すフラグであって、値が真（１）の場合には出力対象レイヤとすることを示し、値が偽（０）の場合には出力対象レイヤとしないことを表す。
【０２３９】
なお、出力レイヤセット情報復号手段１２１３は、一部または全ての出力レイヤ情報の復号を省略し、推定、または、他のシンタックス要素の値に基づいた導出処理により出力レイヤ情報を決定してもよい。例えば、デフォルト出力レイヤ識別子(default_target_output_layer_idc)に基づいて、次の（１）〜（３）に示す何れかの導出処理を選択して、基本出力レイヤセットの出力レイヤ情報を決めてもよい。なお、ベースレイヤのみからなる出力レイヤセットOLS#0の出力レイヤ情報は、OutputLayerFlag[0][0]=１と推定してもよい。
【０２４０】
（１）デフォルト出力レイヤ識別子＝０の場合：出力レイヤセット情報復号手段１２１３は、以下の疑似コードに示すように、i=0..VpsNumLayerSets-1の基本出力レイヤセットに対して、全レイヤの出力レイヤフラグOutputLayerFlag[i][j]を１に推定する。ここで、変数LayerSetIdx[i]は、出力レイヤセットOLS#iに関連付けられたレイヤセットを示すレイヤセット識別子を表わし、(output_layer_set_idx_minus1[i] + 1)に設定されており、変数NumLayersInIdList[LayerSetIdx[i]]は、レイヤセットLS#(LayerSetIdx[i])に含まれるレイヤ数である（以下、同様）。
【０２４１】
for( j=0; j<NumLayersInIdList[LayerSetIdx[i]]; j++){
OutputLayerFlag[i][j] = 1;
}
【０２４２】
（２）デフォルト出力レイヤ識別子＝１の場合：出力レイヤセット情報復号手段１２１３は、i=0..vps_number_layer_sets_minus1の基本出力レイヤに対して、各出力レイヤセットに含まれる最高次レイヤ識別子を有するプライマリレイヤを出力レイヤとする。出力レイヤ情報(OutputLayerFlag)は、以下に示す疑似コードによって導出される。
【０２４３】
for( j=0; j<NumLayersInIdList[LayerSetIdx[i]]; j++){
if( レイヤjがLayerIdList[LayerSetIdx[i]]中にある最高次レイヤ識別子を有するプライマリレイヤである){ 
OutputLayerFlag[i][j] = 1;
} else{
OutputLayerFlag[i][j] = 0; 
}
}
なお、レイヤjがプライマリレイヤであるか否かは、レイヤjに関する次元IDを示すシンタックス”dimension_id[i][j]”から導出されるスケーラビリティID(ScalabilityId)と、図１３（ａ）上に示すスケーラビリティIDとスケーラビリティタイプ(Scalability Diemnsion)との対応表を参照して、同表のうち、“Auxiliary”の項目 (AuxId[j] = ScalabilityId[j][3]) の値によって決まる。すなわち、同項目の値が０である場合(AuxId[j]==0)、レイヤjがプライマリレイヤであることを示し、０より大きい場合（AuxId[j]>0）、レイヤjが補助レイヤ(あるいは、ＡＵＸレイヤ)であることを示す。なお、補助レイヤとは、プライマリレイヤに属するピクチャに対するデプスマップや、アルファチャネルなどの補助ピクチャを通知するためのレイヤである。
【０２４４】
（３）デフォルト出力レイヤ識別子＝２の場合：出力レイヤセット情報復号手段１２１３は、i=0を除くすべての出力レイヤセット（i=1.. NumOutputLayerSetsの出力レイヤセット）に対して、シンタックス要素output_layer_flag[i][j]を復号し、出力レイヤを導出する。すなわち、以下の疑似コードに示すように、出力レイヤセットOLS#iのj番目のレイヤjの出力レイヤ情報(OutputLayerFlag[i][j])に、シンタックス要素output_layer_flag[i][j]の値を設定する。
【０２４５】
for( j=0; j<NumLayersInIdList[LayerSetIdx[i]]; j++){
OutputLayerFlag[i][j] = output_layer_flag[i][j];
}
なお、出力レイヤセット情報復号手段１２１３は、導出された出力レイヤ情報(OutputLayerFlag)に基づいて、各出力レイヤセットOLS#i(i=0.. NumOutputLayerSets-1)の出力レイヤ数NumOptLayersInOLS[i]、及び最高次出力レイヤのレイヤ識別子OlsHighestOutputLayerId[i]を、以下に示す疑似コードによって導出してもよい。すなわち、出力レイヤセットOLS#iの出力レイヤ数NumOptLayersInOLS[i]は、レイヤjの出力レイヤフラグOutputLayerFlag[i][j]が”出力レイヤ”を示すフラグの個数である。また、最高次出力レイヤのレイヤ識別子は、出力レイヤセットOLS#iのレイヤIDリストLayerIdList[LayerSetIdx[i]][]の中で、OuputLayerFlag[i][]が１（真）である最高次レイヤのレイヤ識別子である。
【０２４６】
NumOptLayersInOLS[i] = 0;
for(j=0; j<NumLayersInIdList[LayerSetIdx[i]]; j++){
NumOptLayersInOLS[i] += OuputLayerFlag[i][j];
if (OuputLayerFlag[i][j]){
OlsHighestOutputLayerId[i] = LayerIdList[ LayerSetIdx[i] ][j];
}
}
【０２４７】
（Ｅ５：代替出力レイヤフラグ）
代替出力レイヤフラグは、代替レイヤ復号ピクチャ出力の適用可否を示す情報である。代替レイヤ復号ピクチャ出力の適用時には、出力レイヤ情報で指定されたレイヤの復号ピクチャが存在しない場合に、代替レイヤが設定されて該代替レイヤの復号ピクチャが代わりに出力される。本実施形態では、シンタックス要素値alt_output_layer_flag[i]が出力レイヤセットiに対する代替出力レイヤ情報である。alt_output_layer_flag[i]の値が真（１）の場合には、出力レイヤセットOLS#iの復号時に代替レイヤ復号ピクチャ出力が適用され、値が偽（０）の場合には、代替レイヤ復号ピクチャ出力が適用されない。
【０２４８】
出力レイヤセット情報復号手段１２１３は、例えば、次の条件（Ａ１）を満たす場合にシンタックス要素alt_output_layer_flag[i]を符号化データより復号し、代替出力レイヤフラグAltOutputLayerFlag[i]へ、alt_output_layer_flag[i]の値を設定する。
【０２４９】
（Ａ１）出力レイヤセットOLS#iのレイヤ数NumLayersInIdList[LayerSetIdxForOutputLayerSet[ i ]]−出力レイヤ数NumOptLayersInOLS[i]が０より大きい場合。
【０２５０】
出力レイヤセット情報復号手段１２１３は、シンタックス要素alt_output_layer_flag[i]を復号しない場合、該シンタックス要素の値を０であると推定し、代替レイヤ出力フラグAltOutputLayerFlag[i]に、代替レイヤ復号ピクチャ出力を適用しないことに対応する値を設定する。本実施形態においては、AltOutputLayerFlag[i]の値が０に設定される。
【０２５１】
図３１は、本実施形態に係る出力レイヤセット情報復号手段１２１３の代替レイヤ出力フラグalt_output_layer_flag[]の復号を説明するフローチャートである。（ＳＣ１０１）レイヤ数NumLayersInIdList[LayerSetIdxForOutputLayerSet[ i ]]−出力レイヤ数NumOptLayersInOLS[i]が０より大きいか否かを判定する。（ＳＣ１０２）上記条件がＹＥＳの場合、代替レイヤ出力フラグalt_output_layer_flag[]を符号化データから復号する。上記条件がＮＯの場合、代替レイヤ出力フラグalt_output_layer_flag[]を符号化データから復号せずに０を導出する。
【０２５２】
代替レイヤは、出力レイヤが無い場合に、他のレイヤを代替の出力レイヤとするものである。代替の出力レイヤを用意するためには、レイヤ数が２以上の場合である必要がある。また、全てのレイヤが出力レイヤの場合には、代替レイヤとしなくても出力レイヤであるため、代替レイヤを制御する必要はない。
【０２５３】
本実施形態の出力レイヤセット情報復号手段１２１３は、レイヤ数が出力レイヤ数よりも大きい場合のみに、代替レイヤ出力フラグalt_output_layer_flag[]を復号する。すなわち、出力レイヤセットに含まれる全てのレイヤが出力するを示す場合（レイヤ数と出力レイヤ数が等しい場合）に、代替レイヤ出力フラグalt_output_layer_flag[]を符号化データに含めずに０と復号するため、符号量を低減する効果を奏する。また、レイヤ数―出力レイヤ数＞０の条件は、レイヤ数＞出力レイヤ数と等価であり、出力レイヤ数の最小値は１であるから、レイヤ数＞１を満たす。すなわち、上記条件は、レイヤ数が２以上の場合である必要があるという条件も満たしており、レイヤ数が２個未満の場合に、代替レイヤ出力alt_output_layer_flag[]を符号化データに含めずに０と復号するため、符号量を低減する効果を奏する。
【０２５４】
（出力レイヤ最大サブレイヤ）
出力レイヤセット最大サブレイヤ導出手段１２１４は、出力レイヤ情報復号部１２１３で導出された出力レイヤについて、最大サブレイヤ復号部１２１２で導出された各出力レイヤに含まれるレイヤの最大サブレイヤ値から、出力レイヤ最大サブレイヤ値MaxSubLayersInLayerSetMinus1を導出する。
【０２５５】
出力レイヤセット最大サブレイヤ導出手段１２１４は、各出力レイヤセットｉに対し、出力レイヤセットに対応するレイヤセットに含まれるレイヤの内で、出力フラグOutputLayerFlag[i][j]が１であるレイヤｊの最大サブレイヤ値sub_layers_vps_max_minus1の最大値を、出力レイヤ最大サブレイヤ値MaxSubLayersInLayerSetMinus1[ i ]として導出する。
【０２５６】
具体的には、出力レイヤセット最大サブレイヤ導出手段１２１４は、変数ｉで示される出力レイヤｉの、レイヤセット識別子optLsIdx ）＝LayerSetIdxForOutputLayerSet[ i ]）で示されるレイヤセットが含むレイヤk（ここでｋは、０からレイヤセットの含むレイヤ数NumLayersInIdList[ optLsIdx ]までの値）が出力レイヤである、すなわち、OutputLayerFlag[i][k]が１である場合には、レイヤkの最大サブレイヤ値sub_layers_vps_max_minus1[ LayerIdxInVps[ lId ] ]の最大値を、出力レイヤ最大サブレイヤ値MaxSubLayersInLayerSetMinus1[ i ]として導出する。なお、出力レイヤセット最大サブレイヤ導出手段１２１４の処理を示す擬似コードは以下の通りである。
【０２５７】
for( i = 1; i < NumOutputLayerSets; i++ ) {
maxSLMinus1 = 0
optLsIdx = LayerSetIdxForOutputLayerSet[ i ]
for( k = 0; k < NumLayersInIdList[ optLsIdx ]; k++ ) {
lId = LayerSetLayerIdList[ optLsIdx ][ k ]
if (OutputLayerFlag[i][k])
maxSLMinus1 =Max( maxSLMinus1, sub_layers_vps_max_minus1[ LayerIdxInVps[ lId ] ] )
}
MaxSubLayersInLayerSetMinus1[ i ] = maxSLMinus1
}
ここで、optLsIdxはLayerSetIdxForOutputLayerSet[ i ]により導出されるアウトプットレイヤセットiのレイヤセット識別子、lldは、LayerSetLayerIdList[ optLsIdx ][ k ]に導出されるレイヤｋのレイヤＩＤである。
【０２５８】
図２３は、本実施形態のサブレイヤと出力レイヤの関係を示す図である。図２３では、出力レイヤセットとしてレイヤ０とレイヤ１が含まれ、レイヤ０の出力情報が出力しないことを示す０（OutputLayerLlag[0]=０）で、レイヤ１の出力フラグが出力することを示す１（OutputLayerLlag[0]=１）である例である。レイヤ０の最大出力レイヤ値sub_layers_vps_max_minus1[0]は２であり、レイヤ０はサブレイヤ０〜サブレイヤ２を有し、レイヤ１の最大サブレイヤ値sub_layers_vps_max_minus1[1]は１であり、レイヤ１はサブレイヤ０、サブレイヤ１を有す。この例は、レイヤ０が６０fps、レイヤ１が３０fpsの場合など、低いレイヤの方が高いフレームレートである場合に相当する。この場合、出力レイヤであるレイヤ１は、３０ｆｐｓ（最大サブレイヤ値＝１）であるから、レイヤ０を出力せず、レイヤ１のみを出力ｓるう場合には、６０ｆｐｓ相当のピクチャを復号する意味はない。従って、出力レイヤセットに含まれるレイヤの内、出力フラグが１であるもの（出力レイヤ）の中から最も大きい、最大サブレイヤ値（ここでは１）を、出力レイヤセットに対する符号化データを復号する際に必要となるサブレイヤを指定する。後述するようにDPB情報は、出力フラグが１のレイヤの最大サブレイヤ値sub_layers_vps_max_minus1から導出された出力レイヤ最大サブレイヤMaxSubLayersInLayerSetMinus1に対応するサブレイヤのDPB情報のみを復号すれば良い。また、後述するように、復号装置は、出力フラグが１のレイヤの最大サブレイヤ値sub_layers_vps_max_minus1から導出された出力レイヤ最大サブレイヤMaxSubLayersInLayerSetMinus1に対応するサブレイヤのみを（MaxSubLayersInLayerSetMinus1以下のサブレイヤ）のみを復号すれば良い。
【０２５９】
図２４は、出力レイヤセットに含まれるレイヤ数が２個の場合の出力レイヤセット最大サブレイヤ導出手段１２１４の動作を説明する図である。図２４（ａ）に示すように、最大サブレイヤ値が各々２と１（sub_layers_vps_max_minus1[0]=2、sub_layers_vps_max_minus1[1]=1）であるレイヤが含まれる場合に、出力レイヤセット最大サブレイヤ導出手段１２１４は２つの最大サブレイヤ値の最大値Max(sub_layers_vps_max_minus1[0], sub_layers_vps_max_minus1[1])から、出力レイヤ最大サブレイヤ値を導出するのではなく、出力レイヤフラグが１のレイヤの最大サブレイヤ値sub_layers_vps_max_minus1[0]のみから導出する。よって、得られる出力レイヤセット最大サブレイヤ値は１である。図２４（ａ）に示すように、出力レイヤフラグが２つのレイヤともに１である場合には、出力レイヤセット最大サブレイヤ導出手段１２１４は２つの最大サブレイヤ値の最大値Max(sub_layers_vps_max_minus1[0], sub_layers_vps_max_minus1[1])から、出力レイヤ最大サブレイヤ値を導出する。ここでは、最大サブレイヤ値が各々２と３（sub_layers_vps_max_minus1[0]=2、sub_layers_vps_max_minus1[1]=3）であるレイヤが含まれる場合であるので、得られる出力レイヤセット最大サブレイヤ値は３である。
【０２６０】
（DPB情報） 
DPB情報は、出力レイヤセットを復号するためにデコーダがバッファ（ＤＰＢ）で保持する復号ピクチャの最大サイズ等を示す情報であり、DPB情報復号手段１２１５によって、VPSまたはSPSから復号される。
【０２６１】
DPB情報復号手段１２１５は、出力レイヤセットｉに対する出力レイヤ最大サブレイヤ値以下のサブレイヤについて、出力レイヤのDPB情報を復号する。すなわち、変数iで示す出力レイヤについて、０から出力レイヤ最大サブレイヤ値MaxSubLayersInLayerSetMinus1[i]までのサブレイヤjに対応するDPB情報として、vps_max_dec_pic_buffering_minus1[i][j], vps_max_num_reorder_pics[i][j], vps_max_latency_increase_plus1[i][ j]を復号する。
【０２６２】
DPB情報復号手段１２１５は、出力レイヤセットOLS#0に対応するDPB情報を、符号化データに含まれるVPS上の図１５に示すシンタックスSYNDPB01〜SYNDPB04(vps_sub_layer_ordering_info_present_flag, vps_max_dec_pic_buffering_minus1[], vps_max_num_reorder_pics[], vps_max_latency_increase_plus1[])、又はSPS上で、前記シンタックスSYNDPB01〜SYNDPB04の”vps”を”sps”へ置き換えたシンタックスから復号する。なお、各シンタックスの意味は次の通りである。なお、以下のシンタックスで、先頭の”x”は、”vps”又は、”sps”のことである。
【０２６３】
x_sub_layer_ordering_info_present_flag:同フラグが１の場合、出力レイヤセットOLS#0の全てのサブレイヤにDPB情報(x_dec_pic_buffering_minus1[],x_max_num_reorder_pics[],x_max_latency_increase_plus1[])が存在することを示す。同フラグが０の場合、前記３種類のシンタクス配列のvps_max_sub_layers_minus1番目の値が全てのサブレイヤへ適用される。
【０２６４】
x_max_dec_pic_buffering_minus1 []：バッファ（DPB）に格納するピクチャ数の“最大要求数―１”を示す。
【０２６５】
x_max_num_reorder_pics[]：Ｂピクチャなどの階層構造でデコード順序と表示順序が異なる場合において、デコード順序で当該ピクチャに先行して、かつ表示順序で当該ピクチャに後続できる最大許容ピクチャ枚数を示す。
【０２６６】
x_max_latency_inclease_plus1[]：表示順序で、当該ピクチャに先行して、かつ、デコード順序で当該ピクチャに後続する最大ピクチャ枚数を示す変数x_MaxLatencyPictures[]の算出に用いられる値である。なお、変数x_MaxLatencyPictures[]＝(x_max_num_reorder_pics[] + x_max_vps_latency_increase_plus1[][] - 1)である。
【０２６７】
また、DPB情報復号手段１２１５は、出力レイヤセットOLS#i(i=1.. NumOutputLayerSets-1)に対応するDPB情報を符号化データに含まれるVPS上のSYNVPS0Mに示すDPB_SIZE() (図１６)において、図１６に示すシンタックスSYNDPB05〜SYNDPB10から復号する。なお、各シンタックスの意味は次の通りである。
【０２６８】
sub_layer_flag_info_present_flag[i](SYNDPB05):サブレイヤ情報有無フラグ [i]（同フラグ）が１の場合、出力レイヤセットOLS#iのサブレイヤDPB情報有無フラグ(sub_layer_dpb_info_present_flag[i][j])が符号化データに存在することを示す。同フラグが０の場合、サブレイヤDPB情報有無フラグが符号化データに存在せず、サブレイヤDPB情報有無フラグの値は０と推定される。
【０２６９】
sub_layer_dpb_info_prenset_flag[i][j](SYNDPB06)：配列[i][j]（同フラグ）が１の場合、サブレイヤjに関するmax_vps_dec_pic_buffering_minus1[i][k][j], max_vps_num_reorder_pics[i][k][j], max_vps_latency_increase_plus1[i][k][j])が存在することを示す。同フラグが０の場合、前記３種類のシンタクスは、サブレイヤ(j-1)のシンタックス配列の値と等しいと推定される。
【０２７０】
max_vps_dec_pic_buffering_minus1[i][k][j](SYNDPB07): 出力レイヤセットOLS#iにおいて、k番目のサブバッファ（sub-DPB）に格納するピクチャ数の“最大要求数―１”を示す。
【０２７１】
max_vps_layer_dec_pic_buiff_minus1[i][k][j] (SYNDPB08): 出力レイヤセットOLS#iにおいて、バッファ（DPB）に格納するk番目のレイヤのピクチャ数の“最大要求数―１”を示す。
【０２７２】
max_vps_num_reorder_pic[i][j] (SYNDPB09): 出力レイヤセットOLS#iにおいて、k番目のレイヤkにおいて、Ｂピクチャなどの階層構造でデコード順序と表示順序が異なる場合において、デコード順序で当該ピクチャに先行して、かつ表示順序で当該ピクチャに後続できる最大許容ピクチャ枚数を示す。
【０２７３】
max_vps_latency_increase_plus1[i][j] (SYNDPB10): 表示順序で、当該ピクチャに先行して、かつ、デコード順序で当該ピクチャに後続する最大ピクチャ枚数を示す変数MaxLatencyPictures[]の算出に用いられる値である。なお、変数MaxLatencyPictures[i][j]＝(max_vps_num_reorder_pics[i][j] + max_vps_latency_increase_plus1[i][j] - 1)である。
【０２７４】
なお、サブレイヤを示す変数ｊは０からMaxSubLayersInLayerSetMinus1[i]をとり、上述のシンタックス要素は、この範囲のサブレイヤに対して導出される。
【０２７５】
図２８は、本実施形態の階層動画像復号装置１の動作を示すフローチャートである。
（ＳＡ１００）階層動画像復号装置１の備える出力レイヤセット最大サブレイヤ導出手段１２１４により、各出力レイヤｉに対して、出力フラグOutputLayerFlag[i][j]が１であるレイヤjのサブレイヤ値sub_layers_vps_max_minus1[j]の最大値から出力レイヤの出力レイヤ最大サブレイヤ値MaxSubLayersInLayerSetMinus1[i]を導出する。
（ＳＡ１２１）DPB情報復号部１２１５は、出力レイヤの最大サブレイヤ数MaxSubLayersInLayerSetMinus1[i]以下のサブレイヤについて、DPB情報を復号する。
【０２７６】
図１６に示すように、変数ｉで示される出力レイヤセットについて、０からMaxSubLayersInLayerSetMinus1[i]までの変数ｊで示されるサブレイヤについて、sub_layer_dpb_info_present_flag[ i ][ j ]、max_vps_dec_pic_buffering_minus1[ i ][ k ][ j ]、max_vps_num_reorder_pics[ i ][ j ]、
max_vps_layer_dec_pic_buff_minus1[ i ][ k ][ j ]、max_vps_latency_increase_plus1[ i ][ j ]のDPB情報を復号する。
【０２７７】
以上の構成により、本実施形態のレイヤセット情報復号手段１２１１、最大サブレイヤ復号手段１２１２、出力レイヤセット情報復号手段１２１３、出力レイヤセット最大サブレイヤ導出手段１２１４、DPB情報復号手段１２１５を備える画像復号装置によれば、出力レイヤセットにおいて出力される（出力フラグOutputLayerFlag[i][j]）が１である、レイヤｊの最大サブレイヤ値sub_layers_vps_max_minus1[j]の最大値を用いて、出力レイヤ最大サブレイヤ値MaxSubLayersInLayerSetMinus1[i]を導出し、出力レイヤ最大サブレイヤ値MaxSubLayersInLayerSetMinus1[i]以下のサブレイヤについてのみDPB情報を復号する。これにより、実際に出力に必要であるサブレイヤのみにDPB情報が限定されることから、DPB情報の符号量を低減する効果を奏する。また、実際には使用されないサブレイヤのDPB情報を誤って符号化するような問題を防ぐ効果を奏する。
【０２７８】
（出力制御部１６）
出力制御部１６は、対象出力レイヤIDリストTargetOptLayerIdList[]、復号レイヤIDリスト及び最大出力レイヤサブレイヤ値TargetOLSHighestTIdを導出し、復号ピクチャ管理部１５に出力する。
【０２７９】
出力制御部１６は、外部より供給される出力指定情報である出力レイヤセット識別子TargetOLSIdx）と、レイヤセットLayerIdList[][]および出力レイヤフラグOutputLayerFlag[][]に基づいて、対象出力レイヤIDリストTargetOptLayerIdList[]を出力制御情報として導出する。なお、出力制御部１６が参照するアクティブパラメータセット（アクティブVPS）のシンタックス、及びシンタックスより導出される変数は、復号済であり、パラメータメモリ１３に格納されているものとする。なお、アクティブVPSを特定するために、アクティブVPS識別子を、出力指定情報に含めてもよい。
【０２８０】
まず、出力制御部１６は、出力指定情報に含まれる出力レイヤセット識別子TargetOLSIdxによって指定される出力レイヤセットOLS#TargetOLSIdxを処理対象として選択する。さらに、出力制御部１６は、以下の疑似コードによって対象出力レイヤIDリストTargetOptLayerIdList[]を導出する（出力レイヤIDリスト導出手段）。
【０２８１】
（TargetOptLayerIdListの導出を示す疑似コード）
for(k=0; j=0; j< NumLayersInIdList[ LayerSetIdx[ TargetOLSIdx ]]; j++){ //SA01
if( OutputLayerFlag[ TargetOLSIdx ][j] ){ //SA02
TargetOptLayerIdList[k] = LayerIdList[LayerSetIdx[ TargetOLSIdx ] ][j]; //SA03
k++; //SA04
}
} // end of loop //SA05
なお、上記疑似コードをステップで表わせば、次の通りである。
【０２８２】
（SA01）対象出力レイヤIDリストTargetOptLayerIdList[]の導出に係るループの開始点である。ループの開始前に、変数k、変数jは０に初期化される。以下の繰り返し処理のループ変数は変数jであり、出力制御部１６は、０から(NumLayersInIdList[ LayerSetIdx[ TargetOLSIdx] ]-1)の変数jに対して、SA02〜SA04に示す処理を実行する。
ここで、LayerSetIdx[ TargetOLSIdx]は、TargetOLSIdxが示すレイヤセット識別子であり、NumLayersInIdList[x]は、レイヤセット識別子xが示すレイヤセットのレイヤ数であるから、NumLayersInIdList[ LayerSetIdx[ TargetOLSIdx] ]は、対象出力レイヤセットOLS#(TargetOLSIdx)に関連付けられたレイヤセットLS#(LayerSetIdx[TargetOLSIdx])に含まれるレイヤ数である。
【０２８３】
（SA02）対象出力レイヤセットに含まれる各レイヤが出力レイヤであるか否かを判定する。具体的には、対象出力レイヤセットにおいて、変数jの示すレイヤの出力レイヤフラグOutputLayerFlag[ TargetOLSIdx ][j]が１（真）である場合（出力レイヤである）、ステップSA04へ遷移する。出力レイヤフラグOutputLayerFlag[ TargetOLSIdx ][j]が０（偽）である場合（出力レイヤでない）、ステップSA0Aへ遷移する。
【０２８４】
（SA03）対象出力レイヤセットの内、出力レイヤフラグが１（出力レイヤ）であるレイヤを、出力レイヤIDリストTargetOptLayerIdList[]として導出する。具体的には、出力レイヤセットOLS#(TargetOLSIdx)に関連付けられたレイヤセットLS#(LayerSetIdx[ TargetOLSIdx ])のｊ番目の要素を、出力レイヤセットOLS#(TargetOLSIdx)の出力レイヤIDリストTargetOptLayerIdList[]のk番目の要素へ追加する。すなわち、TargetOptLayerIdList[k] = LayerIdList[LayerSetIdx[ TargetOLSIdx ] ][j]; 
【０２８５】
（SA04)変数ｋに”１”加算する。
【０２８６】
（SA05）対象出力レイヤセットOLS#(TargetOLSIdx)のレイヤIDリストTargetOptLayerIdList[]、の導出に係るループの終端である。
【０２８７】
（復号レイヤIＤリスト導出）
さらに、出力制御部１６の備える図示しない復号レイヤIＤリスト導出手段は、対象出力レイヤIDリストTargetOptLayerIdList、パラメータメモリ１３に保持されたアクティブVPSのレイヤセットLayerIdList[][]、レイヤ間依存情報より導出される依存フラグに基づいて、対象出力レイヤセットの復号に必要とするレイヤの構成を示す対象復号レイヤIDリストTargetDecLayerIdList[]を導出する。導出されたTargetDecLayerIdList[]は、出力制御情報の一部として、ビットストリーム抽出部１７、及びターゲットセットピクチャ部１０へ供給する。
【０２８８】
復号レイヤIＤリスト導出手段は、対象復号レイヤIDリストを、例えば、以下の疑似コードによって導出される。
【０２８９】
（TargetDecLayerIdListの導出を示す疑似コード1）
for(i=0,j=0; j< NumLayersInIdList[ LayerSetIdx[ TargetOLSIdx ]]; j++){ //SB01
iNuhLId = layer_id_in_nuh[i]; //SB02
for(refLayerFlag=0, k=0; k< NumOptLayersInOLS[TargetOLSIdx]; k++){ //SB03
iOptLayerId = layer_id_in_nuh[( TargetOptLayerIdList[k] )]; //SB04
refLayerFlag = 
(refLayerFlag | recursiveRefLayerFlag[ iOptLayerId ][ iNuhLId ]); //SB05 
} //SB06
if( OutputLayerFlag[ TargetOLSIdx ][j] || refLayerFlag ){ //SB07
TargetDecLayerId[i] = LayerIdList[LayerSetIdx[ TargetOLSIdx ] ][j]; //SB08
i++; //SB09
}
} //SB10
なお、上記疑似コードをステップで表わせば、次の通りである。なお、各ステップ番号SB01.. SB10は、疑似コード、及び図１９に示す対象復号レイヤIDリストの導出に係るフロー図のステップ番号SB01.. SB10と対応する。
【０２９０】
（SB01）対象復号レイヤIDリストTargetDecLayerIdList[]の導出に係るループの開始点である。変数k、変数jは０に初期化される。以下の繰り返し処理のループ変数は変数jであり、復号レイヤIＤリスト導出手段は、は、０から(NumLayersInIdList[ LayerSetIdx[ TargetOLSIdx] ]-1)の変数jに対して、SB02〜SB08に示す処理を実行する。
【０２９１】
（SB02) 復号レイヤIＤリスト導出手段は、出力レイヤセットに含まれる変数jで識別されるレイヤ（以下、レイヤj）のレイヤ識別子を導出する。具体的には、出力レイヤセットOLS#(TargetOLSIdx)に関連付けられたレイヤセットLS#(LayerSetIdx[ TargetOLSIdx ])のｊ番目の要素（対象レイヤj）のレイヤ識別子を、変数iNuhLIdへ設定する。 
【０２９２】
（SB03）復号レイヤIＤリスト導出手段は、出力レイヤセットに関連付けられたレイヤセットのレイヤ（対象レイヤj）が、出力レイヤフラグが１のレイヤである対象出力レイヤTargetOptLayerIdList[k]の依存レイヤ(直接参照レイヤ、又は間接参照レイヤ)であるか否かを示すフラグrefLayerFlagをSB03〜SB05により導出する。
【０２９３】
復号レイヤIＤリスト導出手段は、対象出力レイヤTargetOptLayerIdList[k]に属する各々のレイヤ（以下、出力レイヤｋ）に対して、対象レイヤjが出力レイヤｋに依存するか否かを示す依存フラグrecursiveRefLayerFlag[出力レイヤkのレイヤＩＤ][対象レイヤjのレイヤＩＤ]を判定し、１つでも依存フラグrecursiveRefLayerFlag[][]が１のレイヤが存在すれば、対象レイヤj出力レイヤkの依存レイヤであるか否かを示す対象レイヤ依存フラグrefLayerFlagを１にする。
【０２９４】
SB03では、ループの開始前に、変数k、フラグrefLayerFlagを０に初期化する。ループ内の処理は、変数kが、出力レイヤ数“NumOptLayerIdList[TargetOptLayerIdx]”未満のときに実行され、ループ内の処理が１回実行される度に、変数kは“１”加算される。
【０２９５】
(SB04）変数iOptLayerIdへ、出力レイヤTargetOptLayerIdList[k]のレイヤ識別子を設定する。
【０２９６】
(SB05）フラグrefLayerFlagと、レイヤ識別子iOptLayerIdを有する出力レイヤTargetOptLayerIdList[k]に対するレイヤ識別子iNuhLIdを有する対象レイヤjの依存フラグrecursiveRefLayerFlagとの論理和の値を、フラグrefLayerFlagへ設定する。
【０２９７】
（SB06）ステップSB03のループ終端である。
【０２９８】
（SB07）復号レイヤIＤリスト導出手段は、対象レイヤjが出力レイヤであるか、又は対象出力レイヤセットTargetOptLayerSet内の出力レイヤの依存レイヤであるかを判定する。対象レイヤjの出力レイヤフラグOutputLayerFlag[TargetOLSIdx][j]が１（真）、又は対象レイヤjの対象レイヤ依存フラグrefLayerFlagが1（真）である場合、ステップSB08-SB09を実行する。
【０２９９】
（SB08）復号レイヤIＤリスト導出手段は、対象レイヤjが出力レイヤであるか、又は出力レイヤの依存レイヤである場合に、対象レイヤjを対象復号レイヤIDリストTargetDecLayerIdList[]として導出する。具体的には、対象復号レイヤIDリストTargetDecLayerIdList[]のi番目の要素へ、対象出力レイヤセットTargetOptLayerSetに関連付けられたレイヤセットLayerSetIdx[ TargetOLSIdx ]のj番目の要素を追加する。
【０３００】
上記処理では、非出力（出力レイヤフラグOutputLayerFlag[TargetOLSIdx][j]が０）かつ非依存（refLayerFlagが０）のレイヤは除外される。つまり、復号レイヤIＤリスト導出手段は、出力レイヤセットTargetOptLayerSetにおいて、非出力かつ非参照レイヤであるレイヤを除く、全てのレイヤ（出力レイヤ、又は依存レイヤ）を対象復号レイヤIDリストへ含める。
【０３０１】
（SB09）変数iへ”1”を加算する。
【０３０２】
（SB10）ステップSB01のループ終端である。
【０３０３】
なお、上記依存フラグの導出手順は、上記ステップに限定されず、実施可能な範囲で変更してもよい。例えば、ステップSB05において、フラグrefLayerFlagの値は、論理和の演算子’|’代わりに、和の演算子’+’としてもよい。
【０３０４】
なお、既に説明したように、対象出力レイヤIDリストTargetOptLayerIdListは、出力制御部１６のより出力レイヤフラグOutputLayerFlag[][]から導出される情報である。従って、全体とすれば、出力制御部１６は、出力レイヤセット識別子TargetOLSIdx、レイヤセットLayerIdList[][]、出力レイヤフラグOutputLayerFlag[][]および依存フラグrecursiveRefLayerFlagにより、対象復号レイヤIDリストを導出する。
【０３０５】
上記構成の出力制御部１６は、対象出力レイヤセットTargetOptLayerSetに関連づけられるレイヤセットの各レイヤが、対象出力レイヤセットの出力レイヤもしくは出力レイヤの依存レイヤであるかに応じて、復号対象とするレイヤである対象復号レイヤIDリストTargetDecLayerIdList[]を導出する。すなわち、出力制御部１６は、対象出力レイヤセットの出力レイヤの復号に必須でないレイヤ（非出力かつ非参照レイヤ）の復号は、対象復号レイヤIDリストTargetDecLayerIdList[]に含めない。これにより、ターゲットセットピクチャ復号部１０は、非出力かつ非参照レイヤの復号を省略することが可能である。また、同様に、上記構成の出力制御部１６は、対象出力レイヤセットの出力レイヤの復号に必須でない、非出力かつ非参照レイヤのレイヤ識別子を有するNALユニットを、対象復号レイヤIDリストTargetDecLayerIdListに含めないため、ビットストリーム抽出部１７ではこれらのレイヤが破棄される。
【０３０６】
なお、出力制御部１６において、指定された出力レイヤセットOLS#(TargetOLSIdx)が出力レイヤを有さない場合は、出力レイヤセットに含まれる、少なくとも１以上のレイヤを出力レイヤとして指定することが好ましい。例えば、出力レイヤセットに含まれる全レイヤ、あるは最高次レイヤ識別子を有するプライマリレイヤを出力レイヤと指定すればよい。
【０３０７】
（出力レイヤ最大サブレイヤ識別子TargetOLSHighestTIdの導出）
出力制御部１６は、出力指定情報に含まれる最高次サブレイヤ識別子（又は、最大サブレイヤ値HighestTIdともいう）と、パラメータメモリ１３に保持されたアクティブVPS又はアクティブSPSの最大サブレイヤ値に基づいて、対象出力レイヤの出力レイヤ最大サブレイヤ値TargetOLSHighestTIdを導出し、ビットストリーム抽出部１７、及びターゲットセットピクチャ復号部１０へ供給する。
【０３０８】
より具体的には、出力制御部１６は、外部より供給された最高次サブレイヤ識別子HighestTIdと、外部より供給される対象出力レイヤセット識別子TargetOlsIdxによっと特定される出力レイヤセットOLS#(TargetOlsIdx)の出力レイヤ最大サブレイヤ値MaxSubLayersInLayerSetMinus1[TargetOLSIdx]に基づいて、出力レイヤ最大サブレイヤ識別子TargetOLSHighestTIdを下記式(A1)によって導出する。
【０３０９】
TargetOLSHighestTId = CLIP(0, MaxSubLayersInLayerSetMinus1[TargetOLSIdx], HighestTId)      (A1)
ここで、演算子CLIP(X,Y,Z)は、ZがYより大きい場合（Z>Y）には、Yの値を返し、ZがXより小さい場合(Z<X)には、Xを返し、それ以外の場合(X<=Z<=Y)には、Zを返すクリップ処理である。
【０３１０】
すなわち、出力制御１６は、最高次サブレイヤ識別子HighestTIdが、出力レイヤ最大サブレイヤ値MaxSubLayersInLayerSetMinus1[TargetOLSIdx]の値より大きい場合、MaxSubLayersInLayerSetMinus1[TargetOLSIdx]の値を、出力レイヤ最大サブレイヤ識別子TargetOLSHighestTIdへ設定する。
【０３１１】
出力制御１６は、最高次サブレイヤ識別子HighestTIdが、０より小さい場合、０の値を、出力レイヤ最大サブレイヤ識別子TargetOLSHighestTIdへ設定する。
【０３１２】
それ以外の場合、すなわち、最高次サブレイヤ識別子HighestTIdが、出力レイヤ最大サブレイヤ値MaxSubLayersInLayerSetMinus1[TargetOLSIdx]の値以下かつ０以上の場合、最高次サブレイヤ識別子HighestTIdの値を、出力レイヤ最大サブレイヤ識別子TargetOLSHighestTIdへ設定する。
【０３１３】
以上、出力制御部１６は、外部より供給される最高次サブレイヤ識別子HighestTIdが、０〜出力レイヤ最大サブレイヤ値MaxSubLayersInLayerSetMinus1[TargetOLSIdx]の値を超えないように制限し、対象出力レイヤセットOLS#(TargetOLSIdx)の最高次サブレイヤTargetOLSHihgestTIdを導出する。
【０３１４】
なお、出力制御部１６は、対象出力レイヤセット識別子TargetOLSIdxが０の場合、すなわち、ベースレイヤのみからなるレイヤセットであり、かつ、ベースレイヤが出力レイヤである場合には、アクティブVPSから導出される出力レイヤ最大サブレイヤ値MaxSubLayersInLayerSetMinus1[0](=vps_max_sub_layers_minus1)の代わりに、アクティブSPSにある最大サブレイヤ値sps_max_sub_layers_minus1を代用してもよい。
【０３１５】
（ピクチャ復号部１４）
ピクチャ復号部１４は、入力されるVCL NALユニット、および、アクティブパラメータセットに基づいて復号ピクチャを生成して出力する。
【０３１６】
図２０を用いて、ピクチャ復号部１４の概略的構成を説明する。図２０は、ピクチャ復号部１４の概略的構成を示した機能ブロック図である。
【０３１７】
ピクチャ復号部１４は、スライスヘッダ復号部１４１、CTU復号部１４２を備えている。CTU復号部１４２は、さらに、予測残差復元部１４２１、予測画像生成部１４２２、及びCTU復号画像生成部１４２３を含んでいる。
【０３１８】
（スライスヘッダ復号部１４１）
スライスヘッダ復号部１４１は、入力されるVCL NALユニットとアクティブパラメータセットに基づいてスライスヘッダを復号する。復号したスライスヘッダは、入力されるVCL NALユニットと合わせてCTU復号部１４２に出力する。
【０３１９】
（ＣＴＵ復号部１４２）
ＣＴＵ復号部１４２は、概略的には、入力されるVCL NALユニットに含まれるスライスセグメント（スライスヘッダおよびスライスデータ）、及びアクティブパラメータセットに基づいて、ピクチャを構成するスライスに含まれる各CTUに対応する領域の復号画像を復号することで、スライスの復号画像を生成する。CTUの復号画像は、CTU復号部１４２内部の予測残差復元部１４２１、予測画像生成部１４２２、及びCTU復号画像生成部１４２３により生成される。
【０３２０】
予測残差復元部１４２１は、入力のスライスデータに含まれる予測残差情報（ＴＴ情報）を復号して対象CTUの予測残差を生成して出力する。
【０３２１】
予測画像生成部１４２２は、入力のスライスデータに含まれる予測情報（ＰＴ情報）の示す予測方法と予測パラメータに基づいて予測画像を生成して出力する。その際、必要に応じて、参照ピクチャの復号画像や符号化パラメータが利用される。例えば、インター予測、または、レイヤ間画像予測を使用する場合は、復号ピクチャ管理部１５より対応する参照ピクチャを読み出す。
【０３２２】
CTU復号画像生成部１４２３は、入力される予測画像と予測残差を加算して対象CTUの復号画像を生成して出力する。
【０３２３】
＜ピクチャ復号部１４の復号プロセス＞
以下、図２１を参照して、ピクチャ復号部１４における対象レイヤiのピクチャの復号の概略的な動作について説明する。図２１は、ピクチャ復号部１４における対象レイヤiのピクチャを構成するスライス単位の復号プロセスを示すフロー図である。
【０３２４】
（ＳＤ１０１）復号対象スライスの先頭スライスフラグ(first_slice_segment_in_pic_flag)(図１７（ｄ）のSYNSH01)を復号する。先頭スライスフラグが１の場合、復号対象スライスは、ピクチャ内の復号順（以降、処理順）で先頭スライスであり、復号対象スライスの先頭ＣＴＵのピクチャ内でのラスタスキャン順での位置（以降、ＣＴＵアドレス）を０に設定する。さらに、ピクチャ内の処理済みＣＴＵ数のカウンタnumCtb（以降、処理済CTU数numCtb）を０に設定する。先頭スライスフラグが０の場合、後述のＳＤ１０６で復号されるスライスアドレスに基づいて、復号対象スライスの先頭ＣＴＵアドレスを設定する。
【０３２５】
（ＳＤ１０２）復号対象スライスの復号時に参照するアクティブＰＰＳを指定するアクティブＰＰＳ識別子(slice_pic_paramter_set_id)(図１７（ｄ）のSYNSH02)を復号する。
【０３２６】
（ＳＤ１０４）アクティブパラメータセットをパラメータメモリ１３よりフェッチする。すなわち、復号対象スライスが参照するアクティブＰＰＳ識別子(slice_pic_parameter_set_id)と同一のＰＰＳ識別子(pps_pic_parameter_set_id)を有するＰＰＳをアクティブＰＰＳとし、パラメータメモリ１３から、アクティブＰＰＳの符号化パラメータをフェッチする（読み出す）。さらに、アクティブＰＰＳ内のアクティブＳＰＳ識別子(pps_seq_parameter_set_id)と同一のＳＰＳ識別子(sps_seq_parameter_set_id)を有するＳＰＳをアクティブＳＰＳとし、パラメータメモリ１３から、アクティブＳＰＳの符号化パラメータをフェッチする。さらに、アクティブＳＰＳ内のアクティブＶＰＳ識別子(sps_video_parameter_set_id)と同一のＶＰＳ識別子(vps_video_parameter_set_id)を有するＶＰＳをアクティブＶＰＳとし、パラメータメモリ１３から、アクティブＶＰＳの符号化パラメータをフェッチする。
【０３２７】
（ＳＤ１０５）復号対象スライスが、ピクチャ内の処理順で先頭スライスであるか否かを先頭スライスフラグに基づいて判定する。先頭スライスフラグが０の場合(SD105でYes)、ステップSD106へ遷移する。それ以外の場合(SD105でNo)、ステップSD106の処理をスキップする。なお、先頭スライスフラグが１の場合、復号対象スライスのスライスアドレスは０である。
【０３２８】
（ＳＤ１０６）復号対象スライスのスライスアドレス（slice_segment_address）(図１７(ｄ)のSYNSH03)を復号し、復号対象スライスの先頭ＣＴＵアドレスを設定する。例えば、先頭スライスＣＴＵアドレス＝slice_segment_addressである。
【０３２９】
（ＳＤ１０Ａ）ＣＴＵ復号部１４２は、入力されるスライスヘッダ、アクティブパラメータセット、及びVCL NALユニットに含まれるスライスデータ内の各ＣＴＵ情報(図１７(e)のSYNSD01)に基づいて、ピクチャを構成するスライスに含まれる各CTUに対応する領域のCTU復号画像を生成する。さらに、各CTU情報の後に、該CTUが復号対象スライスの終端であるかを示すスライス終端フラグ(end_of_slice_segment_flag)(図１７(e)のSYNSD2)。また、各CTUの復号後に、処理済CTU数numCtbの値を１加算する(numCtb++)。
【０３３０】
（ＳＤ１０Ｂ）該CTUが復号対象スライスの終端であるか否かをスライス終端フラグに基づいて判定する。スライス終端フラグが１の場合(SD10BでYes)、ステップSD10Cへ遷移する。それ以外の場合(SD10BでNo)、後続のCTU情報を復号するため、ステップSD10Aへ遷移する。
【０３３１】
（ＳＤ１０Ｃ）処理済CTU数numCtuが、ピクチャを構成するＣＴＵの総数(PicSizeInCtbsY)に達したか判定する。すなわち、numCtu==PicSizeInCtbsYであるか判定する。numCtuがPicSizeInCtbsYと等しい場合(SD10CでYes)、復号対象ピクチャを構成するスライス単位の復号処理を終了する。それ以外の場合（numCtu<PicSizeInCtbsY）（SD10CでNo）、復号対象ピクチャを構成するスライス単位の復号処理を継続するため、ステップSD101へ遷移する。
【０３３２】
以上、実施例１に係るピクチャ復号部１４の動作について説明したが、上記ステップに限定されず、実施可能な範囲で、ステップを変更しても構わない。
【０３３３】
（ビットストリーム抽出部１７） 
復号装置
ビットストリーム抽出部１７は、出力制御部１６より供給される出力制御情報（出力レイヤセットのうち、復号対象となるレイヤの構成を示す対象復号レイヤIDリストTargetDecLayerIdList、及び、及び対象最高次テンポラル識別子TargetHighestTidに基づいて、ビットストリーム抽出処理を行い、入力される階層符号化データＤＡＴＡから、対象最高次テンポラル識別子TargetHighestTid、及び対象復号レイヤIDリストTargetDecLayerIdListによって定まる集合（ターゲットセットTargetSetと呼ぶ）に含まれないNALユニットを除去（破棄）し、ターゲットセットTargetSetに含まれるNALユニットから構成される対象レイヤセット符号化データＤＡＴＡ＃Ｔ(BitstreamToDecode)を抽出し、出力する。
【０３３４】
より具体的には、上記ビットストリーム抽出部１７は、図示しないNALユニットヘッダを復号するNALユニット復号手段を備える。
【０３３５】
（ビットストリーム抽出処理）
以下、図２２を参照して、本実施例に係るビットストリーム抽出部１７の概略的な動作について説明する。図２２は、ビットストリーム抽出部１７におけるアクセスユニット単位のビットストリーム抽出処理を示すフロー図である。
【０３３６】
(SG101)ビットストリーム抽出部１７は、図５（ｂ）に示すシンタックス表に従って、供給された対象NALユニットのNALユニットヘッダを復号する。すなわち、NALユニットタイプ(nal_unit_type)、レイヤ識別子(nuh_layer_id)、及びテンポラル識別子(nuh_temporal_id_plus1)を復号する。なお、対象NALユニットのレイヤ識別子nuhLayerIdは、“nuh_layer_id”に設定され、対象NALユニットのテンポラル識別子temporalIdは、“nuh_temporal_id_plus1 - 1”に設定される。
【０３３７】
(SG102)対象NALユニットのレイヤ識別子、テンポラル識別子がターゲットセットTargetSetに含まれるか否かを、対象復号レイヤIDリストTargetDecLayerIdList、及び対象最高次テンポラル識別子に基づいて判定する。より具体的には、以下の(C1)〜（C2）の条件のうち、少なくとも何れかの条件が偽である場合(SG102でNo)、ステップSG103へ遷移する。それ以外（（C1）、(C2)ともに真）の場合(SG102でYes)、ステップSG103を省略する。
【０３３８】
（C1）「対象復号レイヤIDリストTargetDecLayerIdListに、対象NALユニットのレイヤ識別子と同一の値がある」場合、真と判定し、それ以外の場合（対象復号レイヤIDリストTargetDecLayerIdListに、対象NALユニットのレイヤ識別子と同一の値がない）、偽と判定する。
【０３３９】
（C2）「対象NALユニットのテンポラル識別子が対象最高次テンポラル識別子TargetHighestTid以下である」場合、真と判定し、それ以外の場合（対象NALユニットのテンポラル識別子が対象最高次テンポラル識別子TargetHighestTidより大きい）、偽と判定する。
【０３４０】
(SG103)対象NALユニットを破棄する。すなわち、対象NALユニットは、ターゲットセットTargetSetに含まれないため、ビットストリーム抽出部１７は、入力された階層符号化データＤＡＴＡから、対象NALユニットを除去する。
【０３４１】
(SG10A)同一アクセスユニット内に、未処理のNALユニットがあるか判定する。未処理のNALユニットがある場合（SG10AでNo）、対象アクセスユニットを構成するNALユニット単位のビットストリーム抽出を継続するため、ステップSG101へ遷移する。それ以外の場合（SG10AでYes）、ステップSG10Bへ遷移する。
【０３４２】
(SG10B)入力された階層符号化データＤＡＴＡに、対象アクセスユニットの次のアクセスユニットがあるか判定する。次のアクセスユニットがある場合(SG10BでYes)、次のアクセスユニットの処理を継続するため、ステップSG101へ遷移する。次のアクセスユニットがない場合（SG10BでNo）、ビットストリーム抽出処理を終了する。
【０３４３】
（対象最高次テンポラル識別子TargetHighestTidの設定範囲）
出力制御部１６は、対象出力レイヤセットの出力レイヤの復号に必須でない、非出力・非参照レイヤのレイヤ識別子を有するNALユニットを破棄するように、ビットストリーム抽出部１７へ指示する。
【０３４４】
階層動画像復号装置１は、出力レイヤ最大サブレイヤ値MaxSubLayersInLayerSetMinus1[]以下の値を有する対象最高次テンポラル識別子TargetHighestTidを定める。すなわち、対象最高次テンポラル識別子TargetHighestTidの設定範囲を０以上、出力レイヤ最大サブレイヤ値MaxSubLayersInLayerSetMinus1[i]以下に限定する。
【０３４５】
階層動画像復号装置１の備えるビットストリーム抽出部１７は、出力制御部１６より供給される対象復号レイヤIDリストTargetDecLayerIdList、及び、上記復号対象とする最高次のサブレイヤを指定する対象最高次テンポラル識別子TargetHighestTidによって定まるターゲットセットTargetSetに含まれないNALユニットを除去（破棄）し、ターゲットセットTargetSetに含まれるＮＡＬユニットから構成されるターゲットセット符号化データＤＡＴＡ＃Ｔ(BitstreamToDecode)を抽出する。
【０３４６】
図２９は、本実施形態の階層動画像復号装置１の動作を示すフローチャートである。
（ＳＡ１００）階層動画像復号装置１の備える出力レイヤセット最大サブレイヤ導出手段１２１４により、各出力レイヤｉに対して、出力フラグOutputLayerFlag[i][j]が１であるレイヤjのサブレイヤ値sub_layers_vps_max_minus1[j]の最大値から出力レイヤの出力レイヤ最大サブレイヤ値MaxSubLayersInLayerSetMinus1[i]を導出する。
（ＳＡ１０２）階層動画像復号装置１は、０以上、出力レイヤ最大サブレイヤ値MaxSubLayersInLayerSetMinus1[i]以下の対象最高次テンポラル識別子TargetHighestTidを定める。
（ＳＡ１０３）階層動画像復号装置１の備えるビットストリーム抽出部１７は、対象最高次テンポラル識別子TargetHighestTidより大きい、NonVCLサブレイヤを符号化データから除去する。
【０３４７】
本実施形態の出力レイヤセット最大サブレイヤ導出手段１２１４を備える階層動画像復号装置によれば、出力レイヤセットにおいて出力される（出力フラグOutputLayerFlag[i][j]）が１である、レイヤｊの最大サブレイヤ値sub_layers_vps_max_minus1[j]の最大値を用いて、出力レイヤ最大サブレイヤ値MaxSubLayersInLayerSetMinus1[i]を導出し、出力レイヤ最大サブレイヤ値MaxSubLayersInLayerSetMinus1[i]以下のサブレイヤを最高次テンポラル識別子TargetHighestTidとして、符号化データを復号する。上記構成によれば、最高次テンポラル識別子TargetHighestTidとして、出力レイヤ最大サブレイヤ値MaxSubLayersInLayerSetMinus1[i]より大きい値が指定されることがなく、出力レイヤ最大サブレイヤ値MaxSubLayersInLayerSetMinus1[i]より大きいサブレイヤは常に、ビットストリーム抽出部１７により除去される。従って、実際に出力に必要であるサブレイヤのみが復号されることから、復号の処理量を低減する効果を奏する。
【０３４８】
なお、本実施形態の階層動画像復号装置１は、出力レイヤセット最大サブレイヤ導出手段１２１４で導出した出力レイヤ最大サブレイヤ値MaxSubLayersInLayerSetMinus1[i]に応じてＤＰＢを復号し、さらに、出力レイヤ最大サブレイヤ値MaxSubLayersInLayerSetMinus1[i]に応じて最高次テンポラル識別子TargetHighestTidを定めても構わない。
【０３４９】
図３０は、本実施形態の階層動画像復号装置１の動作を示すフローチャートである。
（ＳＡ１００）階層動画像復号装置１の備える出力レイヤセット最大サブレイヤ導出手段１２１４により、各出力レイヤｉに対して、出力フラグOutputLayerFlag[i][j]が１であるレイヤjのサブレイヤ値sub_layers_vps_max_minus1[j]の最大値から出力レイヤの出力レイヤ最大サブレイヤ値MaxSubLayersInLayerSetMinus1[i]を導出する。
（ＳＡ１０１）DPB情報復号部１２１５は、出力レイヤの最大サブレイヤ数MaxSubLayersInLayerSetMinus1[i]以下のサブレイヤについて、DPB情報を復号
（ＳＡ１０２）階層動画像復号装置１は、０以上、出力レイヤ最大サブレイヤ値MaxSubLayersInLayerSetMinus1[i]以下の対象最高次テンポラル識別子TargetHighestTidを定める。
（ＳＡ１０３）階層動画像復号装置１の備えるビットストリーム抽出部１７は、対象最高次テンポラル識別子TargetHighestTidより大きい、NonVCLサブレイヤを符号化データから除去する。
【０３５０】
なお、図２３を再度用いて、本実施形態の効果を再度、説明する。図２３の例では、出力レイヤ最大サブレイヤ値MaxSubLayersInLayerSetMinus1[i] は、出力レイヤの最大サブレイヤ値sub_layers_vps_max_minus1[j]である１と導出され、本実施形態の階層動画像復号装置１では、対象最高次テンポラル識別子TargetHighestTidが０から１に限定される。この場合、TargetHighestTidが０および１より大きいサブレイヤ、つまり、TID=２のサブレイヤは、ビットストリーム抽出部１７に除去されるため、出力に関係ないサブレイヤを復号することがないという効果を奏する。
【０３５１】
ここで、図２３を再度用いて、本実施形態の構成とは異なり、仮に、出力レイヤ最大サブレイヤ値MaxSubLayersInLayerSetMinus1[i]以下に対象最高次テンポラル識別子TargetHighestTidを限定しない場合について、生じる課題を説明する。仮に対象最高次テンポラル識別子TargetHighestTidが０から１に限定されず２が指定可能となる場合を想定してみる。この場合、TargetHighestTid＝２が指定される場合、TID=２のサブレイヤがビットストリーム抽出部１７で除去されないため、出力に関係ないサブレイヤを復号され処理量が増加する。さらに代替出力フラグalt_output_layer_flagが１の場合には、以下の課題が生じる。代替出力フラグalt_output_layer_flagが１の場合には、出力レイヤであるレイヤ１が出力できない間、代替レイヤとしてレイヤ０が出力される。この場合において、TargetHighestTid＝２が指定可能であれば、レイヤ０はＴＩＤ＝２まで復号され、レイヤ１はＴＩＤ＝１まで復号されるため、代替レイヤとしてレイヤ０が出力される間だけ、ＴＩＤ＝２となりフレームレートが高い状況が発生する。すなわち、代替出力が行われるか否かで出力フレームレートが異なってしまうという課題が生じる。また、代替出力フラグalt_output_layer_flagが１の場合には、代替出力が行われる可能性を考慮して、レイヤ０のＴＩＤ＝２まで常に復号する必要があるという課題が生じる。
【０３５２】
（パラメータセット復号手段１２１の変形例（パラメータセット復号手段１２１Ａ））
図３５〜図３７を参照して、上記non-VCL復号部１２が備えるパラメータセット復号手段１２１の変形例（パラメータセット復号手段１２１Ａ）について説明する。
【０３５３】
また、non-VCL復号部１２は、規定のシンタックス表に基づいてパラメータセット(VPS/SPS/PPS)を復号するパラメータセット復号手段１２１Ａを含んで構成される。図３５は、本実施形態の階層復号装置が備えるパラメータセット復号手段１２１Ａの構成を示すブロック図である。パラメータセット復号手段１２１Ａは、レイヤセット情報を復号するレイヤセット復号手段１２１１、レイヤ間依存情報を復号するレイヤ間依存情報復号手段１２２０、出力レイヤセット情報を復号する出力レイヤセット情報復号手段１２１３、出力レイヤセットに対応するPTL情報を復号するPTL情報復号手段１２２１、各レイヤのスケーラブル識別子（ScalabilityID）及び補助ピクチャレイヤID（AuxID）を復号するスケーラブル識別子復号手段１２２２、及び補助ピクチャレイヤ（AuxID>0であるレイヤ）に対応する（関連付けられる）プライマリピクチャレイヤ（AuxID=0であるレイヤ）を導出する関連レイヤ導出手段１２２３、参照レイヤのピクチャ上の画素と対応する対象レイヤのピクチャ上の画素との位置関係を示すレイヤ間位置情報を復号するレイヤ間位置情報復号手段１２２４や、ピクチャの画像サイズ等を示すピクチャ情報を復号するピクチャ情報復号手段１２２５等を備える。なお、パラメータセット復号手段１２１とパラメータセット復号手段１２１Ａにおいて、共通の構成要素については、同一の符号を付し、説明を省略する。
【０３５４】
（スケーラブル識別子復号手段１２２２）
スケーラブル識別子復号手段１２２２は、入力される対象レイヤ符号化データから、レイヤ単位に割り当てられるスケーラブル識別子（ScalabilityId）を復号する。スケーラブル識別子ScalabilityIdは、レイヤ間でレイヤの性質を区別するためのＩＤであり、１つのレイヤに対して複数の次元のスケーラブルＩＤを有することができる。以下のレイヤi、次元目のスケーラブルＩＤは符号化データのdimension_id[i][j]から導出される。次元は、0から15までをとる。
【０３５５】
図１３（ｃ）は、ＶＰＳ拡張の符号化データの構成を示すシンタックステーブルの一例である。スケーラブル識別子復号手段１２２２は、符号化データから分離フラグsplitting_flag、スケーラブルマスクフラグscalability_mask_flag、次元ＩＤ長dimension_id_len_minus1、dimension_id、次元ＩＤdimension_idを復号する。splitting_flagは、dimension_idの符号化位置（符号化方法）を示す。splitting_flagが１の場合には、dimension_idは、ＶＰＳ拡張において明示的に符号化させず、NALユニットヘッダから導出される。splitting_flagが０の場合には、dimension_idはＶＰＳ拡張で符号化される。scalability_mask_flag[j]は、インデックスjで示される次元ＩＤが用いられるか否かを示す。スケーラブル識別子復号手段１２２２は、scalability_mask_flag[j]が１である次元の数NumScalabilityTypesを導出する。scalability_mask_flag[j]が０の場合には対応するインデックスjのdimension_id[i][j]は復号されないdimension_id_len_minus1は、インデックスjのdimension_id[i][j]のビット長―１を示す。スケーラブル識別子復号手段１２２２は、splitting_flagが０の場合には、レイヤのインデックスi、次元のインデックスjの次元ＩＤdimension_id[i][j]を復号する。
【０３５６】
図１３（ｂ）は、スケーラブル識別子ScalabilityIdの導出方法を示す擬似コードである。スケーラブル識別子復号手段は、レイヤインデックス0から最大レイヤ数―１MaxLayersMinus1までのインデックスiについて、次元ＩＤdimension_id[i][j]からスケーラブル識別子ScalabilityId[i][smIdx]を導出する。具体的には、図１３（ｂ）のSPEP1において、次元を示す変数smIdxのスケーラブルマスクscalability_mask_flag[smIdx]が真(１)の場合に、j番目のdimension_id[i][j]を、ScalabilityId[i][smIdx]に設定する。jは、ScalabilityId[i][smIdx]に設定する度に１だけインクリメントされる。
【０３５７】
なお、符号化データにスケーラブル識別子ScalabilityId[i][smIdx]に対応するdimension_idが含まれない場合には、ScalabilityId[i][smIdx]を０とすれば良い。すなわち、スケーラブル識別子復号手段１２２２は、インデックスsmIdxのスケーラブルマスクscalability_mask_flag[smIdx]が０の場合には、ScalabilityId[ i ][ smIdx ]=0とする。
【０３５８】
さらに、スケーラブル識別子復号手段１２２２は、図１３（ｂ）のSPEP2において、各レイヤインデックスiについて、図１３（ｂ）のSPTEP1において導出されたスケーラブル識別子scalabilityId[ i ][ 0 ]、ScalabilityId[ i ][ 1 ]、ScalabilityId[ i ][ 2 ]、ScalabilityId[ i ][ 3 ]を各々、デプスＩＤDepthId[ lId ]、ビューオーダーＩＤViewOrderIdx[ lId ]、依存ＩＤDependencyId[ lId ]、補助ピクチャＩＤAuxId[ lId ]へ設定して導出する。
【０３５９】
なお、次元ＩＤとスケーラブルＩＤの種類の関係は、上述の図１３（ｂ）に限定されず、別の対応関係でも良い。例えば、ScalabilityId[ i ][ 0 ]、ScalabilityId[ i ][ 1 ]、ScalabilityId[ i ][ 1 ]を各々、ViewOrderIdx[ lId ]、DependencyId[ lId ]、AuxId[ lId ]、DepthId[ lId ]にマッピングしても良い。この場合には、ScalabilityI[i][3]ではなく、ScalabilityI[i][2]からAuxIdが導出される。
【０３６０】
デプスＩＤDepthId[lld]は、テクスチャかデプスを示し、０がテクスチャ、１がデプスに対応する。
【０３６１】
ビューオーダーＩＤViewOrderIdx[lld]は、視点の順序を示す。視点の順序は、カメラの位置に対応している必要はない。また、ビューオーダーＩＤとは別にビューＩＤを定めることもできる。
【０３６２】
依存ＩＤDependencyId[0]は、SNRスケーラビリティや空間スケーラビリティの階層を示すＩＤであり、例えばベースレイヤ、ベースレイヤを参照するエンハンスレイヤ１、エンハンスメントレイヤ１を参照するエンハンスメント２から、レイヤが構成される場合には、各々０、１、２の値をとる。
【０３６３】
補助ピクチャレイヤＩＤAuxId[lld ]は、プライマリピクチャと補助ピクチャレイヤの識別、及び、補助ピクチャの種類の識別に用いられる。０がプライマリピクチャ、０以外が補助ピクチャに対応する。また、１、２は各々、アルファピクチャ、デプスピクチャであることを示す。なお、補助ピクチャＩＤとしてさらに２以上の値を用いることもできる。
【０３６４】
（関連レイヤ導出手段１２２３）
関連レイヤ導出手段１２２３は、スケーラブル識別子に基づいて、補助ピクチャを有するレイヤiに対応する（関連付けられる）０以上のプライマリピクチャを有するレイヤjを特定する。ここで、プライマリピクチャは、AuxId[]（ここではScalabilityI[i][3]）が０である（AuxId[]==0）レイヤのピクチャである。プライマリピクチャを有するピクチャをプライマリピクチャレイヤとも称する。逆に、補助ピクチャは、AuxId[]（ここではScalabilityI[i][3]）が１以上であるレイヤのピクチャである。補助ピクチャを有するレイヤを、補助ピクチャレイヤとも称する。なお、補助ピクチャレイヤと対応する（関連付けられる）プライマリピクチャを関連プライマリピクチャと称する。すなわち、関連レイヤ導出手段１２２３は、スケーラブル識別子に基づいて、ある補助ピクチャレイヤiに対して、０以上の関連プライマイリピクチャレイヤを特定する（導出する）といえる。または、関連レイヤ導出手段１２２２３は、スケーラブル識別子に基づいて、あるレイヤ識別子を有する補助ピクチャに対して、０以上の互いに異なるレイヤ識別子を有する関連プライマリピクチャを特定するともいえる。
【０３６５】
より具体的には、関連レイヤ導出手段１２２３は、レイヤ識別子nuhLayerIdAを有する補助ピクチャに対して、レイヤ識別子nuhLayerIdBを有するプライマリピクチャの中で、補助ピクチャＩＤAuxIdを示すj=3を除く、0から2及び4から15までの全てのjについて、補助ピクチャのスケーラブル識別子ScalabilityId [ LayerIdxInVps[ nuhLayerIdA ] ][ j ]と等しいスケーラブル識別子ScalabilityId[ LayerIdxInVps[ nuhLayerIdB ] ][ j ]を有するプライマリピクチャを、関連プライマリピクチャとする。なお、上記表現は、関連レイヤ導出手段１２２３は、レイヤ識別子nuhLayerIdAを有する補助ピクチャレイヤに対して、レイヤ識別子nuhLayerIdBを有するプライマリピクチャレイヤの中で、補助ピクチャＩＤAuxIdを示すj=3を除く、0から2及び4から15までの全てのjについて、補助ピクチャレイヤのスケーラブル識別子ScalabilityId [ LayerIdxInVps[ nuhLayerIdA ] ][ j ]と等しいスケーラブル識別子ScalabilityId[ LayerIdxInVps[ nuhLayerIdB ] ][ j ]を有するプライマリピクチャレイヤを、関連プライマリピクチャレイヤとも表現することができる。ここで、配列LayerIdxInVps[]は、レイヤ識別子nuh_layer_idを添え字として、対応するレイヤのレイヤインデックスが格納されている配列である。例えば、レイヤ識別子nuh_layer_id=nuhLayerIdAと対応するレイヤのレイヤインデックスは、LayerIdxInVps[nuhLayerIdA]である（以降も同様）。
【０３６６】
なお、関連レイヤ導出手段手段１２２３は、プライマリピクチャに対応する補助ピクチャを、関連補助ピクチャとして導出してもよい。すなわち、レイヤ識別子nuhLayerIdAを有するプライマリピクチャに対して、レイヤ識別子nuhLayerIdBを有する補助ピクチャの中で、補助ピクチャＩＤAuxIdを示すj=3を除く、0から2及び4から15までの全てのjについて、プライマリピクチャのスケーラブル識別子ScalabilityId [ LayerIdxInVps[ nuhLayerIdA ] ][ j ]と等しいスケーラブル識別子ScalabilityId[ LayerIdxInVps[ nuhLayerIdB ] ][ j ]を有する補助ピクチャを、関連補助ピクチャとする。
【０３６７】
以下では、あるレイヤ識別子nuhLayerIdAの補助ピクチャレイヤに対する関連プライマリピクチャレイヤのレイヤIDリスト(関連レイヤIDリストと呼ぶ)をAssociatedLayerIdList[nuhLayerIdA][]、及び関連レイヤ数NumAssociatedLayers[nuhLayerIdA]、及び関連レイヤフラグAssociatedLayerFlag[nuhLayerIdA][]とすれば、関連レイヤ導出手段１２２３は、以下の疑似コードを実行することによって、関連レイヤIDリストAssociatedLayerIdList[nuhLayerIdA][]、及び関連レイヤ数NumAssociatedLayers、関連レイヤフラグAssociatedLayerFlag[nuhLayerIdA][]を導出することができる。ここで、関連レイヤIDリストAssociatedLayerIdList[X][Y]の１番目の配列の添え字Xは、レイヤ識別子であり、２番目の配列の添え字Yは、レイヤ識別子nuhLayerIdAのレイヤに対するY番目の関連レイヤを表わし、AssociatedLayerIdList[X][Y]には、Y番目の関連レイヤのレイヤ識別子が格納される。
【０３６８】
また、関連レイヤ数NumAssociatedLayers[nuhLayerIdA]は、レイヤ識別子nuhLayerIdAに対する関連レイヤの総数である。また、関連レイヤフラグAssociatedLayerFlag[X][Y]は、レイヤXに対して、レイヤYが関連レイヤであるかを示すフラグが格納される。レイヤXに対して、レイヤYが関連レイヤであれば、真（１）、関連レイヤでなければ、偽（０）が格納される。
【０３６９】
（疑似コード）
for(i=0; i< VpsMaxLayers; j++){ //SB01
iNuhLId = layer_id_in_nuh[i]; //SB02
if( AuxID[iNuhLId]>0 ){       //SB03
for(j=0; j< VpsMaxLayers; j++){ //SB04
iTagetLId = layer_id_in_nuh[j]; //SB05
if( 関連付け条件Ｘを満たす){ // SB06
AssociatedLayerIdList[ iNuhLId ][ NumAssociatedLayers ] = iTargetLId; 
NumAssociatedLayers ++; 
AssociatedLayerFlag[ iNuhLId ][ iTargetLId ] = true; // SB07
}
} // SB0A
} 
} // SB0B
上記疑似コードをステップで表わせば、次の通りである。なお、各ステップ番号SB01.. SB0Aは、疑似コード中のステップ番号SB01.. SB0Bと対応する。なお、以下の疑似コード実行前に、予め、関連レイヤIDリストAssociatedLayerIdList[][]の各要素は、関連レイヤが無いこと示す例外値（例えば、−１など）に初期化済であり、関連レイヤ数NumAssociatedLayers[]の各要素は０に初期化済であり、関連レイヤフラグAssociatedLayerFlag[][]の各要素は、偽（０）へ初期化済であるものとする。
【０３７０】
(SB01)ループの開始点である。変数iは０に初期化される。以下の繰り返し処理のループ変数は変数iであり、0から(VpsMaxLayers-１)の変数jに対して、SB02〜SB0Bに示す処理が実行される。
【０３７１】
(SB02)レイヤiのレイヤ識別子layer_id_in_nuh[j]を変数iNuhLIdへ設定する。 
【０３７２】
(SB03)レイヤiが補助ピクチャであるかをAuxId[iNuhLId]＞０を満たすかに基づいて判定する。AuxId[iNuhLId]＞０の場合（補助ピクチャである）、ステップSB04へ遷移する。AuxId[iNuhLId]＝０場合（プライマリピクチャである）、ステップSB04〜SB0Aの処理をスキップする。
【０３７３】
(SB04)ループの開始点である。変数jは０初期化される。以下の繰り返し処理のループ変数は、変数ｊであり、0〜(VpsMaxLayers-1)の変数jに対して、SB05〜SB0Aに示す処理が実行される。
【０３７４】
(SB05)変数iTagetLIdへ、レイヤkのレイヤ識別子nuh_layer_id[k]を設定する。
【０３７５】
(SB06)レイヤ識別子iTagetLIdのレイヤに関して、関連付け条件Ｘを満たすか判定する。関連付け条件Ｘを満たす場合、ステップSB07に遷移する。関連付け条件Ｘを満たさない場合、ステップSB07の処理をスキップする。関連付け条件Ｘを満たすとは、具体的には、下記条件（Ｃ１）〜（Ｃ３）の全ての条件が真の場合である。逆に関連付け条件Ｘを満たさないとは、下記条件（Ｃ１）〜（Ｃ３）の何れかが偽の場合である。
【０３７６】
条件（Ｃ１）レイヤiとレイヤjは互いに異なるレイヤである（i!=j）。
【０３７７】
条件（Ｃ２）レイヤｊはプライマリピクチャである（AuxID[iTargetLId]==0）。
【０３７８】
条件（Ｃ３）AuxIdを示すXを除く、0からX-1、Xから15までの変数kについて、レイヤi（補助ピクチャレイヤ）のスケーラブル識別子scalabilityId[i][k]とレイヤj（プライマリピクチャレイヤ）のスケーラブル識別子scalabilityId[j][k]が等しい。ここで、Xは、例えば3である。
【０３７９】
(SB07）関連付け条件Xを満たす場合、レイヤj（プライマイリピクチャレイヤ）をレイヤi(補助ピクチャレイヤ)に対する関連プライマリピクチャとする。すなわち、
・レイヤjレイヤ識別子iTargetLId(=nuh_layer_id[j])を、関連レイヤIDリストAsscoiatedLayerIdList[iNuhLID][]のNumAssociatedLayers[iNuhLId]番目の要素として追加する（AssociatedLayerIdList[iNuhLId][NumAsscoiatedLayers[iNuhLId]] = iTargetLId）。
・関連レイヤ数NumAssociatedLayers[iNuhLId]へ“１”を加算する（NumAssociatedLayers[iNuhLId]++）。
・レイヤiに対するレイヤｊの関連レイヤフラグへtrue（真）を設定する（AssociatedLayerFlag[i][j]=true)。
【０３８０】
(SB0A）ステップSB04のループ終端である。
【０３８１】
(SB0B）ステップSB01のループ終端である。
【０３８２】
なお、上記導出手順は、上記ステップに限定されず、実施可能な範囲で変更してもよい。例えば、関連レイヤＩＤリスト、及び関連レイヤ数の導出を省略し、関連レイヤフラグのみ導出してもよい。また、関連レイヤフラグの導出を省略し、関連レイヤＩＤリスト、及び関連レイヤ数を導出してもよい。また、関連レイヤＩＤリストAssociatedLayerIdList[][]の１次元目の配列の添え字や、配列の要素に格納する値は、レイヤ識別子の代わりに、レイヤインデックスであってもよい。また、関連レイヤフラグAssociatedLayerFlag[][]の１次元目、２次元目の配列の添え字は、レイヤインデックスの代わりに、レイヤ識別子としてもよい。
【０３８３】
以上の構成によれば、関連レイヤ導出手段１２２３は、レイヤ識別子nuhLayerIdAである補助ピクチャ（レイヤ）に対する、関連プライマリピクチャ（レイヤ）のレイヤ識別子（及びレイヤインデックス）を、関連レイヤＩＤリストAsscoiatedLayerIdList[nuhLayerIdA][]に格納されたレイヤ識別子（レイヤインデックス）を参照することで、特定することが可能となる。
【０３８４】
また、関連レイヤ導出手段１２２３は、ある補助ピクチャ（レイヤi）に対するプライマリピクチャ（レイヤj）の関連レイヤフラグAssociatedLayerFlag[i][j]が真であるかを判定することで、関連プライマリピクチャであることを特定することができる。
【０３８５】
以上、補助ピクチャ情報復号手段１２２３（パラメータセット復号手段）は、複数の関連プライマリピクチャ（レイヤ）で１つの補助ピクチャ（レイヤ）を共有することができるため、プライマリピクチャ（レイヤ）毎に異なった補助ピクチャ（レイヤ）を復号／符号化する場合に比べ、符号量を低減する効果を奏する。
【０３８６】
また、上記疑似コードでは、補助ピクチャ（レイヤ）に対する関連プライマリピクチャ（レイヤ）を特定するが、逆に、プライマリピクチャ（レイヤ）に対する関連補助ピクチャ（レイヤ）を特定するように処理を変更してもよい。例えば、ステップSB03、SB06、SB07をそれぞれ、SB03a、SB06a、SB07aへ置き換えて、実行すれば、プライマリピクチャ（レイヤ）に対する関連補助ピクチャ（レイヤ）を示す関連レイヤＩＤリスト、関連レイヤ数、及び関連レイヤフラグを導出することができる。
【０３８７】
(SB03a)レイヤiがプライマリピクチャであるかをAuxId[iNuhLId]＝０を満たすかに基づいて判定する。AuxId[iNuhLId]＝０の場合（プライマリピクチャである）、ステップSB04へ遷移する。AuxId[iNuhLId]＞０場合（補助ピクチャである）、ステップSB04〜SB0Aの処理をスキップする。
【０３８８】
(SB06a)ステップSB06において、条件Ｃ２、Ｃ３を下記Ｃ２b、Ｃ３bへ置き換えて、実行する。
【０３８９】
条件（Ｃ２b）レイヤｊは補助ピクチャである（AuxID[iTargetLId]>0）。
【０３９０】
条件（Ｃ３b）AuxIdを示すXを除く、0からX-1、Xから15までの変数kについて、レイヤi（補助ピクチャレイヤ）のスケーラブル識別子scalabilityId[i][k]とレイヤj（補助ピクチャレイヤ）のスケーラブル識別子scalabilityId[j][k]が等しい。ここで、Xは、例えば、３である。
【０３９１】
(SB07a）関連付け条件Xを満たす場合、レイヤj（補助ピクチャレイヤ）をレイヤi(プライマリピクチャレイヤ)に対する関連補助ピクチャレイヤとする。各配列に対する値の設定処理は、ステップSB07と同じ。
【０３９２】
以上、関連レイヤ導出手段１２２３は、あるプライマリピクチャに対して、０以上の関連補助ピクチャを特定することが可能である。
【０３９３】
また、関連レイヤ導出手段１２２３は、ある補助ピクチャ（レイヤ）に対する関連補助ピクチャ（レイヤ）を導出してもよい。上記疑似コードにおいて、例えば、ステップSB03、SB06、SB07をそれぞれ、SB03b、SB06b、SB07bへ置き換えて、実行すれば、補助ピクチャ（レイヤ）に対する関連補助ピクチャ（レイヤ）を示す関連レイヤＩＤリスト、関連レイヤ数、及び関連レイヤフラグを導出することができる。
【０３９４】
(SB03b)レイヤiが補助ピクチャであるかをAuxId[iNuhLId]＞０を満たすかに基づいて判定する。AuxId[iNuhLId]＞０の場合（補助ピクチャである）、ステップSB04へ遷移する。AuxId[iNuhLId]＝０場合（プライマリピクチャである）、ステップSB04〜SB0Aの処理をスキップする。
【０３９５】
(SB06b)ステップSB06において、条件Ｃ２、Ｃ３を下記Ｃ２b、Ｃ３bへ置き換えて、実行する。
【０３９６】
条件（Ｃ２b）レイヤｊは補助ピクチャである（AuxID[iTargetLId]>0）。
【０３９７】
条件（Ｃ３b）AuxIdを示すXを除く、0からX-1、Xから15までの変数kについて、レイヤi（補助ピクチャレイヤ）のスケーラブル識別子scalabilityId[i][k]とレイヤj（補助ピクチャレイヤ）のスケーラブル識別子scalabilityId[j][k]が等しい。ここで、Xは、例えば、３である。
【０３９８】
さらに条件Ｃ１、Ｃ２ｂ、Ｃ３ｂに加えて、条件Ｃ４を加えてもい。
【０３９９】
条件（Ｃ４）レイヤiのAuxIdとレイヤjのAuxIdは互いに異なる。
【０４００】
(SB07b）関連付け条件Xを満たす場合、レイヤj（補助ピクチャレイヤ）をレイヤi(補助ピクチャレイヤ)に対する関連補助ピクチャレイヤとする。各配列に対する値の設定処理は、ステップSB07と同じ。
【０４０１】
以上、関連レイヤ導出手段１２２３は、ある補助ピクチャに対して、０以上の関連補助ピクチャを特定することが可能である。
【０４０２】
（ピクチャ情報復号手段１２２５）
ピクチャ情報復号手段１２２５は、入力される対象レイヤ符号化データからピクチャ情報を復号する。ピクチャ情報は、概略的には、対象レイヤの復号ピクチャのサイズを定める情報である。例えば、ピクチャ情報は、対象レイヤの復号ピクチャの幅や高さを表わす情報を含んでいる。
【０４０３】
ピクチャ情報は、例えば、SPSに含まれている。SPSから復号されるピクチャ情報には、復号ピクチャの幅（pic_width_in_luma_samples）と復号ピクチャの高さ（pic_height_in_luma_samples）が含まれている。シンタックスpic_width_in_luma_samplesの値は、輝度画素単位での復号ピクチャの幅に対応する。また、シンタックスpic_height_in_luma_samplesの値は、輝度画素単位での復号ピクチャの高さに対応する。また、ピクチャ情報をVPSに含まれる、複数のピクチャ情報のセットである、レプリメンテーションフォーマットrep_formatに基づいて復号しても良い。rep_formatは、ピクチャ幅pic_width_vps_in_luma_samples、ピクチャ高さpic_height_vps_in_luma_samplesなどを含む。
【０４０４】
（レイヤ間位置情報復号手段１２２４）
レイヤ間位置情報復号手段１２２４は、入力される対象レイヤ符号化データからレイヤ間位置対応情報を復号する。レイヤ間位置対応情報は、概略的には、対象レイヤと参照レイヤの対応する領域の位置関係を示す。例えば、対象レイヤのピクチャと参照レイヤのピクチャにある物体（物体Ａ）が含まれる場合、対象レイヤのピクチャ上の物体Ａに対応する領域と、参照レイヤのピクチャ上の物体Ａに対応する領域が、前記対象レイヤと参照レイヤの対応する領域に相当する。なお、レイヤ間位置対応情報は、必ずしも上記の対象レイヤと参照レイヤの対応する領域の位置関係を正確に示す情報でなくてもよいが、一般的には、レイヤ間予測の正確性を高めるために正確な対象レイヤと参照レイヤの対応する領域の位置関係を示している。
【０４０５】
レイヤ間位置対応情報は、レイヤ間画素対応情報を含む。レイヤ間画素対応情報は、参照レイヤのピクチャ上の画素と、対応する対象レイヤのピクチャ上の画素との位置関係を示す情報である。また、レイヤ間対応情報は、レイヤ間位相対応情報を追加で含んでいてもよい。レイヤ間位相対応情報は、前記レイヤ間画素対応情報で対応が示された画素の位相差を表わす情報である。
【０４０６】
（レイヤ間画素対応情報）
レイヤ間画素対応情報は、例えば、SPSの一部であるSPS拡張（sps_extension）に含まれており、図３６（ａ）に示すシンタックス表に従って、パラメータセット復号復号手段１２１ａ（レイヤ間位置対応情報復号手段１２２４）により復号される。
【０４０７】
SPSから復号されるレイヤ間画素対応情報には、SPS拡張に含まれるレイヤ間画素対応情報の個数（num_scaled_ref_layer_offsets）が含まれる。加えて、レイヤ間画素対応情報には、前記レイヤ間画素対応情報の個数分とスケール参照レイヤ識別子（scaled_ref_layer_id[ i ]）とレイヤ間画素対応オフセットが含まれる。レイヤ間位置対応情報復号手段１２２４は、０からnum_scaled_ref_layer_offsets-1までの各変数iに対して、スケール参照レイヤ識別子、及びレイヤ間画素対応オフセットとして、スケール参照レイヤ左オフセット（scaled_ref_layer_left_offset[scaled_ref_layer_id[ i ]]）、スケール参照レイヤ上オフセット（scaled_ref_layer_top_offset[scaled_ref_layer_id[ i ]]）、スケール参照レイヤ右オフセット（scaled_ref_layer_right_offset[scaled_ref_layer_id[ i ]]）、および、スケール参照レイヤ下オフセット（scaled_ref_layer_bottom_offset[scaled_ref_layer_id[ i ]]）を復号する。
【０４０８】
レイヤ間位置対応情報復号手段１２２４は、符号化データ中の変数iが示す参照レイヤピクチャ（j=scaled_ref_layer_id[ i ]をレイヤIDとする参照レイヤピクチャ）に対する、シンタックス要素scaled_ref_layer_left_offset[j]、scaled_ref_layer_top_offset[j]、scaled_ref_layer_right_offset[j]、scaled_ref_layer_bottom_offset[j] を復号し、以下のようにスケール参照レイヤオフセット（SRL左オフセットSRLLOffset、SRL上オフセットSRLTOffset、SRL右オフセットSRLROffset、SRL下オフセットSRLBOffset）を導出する。
【０４０９】
SRLLOffset = scaled_ref_layer_left_offset[j]<<1
SRLTOffset = scaled_ref_layer_top_offset[j]<<1
SRLROffset = scaled_ref_layer_right_offset[j]<<1
SRLBOffset = scaled_ref_layer_bottom_offset[j]<<1
以後、スケール参照レイヤオフセットは、参照レイヤのインデックスjを省略して、単にSRLLOffset、SRLTOffset、SRLROffset、SRLBOffsetとも表現する。
【０４１０】
なお、<<は、左ビットシフトを示す演算子である。X<<Yと記す場合、XをYビットだけ左シフトする。同様に>>は、右ビットシフトを示す演算子である。X>>Yと記す場合、XをYビットだけ右シフトする。
【０４１１】
また、レイヤ間画素対応情報は、VPSの一部であるVPS拡張（vps_extension）に含まれていても良い、図３６（ｂ）に示すシンタックス表に従って、レイヤ間位置対応情報復号手段１２２４により復号される。
【０４１２】
レイヤ間位置対応情報復号手段１２２４は、０から符号化データに含まれるレイヤの最大値−０MaxLayersMinus1の変数iの各々に対応するレイヤIDがlayer_id_in_nuh[i]であるレイヤに対するレイヤ間位置対応情報を復号する。
【０４１３】
レイヤ間位置対応情報復号手段１２２４は、上記各iのレイヤの各々について、レイヤ間画素対応情報の個数（num_scaled_ref_layer_offsets[i]）を復号し、さらに各iについて、０からnum_scaled_ref_layer_offsets[i]-1までの変数jに対して、スケール参照レイヤ識別子（scaled_ref_layer_id[ i ][ j ]）と、レイヤ間画素対応オフセットとして、スケール参照レイヤ左オフセット（vps_scaled_ref_layer_left_offset[i][j]）、スケール参照レイヤ上オフセット（vps_scaled_ref_layer_top_offset[i][j]）、スケール参照レイヤ右オフセット（vps_scaled_ref_layer_right_offset[i][j]）、および、スケール参照レイヤ下オフセット（vps_scaled_ref_layer_bottom_offset[i][j]）を復号する。
【０４１４】
レイヤ間位置対応情報復号手段１２２４は、符号化データ中の変数iが示す参照レイヤピクチャ（ｋ=scaled_ref_layer_id[ i ][ ｊ ]をレイヤIDとする参照レイヤピクチャ）に対する、シンタックス要素vps_scaled_ref_layer_left_offset[j]、vps_scaled_ref_layer_top_offset[j]、vps_scaled_ref_layer_right_offset[j]、vps_scaled_ref_layer_bottom_offset[j]から、以下のようにスケール参照レイヤオフセットを導出する。
【０４１５】
SRLLOffset[k] = vps_scaled_ref_layer_left_offset[k]<<1
SRLTOffset[k] = vps_scaled_ref_layer_top_offset[k]<<1
SRLROffset[k] = vps_scaled_ref_layer_right_offset[k]<<1
SRLBOffset[k] = vps_scaled_ref_layer_bottom_offset[k]<<1
【０４１６】
レイヤ間画素対応オフセットに含まれる各オフセットの意味を、図３７を参照して説明する。図３７は、対象レイヤのピクチャ、参照レイヤのピクチャ、および、レイヤ間画素対応オフセットの関係を例示する図である。
【０４１７】
図３７（ａ）は、参照レイヤのピクチャ全体が対象レイヤのピクチャの一部に対応する場合の例を示す。この場合、参照レイヤピクチャ全体に対応する対象レイヤ上の領域（対象レイヤ対応領域）は、対象レイヤピクチャの内部に含まれている。図３７（ｂ）は、参照レイヤのピクチャの一部が対象レイヤのピクチャ全体に対応する場合の例を示す。この場合、参照レイヤ対応領域の内部に対象レイヤピクチャが含まれている。なお、対象レイヤピクチャ全体にオフセットが含まれている。
【０４１８】
図３７に示したように、スケール参照レイヤ左オフセットSRLLOffset（図ではSRL左オフセット）は、参照レイヤ対応領域左辺の対象レイヤピクチャ左辺に対するオフセットを表わす。なお、SRL左オフセットが０より大きい場合、参照レイヤ対応領域左辺が対象レイヤピクチャ左辺の右側に位置することを表わす。
【０４１９】
スケール参照レイヤ上オフセットSRLTOffset（図ではSRL上オフセット）は、参照レイヤ対応領域上辺の対象レイヤピクチャ上辺に対するオフセットを表わす。なお、SRL上オフセットが０より大きい場合、参照レイヤ対応領域上辺が対象レイヤピクチャ上辺の下側に位置することを表わす。
【０４２０】
スケール参照レイヤ右オフセットSRLROffset（図ではSRL右オフセット）は、参照レイヤ対応領域右辺の対象レイヤピクチャ右辺に対するオフセットを表わす。なお、SRL右オフセットが０より大きい場合、参照レイヤ対応領域右辺が対象レイヤピクチャ右辺の左側に位置することを表わす。
【０４２１】
スケール参照レイヤ下オフセットSRLBOffset（図ではSRL下オフセット）は、参照レイヤ対応領域下辺の対象レイヤピクチャ下辺に対するオフセットを表わす。なお、SRL下オフセットが０より大きい場合、参照レイヤ対応領域下辺が対象レイヤピクチャ下辺の上側に位置することを表わす。
【０４２２】
（レイヤ間画素対応情報に関するコンフォーマンス条件）
レイヤ間画素対応情報復号手段１２２４がVPSより復号されるスケール参照レイヤ識別子（図３６（ｂ）のSYN02）について、以下に示すコンフォーマンス条件Ｃ１を満たすことが望ましい。なお、スケール参照レイヤ識別子は、ある対象レイヤに対応する参照レイヤ又は補助ピクチャレイヤのレイヤ識別子である。
【０４２３】
Ｃ１：対象レイヤiのj番目のスケーラブル参照レイヤ識別子(scaled_ref_layer_id[i][j])の値は、対象レイヤiのレイヤ識別子nuh_layer_id[i]の値よりも小さい(scaled_ref_layer_id[i][j]<nuh_layer_id[i])。
【０４２４】
以上の構成によれば、レイヤ間位置情報復号手段１２２４は、より少ない符号量で、対象レイヤに関するレイヤ間画素位置対応情報を復号することが可能となる効果を奏する。また、対象レイヤに関するレイヤ間画素位置情報の符号量を低減する効果を奏する。
【０４２５】
また、レイヤ間画素対応情報復号手段１２２４は、スケール参照レイヤ識別子（図３６（ａ）のSYN01、図３６（ｂ）のSYN01）について、以下に示すコンフォーマンス条件Ｃ２を満たす符号化データを、VPS、SPS、およびスライスヘッダから復号しても良い。
【０４２６】
Ｃ２：スケーラブル参照レイヤ識別子を有するレイヤは、対象レイヤの直接参照レイヤである。
【０４２７】
SPSから復号されるスケール参照レイヤ識別子(scaled_ref_layer_id[i])について限定すれば、Ｃ２aとも表現することができる。
【０４２８】
Ｃ２ａ：スケーラブル参照レイヤ識別子(scaled_ref_layer_id[i])を有するレイヤは、アクティブSPSを参照する対象レイヤの直接参照レイヤである。
【０４２９】
また、VPSから復号されるスケール参照レイヤ識別子(vps_scaled_ref_layer_id[i][j])について限定すれば、Ｃ２ｂとも表現することができる。
【０４３０】
Ｃ２ｂ：対象レイヤiのj番目のスケーラブル参照レイヤ識別子(vps_scaled_ref_layer_id[i][j])を有するレイヤは、対象レイヤiの直接参照レイヤである。
【０４３１】
また、VPSから復号されるスケール参照レイヤ識別子(scaled_ref_layer_id[i][j])について限定すれば、Ｃ２ｂとも表現することができる。
【０４３２】
また、スライスヘッダから復号されるスケール参照レイヤ識別子(scaled_ref_layer_id[i][j])について限定すれば、Ｃ２ｃとも表現することができる。
【０４３３】
Ｃ２ｃ：スケーラブル参照レイヤ識別子(scaled_ref_layer_id[i])を有するレイヤは、対象スライスが属する対象レイヤの直接参照レイヤである。  また、直接参照レイヤの表現を直接依存フラグdirect_depedendency_flag[][]を用いて表現すれば、Ｃ２、Ｃ２ａ、Ｃ２ｂ、Ｃ２ｃは、それぞれ、Ｃ２’、Ｃ２ａ’、Ｃ２ｂ’、Ｃ２ｃ’とも表現することができる。
【０４３４】
Ｃ２’：対象レイヤに対するスケーラブル参照レイヤ識別子と等しいレイヤ識別子を有するレイヤの直接依存フラグdirect_dependency_flag[LayerIdxInVps[nuhLayerIdA]]][LayerIdxInVps[nuhLayerIdB]]は１（真）である。ここで、nuhLayerIdAは、対象レイヤのレイヤ識別子であり、nuhLayerIdBは、スケーラブル参照レイヤ識別子である。
【０４３５】
Ｃ２ａ’： アクティブSPSを参照する対象レイヤに対するスケーラブル参照レイヤ識別子に等しいレイヤ識別子を有するレイヤの直接依存フラグdirect_dependency_flag[LayerIdxInVps[nuhLayerIdA]][LayerIdxInVps[scaled_ref_layer_id[i]]]は１（真）である。ここで、nuhLayerIdAは、アクティブSPSを参照する対象レイヤのレイヤ識別子である。
【０４３６】
Ｃ２ｂ’：対象レイヤiに対するスケーラブル参照レイヤ識別子に等しいレイヤ識別子を有するレイヤの直接依存フラグdirect_dependency_flag[i][LayerIdxInVps[scaled_ref_layer_id[i][j]]]は、１（真）である。
【０４３７】
従来技術では、対象レイヤに対して、対象レイヤの非直接参照レイヤである（直接参照レイヤでない）レイヤのレイヤ間画素位置情報が符号化データに含まれるうるという課題があった。一方、コンフォーマンス条件ＣＸ２（Ｃ２、Ｃ２a、Ｃ２ｂ、Ｃ２’、Ｃ２a’、Ｃ２ｂ’の少なくとも何れか１つ）を満たすことは、換言すれば、対象レイヤと非直接参照レイヤに関するレイヤ間画素対応情報が符号化データに含まれることを禁止する。
【０４３８】
Ｃ２ｃ’： 対象スライスの属する対象レイヤに対するスケーラブル参照レイヤ識別子に等しいレイヤ識別子を有するレイヤの直接依存フラグdirect_dependency_flag[LayerIdxInVps[nuh_layer_id]][LayerIdxInVps[scaled_ref_layer_id[i]]]は１（真）である。ここで、nuh_layer_idは、対象レイヤのレイヤ識別子である。  以上の構成によれば、レイヤ間位置情報復号手段１２２４は、対象レイヤに対する非直接参照レイヤのレイヤ間画素位置情報の復号を省略することができる。従って、より少ない符号量で、対象レイヤに関するレイヤ間画素位置対応情報を復号することが可能となる効果を奏する。また、対象レイヤに関するレイヤ間画素位置情報の符号量を低減する効果を奏する。
【０４３９】
なお、ＣＸ２では、対象レイヤの非直接参照レイヤに関するレイヤ間画素位置情報が符号化データに含まれることを禁止したが、この制約を緩めて、対象レイヤの非依存レイヤに関するレイヤ間画素位置情報が符号化データに含まれることを禁止してもよい。この場合、Ｃ２、Ｃ２a、Ｃ２ｂ、Ｃ２ｃにおいて、”直接依存レイヤ”を”依存レイヤ”と置き換えればよい。また、Ｃ２’、Ｃ２ａ’、Ｃ２ｂ’、Ｃ２ｃ’において、直接依存フラグdirect_dependency_flagの代わりに、依存フラグrecursiveRefLayerFlag[][]を用いればよい。
【０４４０】
また、上記コンフォーマンス条件ＣＸ２（Ｃ２、Ｃ２a、Ｃ２ｂ、Ｃ２’、Ｃ２ａ’、Ｃ２ｂ’の少なくとも何れか１つ）と、以下の条件ＤＸ１（Ｄ１、Ｄ１ａ、Ｄ１ｂのうち、少なくとも何れか１つ）とのＯＲにより定まる条件ＣＸ３（＝（ＣＸ２｜｜ＤＸ１））をコンフォーマンス条件としてもよい。
【０４４１】
Ｄ１：対象レイヤがプライマリピクチャ（レイヤ）である場合、スケール参照レイヤ識別子に等しいレイヤ識別子を有するレイヤは、前記対象レイヤに対応する補助ピクチャ（レイヤ）である。
【０４４２】
SPSから復号されるスケール参照レイヤ識別子(scaled_ref_layer_id[i])について限定すれば、Ｄ１aとも表現することができる。
【０４４３】
Ｄ１ａ：アクティブSPSを参照する対象レイヤがプライマリピクチャ（レイヤ）である場合(AuxID[]==0)、スケーラブル参照レイヤ識別子(scaled_ref_layer_id[i])に等しいレイヤ識別子を有するレイヤは、前記対象レイヤに対応する補助ピクチャ（レイヤ）(AuxID[]>0)である。
【０４４４】
また、VPSから復号されるスケール参照レイヤ識別子(scaled_ref_layer_id[i][j])について限定すれば、Ｄ１ｂとも表現することができる。
【０４４５】
Ｄ１ｂ：対象レイヤiがプライマリピクチャ（レイヤ）である場合(AuxID[]==0)、対象レイヤiのj番目のスケーラブル参照レイヤ識別子(scaled_ref_layer_id[i][j])に等しいレイヤ識別子を有するレイヤは、前記対象レイヤiの補助ピクチャ（レイヤ）(AuxID[]>0)である。
【０４４６】
コンフォーマンス条件ＣＸ３（＝ＣＸ２｜｜ＤＸ１）は、換言すれば、対象レイヤiAに対するあるレイヤiBのレイヤ間画素位置情報を定義する場合には、スケーラブル参照レイヤ識別子を有するレイヤiBは、対象レイヤiAに対する直接参照レイヤ、又は対象レイヤiAに対応する補助ピクチャ（レイヤ）であること（補助ピクチャレイヤであるレイヤiBに対して、対象レイヤiAは、関連プライマリピクチャレイヤであること）を意味する。従って、コンフォーマンス条件ＣＸ３を満たすことによって、対象レイヤiAに関するレイヤ間画素位置情報として、対象レイヤiAの非直接参照レイヤ（又は非依存レイヤ）、及び対象レイヤiAと対応しない補助ピクチャレイヤのレイヤ間画素位置情報が、符号化データに含まれることを禁止する。
【０４４７】
以上の構成によれば、レイヤ間位置情報復号手段１２２４は、対象レイヤに対する非直接参照レイヤのレイヤ間画素位置情報、及び対象レイヤに対応しない補助ピクチャレイヤのレイヤ間画素位置情報の復号を省略することができる。従って、より少ない符号量で、対象レイヤに関するレイヤ間画素位置対応情報を復号することが可能となる効果を奏する。また、対象レイヤに関するレイヤ間画素位置情報の符号量を低減する効果を奏する。
【０４４８】
（出力レイヤセットに関するビットストリームコンフォーマンス）
出力レイヤセットが満たすべき各種ビットストリームコンフォーマンスについて説明する。
【０４４９】
従来技術では、出力レイヤセットのプロファイルがステレオプロファイルである場合、プライマリピクチャレイヤ（AuxID[]==0）である出力レイヤの数が０又は１である出力レイヤセットが定義される場合が発生しうるという課題があった。すなわち、ステレオプロファイルである出力レイヤセットの出力レイヤ数が２でなければ、無意味な出力レイヤセットが定義されうるため、それらの無意味な出力レイヤセットに関する符号量が増大するという課題があった。ここで、ステレオプロファイルとは、例えば、非特許文献２のG11.1.2において定義される”Stereo Main Profile”のことである。
【０４５０】
従って、本実施例において、画像復号装置１／画像符号化装置２は、出力レイヤセットのプロファイルがステレオプロファイルである場合には、コンフォーマンス条件ＣＡ１を満たす符号化データを復号／生成する。
【０４５１】
ＣＡ１：出力レイヤセットOLS#olsIdx(olsIdx=1..NumOutputLayerSets-1)において、該出力レイヤセットのプロファイルがステレオプロファイルである場合、該出力レイヤセットのプライマイリピクチャレイヤである（補助ピクチャレイヤでない）出力レイヤの数は２である（出力レイヤフラグが１である該出力レイヤセットのプライマリピクチャレイヤの数は２である）。
【０４５２】
条件ＣＡ１は、補助ピクチャＩＤAuxID及び出力レイヤフラグOutputLayerFlagを用いて、条件ＣＡ２のように言い換えることができる。
【０４５３】
ＣＡ２：出力レイヤセットOLS#olsIdx(olsIdx=1..NumOutputLayerSets-1)において、該出力レイヤセットのプロファイルがステレオプロファイルである場合、プライマリピクチャレイヤ（補助ピクチャレイヤでないレイヤ）に関する出力レイヤフラグの総和は２である。
【０４５４】
条件ＣＡ２において、出力レイヤセットOLS#olsIdxのプライマリピクチャレイヤ（AuxID[]==0）の出力レイヤフラグの総和SumOfOutputLayerFlagは、例えば、以下の疑似コードによって導出される。
【０４５５】
SumOfOutputLayerFlag = 0;
for( j=0; j<NumLayersInIdList[LayerSetIdx[i]]; j++){
if( AuxId [ nuh_layer_id[ LayerIdList[ LayersetIdx[ i ][ j ] ] ] ]==0 ) 
SumOfOutputLayerFlag += OutputLayerFlag[i][j];
}
なお、コンフォーマンス条件ＣＡ１及びＣＡ２において、出力レイヤセットOLS#olsIdxのプロファイルがステレオプロファイルであるかどうかは、出力レイヤセットOLS#olsIdxのPTL指定識別子profile_level_tier_idx[olsIdx]によって特定されるPTL情報のプロファイル識別子general_profile_idcが、ステレオプロファイルを示す値（例えば、”Stereo Main Profile”）であることを判定すればよい。また、ステレオプロファイルに互換があるプロファイル（互換プロファイル）”profileX”の場合には、プロファイル識別子general_profile_idcの代わりに、プロファイル互換フラグgeneral_profile_compatibility_flag[ “Stereo Main Profile” ]の値が１である（ステレオプロファイルと互換がある）ことを判定すればよい。
【０４５６】
上記コンフォーマンス条件ＣＡ１〜ＣＡ２は、換言すれば、出力レイヤセットがステレオプロファイル（”Stereo Main Profile”）である場合（あるいは互換プロファイル）、プライマリピクチャレイヤ（補助ピクチャレイヤでない）の出力レイヤ数が２でない出力レイヤセットの定義を禁止する。符号化データは、出力レイヤセットに関して上記コンフォーマンス条件ＣＡ１（またはＣＡ２)を満たすことによって、画像復号装置１において、上記符号化データから復号される出力レイヤセットがステレオプロファイル（”Stereo Main Profile”）である場合、２つのプライマリピクチャレイヤ（補助ピクチャレイヤでない）の復号ピクチャが出力ピクチャとして出力されることが保障される。従って、従来技術において課題であった、出力レイヤセットのプロファイルがステレオプロファイルである場合、プライマリピクチャレイヤ（AuxID[]==0）である出力レイヤの数が０又は１である出力レイヤセットが定義される可能性を排除することができる効果を奏する。また、ステレオプロファイルである出力レイヤセットのプライマリピクチャレイヤの出力レイヤ数が２でない無意味な出力レイヤセットに係る符号量を削減する効果を奏する。
【０４５７】
（階層動画像符号化装置の構成）
図２５を用いて、階層動画像符号化装置２の概略構成を説明する。同図は、階層動画像符号化装置２の概略的構成を示した機能ブロック図である。階層動画像符号化装置２は、符号化対象とするターゲットセットに含まれる各レイヤ／サブレイヤの入力画像ＰＩＮ＃Ｔ(ピクチャ)を符号化して、ターゲットセットの階層符号化データＤＡＴＡを生成する。すなわち、動画像符号化装置２は、ターゲットセットTargetSetのレイヤIDリストの要素TargetLayerIdList [0]…TargetLayerIdList [N-1](Nはターゲットセット(対象レイヤセット)に含まれるレイヤ数)の順で、各レイヤのピクチャを符号化し、その符号化データを生成する。
【０４５８】
図２５に示すように階層動画像符号化装置２は、ターゲットセットピクチャ符号化部２０、及びＮＡＬ多重化部２１を含んで備える。さらに、ターゲットセットピクチャ符号化部２０は、non-VCL符号化部２２、ピクチャ符号化部２４、復号ピクチャ管理部１５、および符号化パラメータ決定部２６を含んで構成される。
【０４５９】
復号ピクチャ管理部１５は、既に説明した階層動画像復号装置１の備える復号ピクチャ管理部１５と同一の構成要素である。ただし、階層動画像符号化装置２の備える復号ピクチャ管理部１５では、内部のＤＰＢに記録されたピクチャを出力ピクチャとして出力する必要はないため、当該出力は省略可能である。なお、階層動画像復号装置１の復号ピクチャ管理部１５の説明において「復号」として説明した記載は「符号化」と置き換えることで、階層動画像符号化装置２の備える復号ピクチャ管理部１５にも適用できる。
【０４６０】
ＮＡＬ多重化部２１は、入力されるターゲットセットの各レイヤのVCL、及びnon-VCLを、ＮＡＬユニットに格納することでＮＡＬ多重化した階層動画像符号化データＤＡＴＡ＃Ｔを生成し、外部へ出力する。言い換えれば、ＮＡＬ多重化部２１は、ターゲットセットピクチャ符号化部２０から供給されるnon-VCLの符号化データ、VCLの符号化データ、及び各non-VCL、VCLに対応するＮＡＬユニットタイプ、レイヤ識別子、テンポラル識別子を、ＮＡＬユニットに格納して（符号化して）、ＮＡＬ多重化した階層符号化データＤＡＴＡ＃Ｔを生成する。
【０４６１】
符号化パラメータ決定部２６は、符号化パラメータの複数のセットのうち、１つのセットを選択する。符号化パラメータとは、各パラメータセット（ＶＰＳ、ＳＰＳ、ＰＰＳ）に関連した各種パラメータや、ピクチャを符号化するための予測パラメータや、該予測パラメータに関連して生成される符号化の対象となるパラメータである。符号化パラメータ決定部２６は、上記符号化パラメータの複数のセットの各々について情報量の大きさと符号化誤差を示すコスト値を算出する。コスト値は、例えば、符号量と二乗誤差に係数λを乗じた値との和である。符号量は、量子化誤差と符号化パラメータを可変長符号化して得られるターゲットセットの各レイヤ／サブレイヤの符号化データの情報量である。二乗誤差は、入力画像ＰＩＮ＃Ｔと予測画像との差分値の二乗値についての画素間の総和である。係数λは、予め設定されたゼロよりも大きい実数である。符号化パラメータ決定部２６は、算出したコスト値が最小となる符号化パラメータのセットを選択し、選択した各符号化パラメータのセットをパラメータセット符号化部２２、及びピクチャ符号化部２４へ供給する。
【０４６２】
Non-VCL符号化部２２は、階層動画像復号装置１におけるNon-VCL復号部１２の逆処理に対応し、符号化パラメータ決定部２６から入力される各non-VCLの符号化パラメータと入力画像に基づいて、入力画像の符号化に用いるパラメータセット（ＶＰＳ、ＳＰＳ、およびＳＰＳ）やその他にnon-VCLを設定し、各パラメータセットやその他のnon-VCLをnon-VCL NALユニットに格納されるデータとして、ＮＡＬ多重化部２１へ供給する。なお、Non-VCL符号化部２２で符号化されるnon-VCLには、階層動画像復号装置１の備えるnon-VCL復号部１２の説明で記載したレイヤセット情報、出力レイヤセット情報、PTL情報、及びDPB情報を含んでいる。すなわち、non-VCL符号化部２２は、図示しない、パラメータセット符号化手段を備える。さらに、パラメータセット符号化手段は、図示しない、レイヤセット情報を符号化（生成）するレイヤセット情報符号化手段、出力レイヤセット情報を符号化（生成）する出力レイヤセット情報符号化手段、PTL情報を符号化するPTL情報符号化手段、DPB情報を符号化するDPB情報符号化手段、サブビットストリーム特性情報を符号化するサブビットストリーム特性情報符号化手段をさらに含んで構成される。
【０４６３】
各符号化部、符号化手段の機能及び動作は、対応する復号部、復号手段の逆処理に相当し、復号部、復号手段において、“復号”を“符号化”と読み替えて解釈するものとする。なお、Non-VCL符号化部２２は、ＮＡＬ多重化部２１へnon-VCLの符号化データを供給するときに、non-VCLに対応するＮＡＬユニットタイプ、レイヤ識別子、及びテンポラル識別子も付与して出力する。
【０４６４】
また、Non-VCL符号化部２２で生成されるパラメータセットには、該パラメータセットを識別する識別子、及び各レイヤのピクチャを復号するために参照する該パラメータセットが参照するパラメータセット（アクティブパラメータセット）を指定するアクティブパラメータセット識別子が含まれる。具体的には、ビデオパラメータセットＶＰＳであれば、該ＶＰＳを識別するＶＰＳ識別子が含まれる。シーケンスパラメータセットＳＰＳであれば、該ＳＰＳを識別するＳＰＳ識別子(sps_seq_parameter_set_id)、及び該ＳＰＳや他のシンタックスが参照するＶＰＳを特定するアクティブＶＰＳ識別子(sps_video_parameter_set_id)が含まれる。ピクチャパラメータセットＰＰＳであれば、該ＰＰＳを識別するＰＰＳ識別子(pps_pic_parameter_set_id)、及び該ＰＰＳや他のシンタックスが参照するＳＰＳを特定するアクティブＳＰＳ識別子(pps_seq_parameter_set_id)が含まれる。
【０４６５】
また、non-VCL符号化部２２は、図示されない、規定のシンタックス表に基づいてパラメータセット(VPS/SPS/PPS)を符号化するパラメータセット符号化手段２２１を含んで構成される。パラメータセット符号化手段２２１は、レイヤセット情報を符号化するレイヤセット情報符号化手段２２１１、レイヤ間依存情報を符号化するレイヤ間依存情報符号化手段２２２０、各レイヤの最大サブレイヤ値を符号化する最大サブレイヤ符号化手段２２１２、出力レイヤセット情報を符号化する出力レイヤセット情報符号化手段２２１３、出力レイヤセットに対応するPTL情報を符号化するPTL情報符号化手段２２２１、各出力レイヤの最大サブレイヤ値を導出する出力レイヤセット最大サブレイヤ導出手段１２１４、出力レイヤセットに対応DPB情報を符号化するDPB情報符号化手段２２１５、等を備える。  レイヤセット情報符号化手段２２１１は、レイヤセットiに含まれるレイヤｊが含まれるか否かを示すフラグlayer_id_included_flag[i][j]を符号化する。
【０４６６】
最大サブレイヤ復号手段２２１２は、符号化データからレイヤ単位で最大サブレイヤ値sub_layers_vps_max_minus1[]を符号化する。具体的には、０から最大レイヤ数MaxLayersMinus1までの値ｉが示すレイヤｉについて、最大サブレイヤ値sub_layers_vps_max_minus1[ i ]を符号化する。
【０４６７】
出力レイヤセット情報符号化手段２２１３は、出力レイヤセットiに対応するレイヤセット識別子―１output_layer_set_idx_minus1を符号化し、さらに、出力フラグOutputLayerFlag[i][j]を示す出力情報output_layer_flag[i][j]を符号化する。
【０４６８】
出力レイヤセット最大サブレイヤ導出手段１２１４は既に説明した通りである。
【０４６９】
DPB情報符号化手段２２１５は、出力レイヤの最大サブレイヤ数MaxSubLayersInLayerSetMinus1[i]以下のサブレイヤについて、DPB情報を符号化する。
【０４７０】
本実施形態の階層動画像符号化装置２の動作を示すフローチャートは以下の通りである。
【０４７１】
（ＳＢ１００）階層動画像符号化装置２の備える出力レイヤセット最大サブレイヤ導出手段１２１４により、各出力レイヤｉに対して、出力フラグOutputLayerFlag[i][j]が１であるレイヤjのサブレイヤ値sub_layers_vps_max_minus1[j]の最大値から出力レイヤの出力レイヤ最大サブレイヤ値MaxSubLayersInLayerSetMinus1[i]を導出する。
【０４７２】
（ＳＢ１０１）DPB情報符号化部１２１５は、出力レイヤの最大サブレイヤ数MaxSubLayersInLayerSetMinus1[i]以下のサブレイヤについて、DPB情報を符号化する。
【０４７３】
以上の構成により、本実施形態のレイヤセット情報符号化手段２２１１、最大サブレイヤ符号化手段２２１２、出力レイヤセット情報符号化手段２２１３、出力レイヤセット最大サブレイヤ導出手段１２１４、DPB情報符号化手段２２１５を備える画像符号化装置によれば、出力レイヤセットにおいて出力される（出力フラグOutputLayerFlag[i][j]）が１である、レイヤｊの最大サブレイヤ値sub_layers_vps_max_minus1[j]の最大値を用いて、出力レイヤ最大サブレイヤ値MaxSubLayersInLayerSetMinus1[i]を導出し、出力レイヤ最大サブレイヤ値MaxSubLayersInLayerSetMinus1[i]以下のサブレイヤについてのみDPB情報を符号化する。これにより、実際に出力に必要であるサブレイヤのみに符号化されるDPB情報が限定されることから、DPB情報の符号量を低減する効果を奏する。また、実際には使用されないサブレイヤのDPB情報を誤って符号化するような問題を防ぐ効果を奏する。
【０４７４】
ピクチャ符号化部２４は、入力される各レイヤの入力画像ＰＩＮ＃Ｔ、符号化パラメータ決定部２６より供給されるNon-VCL(特に、パラメータセット)、および復号ピクチャ管理部１５に記録されている参照ピクチャに基づいて、ピクチャを構成するスライスに対応する各レイヤの入力画像の一部を符号化して、当該部分の符号化データを生成し、VCL NALユニットに格納されるデータとして、ＮＡＬ多重化部２１へ供給する。ピクチャ符号化部２４の詳細な説明は後述する。なお、ピクチャ符号化部２４は、ＮＡＬ多重化部２１へVCLの符号化データを供給するときに、VCLに対応するＮＡＬユニットタイプ、レイヤ識別子、及びテンポラル識別子も付与して出力する。
【０４７５】
なお、本実施形態の階層動画像符号化装置は、上述のコンフォーマンス条件（ＣＣ、ＣＣはＣＣ１からＣＣ３のいずれか）を満たす符号化データを符号化する。
【０４７６】
以上の構成のコンフォーマンス条件（ＣＣ）を満たす符号化データを符号化する画像符号化装置によれば、符号化データ内のスケーラブルＩＤの一意性が保障されているため、スケーラブルＩＤに基づいてレイヤを識別可能であるという効果を奏する。
【０４７７】
以上の構成のコンフォーマンス条件を満たす符号化データを符号化する画像符号化装置によれば、同じスケーラブルＩＤを備えるプライマリピクチャが複数存在する場合に、１つの補助ピクチャに対するプライマリピクチャがいずれであるのかが特定できないという課題を解決することができるという効果を奏する。
【０４７８】
なお、本実施形態の別の構成の階層動画像符号化装置は、上述のコンフォーマンス条件（ＣＤ、ＣＤはＣＤ１からＣＤ３のいずれか）を満たす符号化データを符号化しても良い。以上の構成のコンフォーマンス条件（ＣＤ）を満たす符号化データを符号化する画像符号化装置によれば、レイヤセット内のスケーラブルＩＤの一意性が保障されているため、スケーラブルＩＤに基づいてレイヤを識別可能であるという効果を奏する。
【０４７９】
（パラメータセット符号化手段２２１の変形例（パラメータセット符号化手段２２１Ａ）
また、non-VCL符号化部２２は、復号装置側において説明したパラメータセット復号手段１２１の変形例であるパラメータセット復号手段１２１Ａに対応するパラメータセット符号化手段１２１Ａを備えていてもよい。パラメータセット符号化手段１２１Ａは、図３８に示すように、レイヤセット情報符号化手段２２１１（レイヤセット情報復号手段１２１１の逆処理）、出力レイヤセット情報符号化２２１３（出力レイヤセット情報復号手段１２１３の逆処理）、レイヤ間依存情報符号化手段２２２０（レイヤ間依存情報復号手段１２２０の逆処理）、PTL情報符号化手段２２２１（PTL情報復号手段１２２１の逆処理）、スケーラブル識別子符号化手段２２２２（スケーラブル識別子復号手段１２２２の逆処理）、レイヤ間位置対応情報符号化手段（レイヤ間位置情報復号手段１２２４の逆処理）、ピクチャ情報符号化手段２２２５（ピクチャ情報復号手段１２２５の逆処理）、及び関連レイヤ導出手段１２２３を含んで構成される。なお、パラメータセット符号化手段２２１と共通の構成要素については、同一の符号を付し、説明を省略する。また、関連レイヤ導出手段１２２３は、パラメータセット復号手段１２１Ａの備える関連レイヤ導出手段１２２３と同一機能を有するため、説明を省略する。
【０４８０】
スケーラブル識別子符号化手段２２２２は、スケーラブル識別子復号手段１２２２の逆処理であり、符号化対象となる各レイヤ単位に割り当てられるスケーラブル識別子（ScalabilityId）を符号化する。
【０４８１】
ピクチャ情報符号化手段２２２５は、ピクチャ情報復号手段１２２５の逆処理であり、符号化対象となる各レイヤのピクチャ情報を符号化する。
【０４８２】
レイヤ間位置情報符号化手段２２２４は、レイヤ間位置情報復号手段２２２４の逆処理であり、符号化対象となるレイヤと、その参照レイヤ、あるいは補助ピクチャレイヤの対応する領域の位置関係意を示すレイヤ間位置対応情報を符号化する。
【０４８３】
なお、階層動画像復号装置１（及びその変形例を含む）において、上記符号化データから復号される出力レイヤセットのプロファイルがステレオプロファイル（Stereo Main Profile）である場合、２つのプライマリピクチャレイヤである出力レイヤの復号ピクチャを出力ピクチャとして出力されることを保障するため、階層動画像符号化装置２は、少なくとも前述のコンフォーマンス条件ＣＡ１（又はＣＡ２）を満たすように、ターゲットセットの階層符号化データＤＡＴＡを生成する。従って、従来技術において課題であった、出力レイヤセットのプロファイルがステレオプロファイルである場合、プライマリピクチャレイヤ（AuxID[]==0）である出力レイヤの数が０又は１である出力レイヤセットが定義される可能性を排除することができる効果を奏する。また、ステレオプロファイルである出力レイヤセットのプライマリピクチャレイヤの出力レイヤ数が２でない無意味な出力レイヤセットに係る符号量を削減する効果を奏する。
【０４８４】
また、上記符号化データから復号される対象レイヤに関するレイヤ間画素対応情報に、対象レイヤのレイヤ識別子の値以上の上位レイヤが含まれないことを保障するために、前述のコンフォーマンス条件ＣＸ１（Ｃ１、Ｃ１ａ、Ｃ１ｂの少なくともいずれか一つ）を満たすように、ターゲットセットの階層符号化データＤＡＴＡを生成することが好ましい。従って、対象レイヤと上位レイヤ間のレイヤ間画素対応情報の重複定義を防止することができる。すなわち、より少ない符号量で、対象レイヤに関するレイヤ間画素位置対応情報を符号化することが可能となる効果を奏する。また、対象レイヤに関するレイヤ間画素位置情報の符号量を低減する効果を奏する。
【０４８５】
あるいは、上記符号化データから復号される対象レイヤに関するレイヤ間画素対応情報に、対象レイヤの非直接参照レイヤ（非依存レイヤ）、又は、対象レイヤがプライマリピクチャレイヤである場合、対象レイヤに対応しない補助ピクチャレイヤがが含まれないことを保障するために、コンフォーマンス条件ＣＸ２（Ｃ２、Ｃ２ａ、及びＣ２ｂ、Ｃ２’、Ｃ２ａ’、Ｃ２ｂ’の少なくとも何れか一つ）又は、コンフォーマンス条件ＣＸ３（＝ＣＸ２｜｜ＤＸ１）を満たすように、ターゲットセットの階層符号化データＤＡＴＡを生成することが好ましい。従って、対象レイヤiAに関するレイヤ間画素位置情報として、対象レイヤiAの非直接参照レイヤ（又は非依存レイヤ）、及び対象レイヤiAと対応しない補助ピクチャレイヤのレイヤ間画素位置情報が、符号化データに含まれることを禁止することができる。すなわち、対象レイヤに対する非直接参照レイヤのレイヤ間画素位置情報、及び対象レイヤに対応しない補助ピクチャレイヤのレイヤ間画素位置情報の符号化を省略することができる。従って、より少ない符号量で、対象レイヤに関するレイヤ間画素位置対応情報を符号化することが可能となる効果を奏する。また、対象レイヤに関するレイヤ間画素位置情報の符号量を低減する効果を奏する。  （ピクチャ符号化部２４）
図２６を参照して、ピクチャ符号化部２４の構成の詳細を説明する。図２６は、ピクチャ符号化部２４の概略的構成を示した機能ブロック図である。
【０４８６】
図２６に示すように、ピクチャ符号化部２４は、スライスヘッダ符号化部２４１、及びＣＴＵ符号化部２４２を含んで構成される。
【０４８７】
スライスヘッダ符号化部２４１は、入力されるアクティブパラメータセットに基づいてスライス単位で入力される各レイヤの入力画像の符号化に用いるスライスヘッダを生成する。生成されたスライスヘッダは、スライス符号化データの一部として出力されるとともに、入力画像と共にＣＴＵ符号化部２４２へ供給される。なお、スライスヘッダ符号化部２４１で生成されるスライスヘッダには、各レイヤのピクチャを復号するために参照するピクチャパラメータセットＰＰＳ(アクティブＰＰＳ)を指定するアクティブＰＰＳ識別子が含まれる。
【０４８８】
ＣＴＵ符号化部２４２は、入力されるアクティブパラメータセット、スライスヘッダに基づいて、入力画像（対象スライス部分）をＣＴＵ単位で符号化して、対象スライスに係るスライスデータおよび復号画像（復号ピクチャ）を生成して出力する。より具体的には、ＣＴＵ符号化部２４２は、パラメータセットが含むCTBサイズの大きさのCTBを単位として対象スライスの入力画像を分割し、各CTBに対応する画像を一つのCTUとして符号化する。CTUの符号化は、予測残差符号化部２４２１、予測画像符号化部２４２２、CTU復号画像生成部２４２３により実行される。
【０４８９】
予測残差符号化部２４２１は、入力される入力画像と予測画像の差分画像を、変換・量子化して得られる量子化残差情報（ＴＴ情報）を、スライス符号化データに含まれるスライスデータの一部として出力する。また、量子化残差情報に逆変換・逆量子化を適用して予測残差を復元し、復元した予測残差をCTU復号画像生成部２４２３に出力する。
【０４９０】
予測画像符号化部２４２２は、符号化パラメータ決定部２６で決定された、対象スライスに含まれる対象CTUの予測方式および予測パラメータに基づいて、予測画像を生成して予測残差符号化部２４２１とCTU復号画像生成部２４２３に出力する。なお、予測方式や予測パラメータの情報は予測情報（ＰＴ情報）として可変長符号化されて、スライス符号化データに含まれるスライスデータの一部として出力される。なお、インター予測、または、レイヤ間画像予測を使用する場合は、復号ピクチャ管理部１５より対応する参照ピクチャを読み出す。
【０４９１】
CTU復号画像生成部２４２３は、階層動画像復号装置１の備えるCTU復号画像制生成部１４２３と同一の構成要素であるため、説明を省略する。なお、対象ＣＴＵの復号画像は、復号ピクチャ管理部１５へ供給され、内部のＤＰＢに記録される。
【０４９２】
＜ピクチャ符号化部２４の符号化プロセス＞
以下、図２７を参照して、ピクチャ符号化部２４における対象レイヤiのピクチャの符号化の概略的な動作について説明する。図２７は、ピクチャ符号化部２４における対象レイヤiのピクチャを構成するスライス単位の符号化プロセスを示すフロー図である。
【０４９３】
（ＳＥ１０１）符号化対象スライスの先頭スライスフラグ(first_slice_segment_in_pic_flag) (図１７(d)のSYNSH01)を符号化する。すなわち、スライス単位に分割された入力画像（以降、符号化対象スライス）が、ピクチャ内の符号化順（復号順）（以降、処理順）で先頭スライスであれば、先頭スライスフラグ(first_slice_segment_in_pic_flag)が１である。符号化対象スライスが先頭スライスでなければ、先頭スライスフラグは０である。なお、先頭スライスフラグが１の場合、符号化対象スライスの先頭ＣＴＵアドレスを０に設定する。さらに、ピクチャ内の処理済みＣＴＵ数のカウンタnumCtbを０に設定する。先頭スライスフラグが０の場合、後述のＳＥ１０６で符号化されるスライスアドレスに基づいて、符号化対象スライスの先頭ＣＴＵアドレスを設定する。
【０４９４】
（ＳＥ１０２）符号化対象スライスの符号化時に参照するアクティブＰＰＳを指定するアクティブＰＰＳ識別子(slice_pic_paramter_set_id)(図１７(d)のSYNSH02)を符号化する。
【０４９５】
（ＳＥ１０４）符号化パラメータ決定部２６で決定されたアクティブパラメータセットをフェッチする。すなわち、符号化対象スライスが参照するアクティブＰＰＳ識別子(slice_pic_parameter_set_id)と同一のＰＰＳ識別子(pps_pic_parameter_set_id)を有するＰＰＳをアクティブＰＰＳとし、符号化パラメータ決定部２６から、アクティブＰＰＳの符号化パラメータをフェッチする（読み出す）。さらに、アクティブＰＰＳ内のアクティブＳＰＳ識別子(pps_seq_parameter_set_id)と同一のＳＰＳ識別子(sps_seq_parameter_set_id)を有するＳＰＳをアクティブＳＰＳとし、符号化パラメータ決定部２６から、アクティブＳＰＳの符号化パラメータをフェッチする。さらに、アクティブＳＰＳ内のアクティブＶＰＳ識別子(sps_video_parameter_set_id)と同一のＶＰＳ識別子(vps_video_parameter_set_id)を有するＶＰＳをアクティブＶＰＳとし、符号化パラメータ決定部２６から、アクティブＶＰＳの符号化パラメータをフェッチする。
【０４９６】
なお、ピクチャ符号化部２４は、アクティブＶＰＳに含まれるレイヤセット情報、出力レイヤセット情報、及びPTL情報、該アクティブパラメータセット（VPS, SPS, PPS）のレイヤ識別子、対象レイヤのレイヤ識別子等を参照し、ターゲットセットがコンフォーマンス条件満たすか検証してもよい。コンフォーマンス条件は、階層動画像復号装置１において説明済みであるため省略する。なお、コンフォーマンス条件を満たせば、生成されるターゲットセットの階層符号化データＤＡＴＡが、階層画像符号化装置２に対応する階層動画像復号装置１において、復号可能であることが保障される。
【０４９７】
（ＳＥ１０５）符号化対象スライスが、ピクチャ内の処理順で先頭スライスであるか否かを先頭スライスフラグに基づいて判定する。先頭スライスフラグが０の場合(SE105でYes)、ステップSE106へ遷移する。それ以外の場合(SE105でNo)、ステップSE106の処理をスキップする。なお、先頭スライスフラグが１の場合、符号化対象スライスのスライスアドレスは０である。
【０４９８】
（ＳＥ１０６）符号化対象スライスのスライスアドレス（slice_segment_address）(図１７(d)のSYNSH03)を符号化する。なお、符号化対象スライスのスライスアドレス（符号化対象スライスの先頭ＣＵＴアドレス）は、例えば、ピクチャ内の処理済ＣＴＵ数のカウンタnumCtbに基づいて設定可能である。この場合、スライスアドレスslice_segment_adress＝numCtbである。すなわち、符号化対象スライスの先頭ＣＴＵアドレス＝numCtbでもある。なお、スライスアドレスの決定方法はこれに限定されず、実施可能な範囲で変更可能である。
【０４９９】
（ＳＥ１０Ａ）ＣＴＵ符号化部２４２は、入力されるアクティブパラメータセット、スライスヘッダに基づいて、入力画像（符号化対象スライス）をＣＴＵ単位で符号化して、符号化対象スライスのスライスデータの一部として、ＣＴＵ情報の符号化データ(図１７(d)のSYNSD01)を出力する。また、ＣＴＵ符号化部２４２は、各ＣＴＵに対応する領域のＣＴＵ復号画像を生成し出力する。さらに、各CTU情報の符号化データの後に、該CTUが符号化対象スライスの終端であるかを示すスライス終端フラグ(end_of_slice_segment_flag) (図１７(d)のSYNSD02)を符号化する。該CTUが符号化対象スライスの終端である場合、スライス終端フラグを１へ設定し、それ以外の場合は０へ設定し、符号化する。また、各CTUの符号化後に、処理済CTU数numCtbの値を１加算する(numCtb++)。
【０５００】
（ＳＥ１０Ｂ）該CTUが符号化対象スライスの終端であるか否かをスライス終端フラグに基づいて判定する。スライス終端フラグが１の場合(SE10BでYes)、ステップSE10Cへ遷移する。それ以外の場合(SE10BでNo)、後続のCTUを符号化するため、ステップSE10Aへ遷移する。
【０５０１】
（ＳＥ１０Ｃ）処理済CTU数numCtuが、ピクチャを構成するＣＴＵの総数(PicSizeInCtbsY)に達したか判定する。すなわち、numCtu==PicSizeInCtbsYであるか判定する。numCtuがPicSizeInCtbsYと等しい場合(SE10CでYes)、符号化対象ピクチャを構成するスライス単位の符号化処理を終了する。それ以外の場合（numCtu<PicSizeInCtbsY）（SE10CでNo）、符号化対象ピクチャを構成するスライス単位の符号化処理を継続するため、ステップSE101へ遷移する。
【０５０２】
以上、実施例１に係るピクチャ符号化部２４の動作について説明したが、上記ステップに限定されず、実施可能な範囲で、ステップを変更しても構わない。
【０５０３】
（動画像符号化装置２の効果）
以上説明した本実施形態に係る階層動画像符号化装置２は、階層動画像復号装置１（及びその変形例を含む）において、レイヤセットにベースレイヤが含まれることを保障するために、前述のコンフォーマンス条件ＣＣ１（又はＣＣ２〜ＣＣ４）を満たすように、ターゲットセットの階層符号化データＤＡＴＡを生成する。従って、画像復号装置１において、上記符号化データから復号される出力レイヤセットは、必ずベースレイヤを復号することが保障される。従って、あるレイヤセットＡを含む符号化データからビットストリーム抽出処理によって生成された、レイヤセットＡのサブセットであるレイヤセットＢを含む符号化データを復号する際に、レイヤセットＢのあるレイヤＣ(レイヤ識別子＞０)において、ベースレイヤにレイヤ識別子を有するパラメータセット（VPS/SPS/PPS）をアクティブパラメータセットとして参照する場合、ベースレイヤがレイヤセットＢを含む符号化データに含まれず、あるレイヤＣを復号できないというケースを防止することができる。すなわち、コンフォーマンス条件ＣＣ１（Ｃ２Ｃ〜ＣＣ４）を満たすことで、レイヤセットＡを含む符号化データから、ビットストリーム抽出により生成されたレイヤセットＡのサブセットであるレイヤセットＢを含む符号化データが復号可能であることを保障することができる。
【０５０４】
（他の階層動画像符号化／復号システムへの適用例）
上述した階層動画像符号化装置２及び階層動画像復号装置１は、動画像の送信、受信、記録、再生を行う各種装置に搭載して利用できる。なお、動画像は、カメラ等により撮像された自然動画像であってもよいし、コンピュータ等により生成された人工動画像（ＣＧおよびＧＵＩを含む）であってもよい。
【０５０５】
図３３に基づいて、上述した階層動画像符号化装置２および階層動画像復号装置１を、動画像の送信および受信に利用できることを説明する。図３３の（ａ）は、階層動画像符号化装置２を搭載した送信装置ＰＲＯＤ＿Ａの構成を示したブロック図である。
【０５０６】
図３３の（ａ）に示すように、送信装置ＰＲＯＤ＿Ａは、動画像を符号化することによって符号化データを得る符号化部ＰＲＯＤ＿Ａ１と、符号化部ＰＲＯＤ＿Ａ１が得た符号化データで搬送波を変調することによって変調信号を得る変調部ＰＲＯＤ＿Ａ２と、変調部ＰＲＯＤ＿Ａ２が得た変調信号を送信する送信部ＰＲＯＤ＿Ａ３とを備えている。上述した階層動画像符号化装置２は、この符号化部ＰＲＯＤ＿Ａ１として利用される。
【０５０７】
送信装置ＰＲＯＤ＿Ａは、符号化部ＰＲＯＤ＿Ａ１に入力する動画像の供給源として、動画像を撮像するカメラＰＲＯＤ＿Ａ４、動画像を記録した記録媒体ＰＲＯＤ＿Ａ５、動画像を外部から入力するための入力端子ＰＲＯＤ＿Ａ６、及び、画像を生成または加工する画像処理部Ａ７を更に備えていてもよい。図３３の（ａ）においては、これら全てを送信装置ＰＲＯＤ＿Ａが備えた構成を例示しているが、一部を省略しても構わない。
【０５０８】
なお、記録媒体ＰＲＯＤ＿Ａ５は、符号化されていない動画像を記録したものであってもよいし、伝送用の符号化方式とは異なる記録用の符号化方式で符号化された動画像を記録したものであってもよい。後者の場合、記録媒体ＰＲＯＤ＿Ａ５と符号化部ＰＲＯＤ＿Ａ１との間に、記録媒体ＰＲＯＤ＿Ａ５から読み出した符号化データを記録用の符号化方式に従って復号する復号部（不図示）を介在させるとよい。
【０５０９】
図３３の（ｂ）は、階層動画像復号装置１を搭載した受信装置ＰＲＯＤ＿Ｂの構成を示したブロック図である。図３３の（ｂ）に示すように、受信装置ＰＲＯＤ＿Ｂは、変調信号を受信する受信部ＰＲＯＤ＿Ｂ１と、受信部ＰＲＯＤ＿Ｂ１が受信した変調信号を復調することによって符号化データを得る復調部ＰＲＯＤ＿Ｂ２と、復調部ＰＲＯＤ＿Ｂ２が得た符号化データを復号することによって動画像を得る復号部ＰＲＯＤ＿Ｂ３とを備えている。上述した階層動画像復号装置１は、この復号部ＰＲＯＤ＿Ｂ３として利用される。
【０５１０】
受信装置ＰＲＯＤ＿Ｂは、復号部ＰＲＯＤ＿Ｂ３が出力する動画像の供給先として、動画像を表示するディスプレイＰＲＯＤ＿Ｂ４、動画像を記録するための記録媒体ＰＲＯＤ＿Ｂ５、及び、動画像を外部に出力するための出力端子ＰＲＯＤ＿Ｂ６を更に備えていてもよい。図３３の（ｂ）においては、これら全てを受信装置ＰＲＯＤ＿Ｂが備えた構成を例示しているが、一部を省略しても構わない。
【０５１１】
なお、記録媒体ＰＲＯＤ＿Ｂ５は、符号化されていない動画像を記録するためのものであってもよいし、伝送用の符号化方式とは異なる記録用の符号化方式で符号化されたものであってもよい。後者の場合、復号部ＰＲＯＤ＿Ｂ３と記録媒体ＰＲＯＤ＿Ｂ５との間に、復号部ＰＲＯＤ＿Ｂ３から取得した動画像を記録用の符号化方式に従って符号化する符号化部（不図示）を介在させるとよい。
【０５１２】
なお、変調信号を伝送する伝送媒体は、無線であってもよいし、有線であってもよい。また、変調信号を伝送する伝送態様は、放送（ここでは、送信先が予め特定されていない送信態様を指す）であってもよいし、通信（ここでは、送信先が予め特定されている送信態様を指す）であってもよい。すなわち、変調信号の伝送は、無線放送、有線放送、無線通信、及び有線通信の何れによって実現してもよい。
【０５１３】
例えば、地上デジタル放送の放送局（放送設備など）／受信局（テレビジョン受像機など）は、変調信号を無線放送で送受信する送信装置ＰＲＯＤ＿Ａ／受信装置ＰＲＯＤ＿Ｂの一例である。また、ケーブルテレビ放送の放送局（放送設備など）／受信局（テレビジョン受像機など）は、変調信号を有線放送で送受信する送信装置ＰＲＯＤ＿Ａ／受信装置ＰＲＯＤ＿Ｂの一例である。
【０５１４】
また、インターネットを用いたＶＯＤ（Video On Demand）サービスや動画共有サービスなどのサーバ（ワークステーションなど）／クライアント（テレビジョン受像機、パーソナルコンピュータ、スマートフォンなど）は、変調信号を通信で送受信する送信装置ＰＲＯＤ＿Ａ／受信装置ＰＲＯＤ＿Ｂの一例である（通常、ＬＡＮにおいては伝送媒体として無線又は有線の何れかが用いられ、ＷＡＮにおいては伝送媒体として有線が用いられる）。ここで、パーソナルコンピュータには、デスクトップ型ＰＣ、ラップトップ型ＰＣ、及びタブレット型ＰＣが含まれる。また、スマートフォンには、多機能携帯電話端末も含まれる。
【０５１５】
なお、動画共有サービスのクライアントは、サーバからダウンロードした符号化データを復号してディスプレイに表示する機能に加え、カメラで撮像した動画像を符号化してサーバにアップロードする機能を有している。すなわち、動画共有サービスのクライアントは、送信装置ＰＲＯＤ＿Ａ及び受信装置ＰＲＯＤ＿Ｂの双方として機能する。
【０５１６】
図３４に基づいて、上述した階層動画像符号化装置２および階層動画像復号装置１を、動画像の記録および再生に利用できることを説明する。図３４の（ａ）は、上述した階層動画像符号化装置２を搭載した記録装置ＰＲＯＤ＿Ｃの構成を示したブロック図である。
【０５１７】
図３４の（ａ）に示すように、記録装置ＰＲＯＤ＿Ｃは、動画像を符号化することによって符号化データを得る符号化部ＰＲＯＤ＿Ｃ１と、符号化部ＰＲＯＤ＿Ｃ１が得た符号化データを記録媒体ＰＲＯＤ＿Ｍに書き込む書込部ＰＲＯＤ＿Ｃ２と、を備えている。上述した階層動画像符号化装置２は、この符号化部ＰＲＯＤ＿Ｃ１として利用される。
【０５１８】
なお、記録媒体ＰＲＯＤ＿Ｍは、（１）ＨＤＤ（Hard Disk Drive）やＳＳＤ(Solid State Drive)等のように、記録装置ＰＲＯＤ＿Ｃに内蔵されるタイプのものであってもよいし、（２）ＳＤメモリカードやＵＳＢ（Universal Serial Bus）フラッシュメモリ等のように、記録装置ＰＲＯＤ＿Ｃに接続されるタイプのものであってもよいし、（３）ＤＶＤ（Digital Versatile Disc）やＢＤ（Blu-ray Disc:登録商標）等のように、記録装置ＰＲＯＤ＿Ｃに内蔵されたドライブ装置（不図示）に装填されるものであってもよい。
【０５１９】
また、記録装置ＰＲＯＤ＿Ｃは、符号化部ＰＲＯＤ＿Ｃ１に入力する動画像の供給源として、動画像を撮像するカメラＰＲＯＤ＿Ｃ３、動画像を外部から入力するための入力端子ＰＲＯＤ＿Ｃ４、動画像を受信するための受信部ＰＲＯＤ＿Ｃ５、及び、画像を生成または加工する画像処理部Ｃ６を更に備えていてもよい。図３４の（ａ）においては、これら全てを記録装置ＰＲＯＤ＿Ｃが備えた構成を例示しているが、一部を省略しても構わない。
【０５２０】
なお、受信部ＰＲＯＤ＿Ｃ５は、符号化されていない動画像を受信するものであってもよいし、記録用の符号化方式とは異なる伝送用の符号化方式で符号化された符号化データを受信するものであってもよい。後者の場合、受信部ＰＲＯＤ＿Ｃ５と符号化部ＰＲＯＤ＿Ｃ１との間に、伝送用の符号化方式で符号化された符号化データを復号する伝送用復号部（不図示）を介在させるとよい。
【０５２１】
このような記録装置ＰＲＯＤ＿Ｃとしては、例えば、ＤＶＤレコーダ、ＢＤレコーダ、ＨＤＤ（Hard Disk Drive）レコーダなどが挙げられる（この場合、入力端子ＰＲＯＤ＿Ｃ４又は受信部ＰＲＯＤ＿Ｃ５が動画像の主な供給源となる）。また、カムコーダ（この場合、カメラＰＲＯＤ＿Ｃ３が動画像の主な供給源となる）、パーソナルコンピュータ（この場合、受信部ＰＲＯＤ＿Ｃ５又は画像処理部Ｃ６が動画像の主な供給源となる）、スマートフォン（この場合、カメラＰＲＯＤ＿Ｃ３又は受信部ＰＲＯＤ＿Ｃ５が動画像の主な供給源となる）なども、このような記録装置ＰＲＯＤ＿Ｃの一例である。
【０５２２】
図３４の（ｂ）は、上述した階層動画像復号装置１を搭載した再生装置ＰＲＯＤ＿Ｄの構成を示したブロックである。図３４の（ｂ）に示すように、再生装置ＰＲＯＤ＿Ｄは、記録媒体ＰＲＯＤ＿Ｍに書き込まれた符号化データを読み出す読出部ＰＲＯＤ＿Ｄ１と、読出部ＰＲＯＤ＿Ｄ１が読み出した符号化データを復号することによって動画像を得る復号部ＰＲＯＤ＿Ｄ２と、を備えている。上述した階層動画像復号装置１は、この復号部ＰＲＯＤ＿Ｄ２として利用される。
【０５２３】
なお、記録媒体ＰＲＯＤ＿Ｍは、（１）ＨＤＤやＳＳＤなどのように、再生装置ＰＲＯＤ＿Ｄに内蔵されるタイプのものであってもよいし、（２）ＳＤメモリカードやＵＳＢフラッシュメモリなどのように、再生装置ＰＲＯＤ＿Ｄに接続されるタイプのものであってもよいし、（３）ＤＶＤやＢＤなどのように、再生装置ＰＲＯＤ＿Ｄに内蔵されたドライブ装置（不図示）に装填されるものであってもよい。
【０５２４】
また、再生装置ＰＲＯＤ＿Ｄは、復号部ＰＲＯＤ＿Ｄ２が出力する動画像の供給先として、動画像を表示するディスプレイＰＲＯＤ＿Ｄ３、動画像を外部に出力するための出力端子ＰＲＯＤ＿Ｄ４、及び、動画像を送信する送信部ＰＲＯＤ＿Ｄ５を更に備えていてもよい。図３４の（ｂ）においては、これら全てを再生装置ＰＲＯＤ＿Ｄが備えた構成を例示しているが、一部を省略しても構わない。
【０５２５】
なお、送信部ＰＲＯＤ＿Ｄ５は、符号化されていない動画像を送信するものであってもよいし、記録用の符号化方式とは異なる伝送用の符号化方式で符号化された符号化データを送信するものであってもよい。後者の場合、復号部ＰＲＯＤ＿Ｄ２と送信部ＰＲＯＤ＿Ｄ５との間に、動画像を伝送用の符号化方式で符号化する符号化部（不図示）を介在させるとよい。
【０５２６】
このような再生装置ＰＲＯＤ＿Ｄとしては、例えば、ＤＶＤプレイヤ、ＢＤプレイヤ、ＨＤＤプレイヤなどが挙げられる（この場合、テレビジョン受像機等が接続される出力端子ＰＲＯＤ＿Ｄ４が動画像の主な供給先となる）。また、テレビジョン受像機（この場合、ディスプレイＰＲＯＤ＿Ｄ３が動画像の主な供給先となる）、デジタルサイネージ（電子看板や電子掲示板等とも称され、ディスプレイＰＲＯＤ＿Ｄ３又は送信部ＰＲＯＤ＿Ｄ５が動画像の主な供給先となる）、デスクトップ型ＰＣ（この場合、出力端子ＰＲＯＤ＿Ｄ４又は送信部ＰＲＯＤ＿Ｄ５が動画像の主な供給先となる）、ラップトップ型又はタブレット型ＰＣ（この場合、ディスプレイＰＲＯＤ＿Ｄ３又は送信部ＰＲＯＤ＿Ｄ５が動画像の主な供給先となる）、スマートフォン（この場合、ディスプレイＰＲＯＤ＿Ｄ３又は送信部ＰＲＯＤ＿Ｄ５が動画像の主な供給先となる）なども、このような再生装置ＰＲＯＤ＿Ｄの一例である。
【０５２７】
（ハードウェア的実現およびソフトウェア的実現について）
最後に、階層動画像復号装置１、階層動画像符号化装置２の各ブロックは、集積回路（ＩＣチップ）上に形成された論理回路によってハードウェア的に実現してもよいし、ＣＰＵ（Central Processing Unit）を用いてソフトウェア的に実現してもよい。
【０５２８】
後者の場合、上記各装置は、各機能を実現する制御プログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである上記各装置の制御プログラムのプログラムコード（実行形式プログラム、中間コードプログラム、ソースプログラム）をコンピュータで読み取り可能に記録した記録媒体を、上記各装置に供給し、そのコンピュータ（またはＣＰＵやＭＰＵ（Micro Processing Unit））が記録媒体に記録されているプログラムコードを読み出し実行することによっても、達成可能である。
【０５２９】
上記記録媒体としては、例えば、磁気テープやカセットテープ等のテープ類、フロッピー（登録商標）ディスク／ハードディスク等の磁気ディスクやＣＤ−ＲＯＭ（Compact Disc Read-Only Memory）／ＭＯ（Magneto-Optical）／ＭＤ（Mini Disc）／ＤＶＤ（Digital Versatile Disk）／ＣＤ−Ｒ（CD Recordable）等の光ディスクを含むディスク類、ＩＣカード（メモリカードを含む）／光カード等のカード類、マスクＲＯＭ／ＥＰＲＯＭ（Erasable Programmable Read-only Memory）／ＥＥＰＲＯＭ（登録商標）（Electrically Erasable and Programmable Read-only Memory）／フラッシュＲＯＭ等の半導体メモリ類、あるいはＰＬＤ（Programmable Logic Device）やＦＰＧＡ（Field Programmable Gate Array）等の論理回路類などを用いることができる。
【０５３０】
また、上記各装置を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ（Local Area Network）、ＩＳＤＮ（Integrated Services Digital Network）、ＶＡＮ（Value-Added Network）、ＣＡＴＶ（Community Antenna Television）通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ（Institute of Electrical and Electronic Engineers）１３９４、ＵＳＢ、電力線搬送、ケーブルＴＶ回線、電話線、ＡＤＳＬ（Asymmetric Digital Subscriber Line）回線等の有線でも、ＩｒＤＡ（Infrared Data Association）やリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０５３１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０５３２】
本発明は、画像データが階層的に符号化された符号化データを復号する階層動画像復号装置、および、画像データが階層的に符号化された符号化データを生成する階層動画像符号化装置に好適に適用することができる。また、階層動画像符号化装置によって生成され、階層動画像復号装置によって参照される階層符号化データのデータ構造に好適に適用することができる。
【符号の説明】
【０５３３】
１…階層動画像復号装置（画像復号装置）
２…階層動画像符号化装置（画像符号化装置）
１０…ターゲットセットピクチャ復号部
１１…NAL逆多重化部（NALユニット復号手段、レイヤ識別子復号手段）
１２…Non-VCL復号部
１２１…パラメータセット復号手段（PTL情報復号手段、レイヤ間依存情報復号手段）
１２１１…レイヤセット情報復号手段
１２１２…最大サブレイヤ値復号手段
１２１３…出力レイヤセット情報復号手段
１２１４…出力レイヤ最大サブレイヤ導出手段
１２１５…DPB情報復号手段
１２２０…レイヤ間依存情報復号手段
１２２１…PTL情報復号手段
１２２２…スケーラブル識別子復号手段
１２２３…関連レイヤ導出手段
１２２４…レイヤ間位置対応情報復号手段
１２２５…ピクチャ情報復号手段
１３…パラメータメモリ
１４…ピクチャ復号部(VCL復号手段)
１４１…スライスヘッダ復号部
１４２…ＣＴＵ復号部
１４２１…予測残差復元部
１４２２…予測画像生成部
１４２３…ＣＴＵ復号画像生成部
１５…復号ピクチャ管理部
１６…出力制御部（出力レイヤセット選択手段、対象出力レイヤＩＤ導出手段、対象復号レイヤＩＤリスト導出手段）
１７…ビットストリーム抽出手段(符号化データ抽出手段)
２０…ターゲットセットピクチャ符号化部
２１…NAL多重化部(NALユニット符号化手段)
２２…Non-VCL符号化部
２２１…パラメータセット符号化手段（PTL情報復号手段、レイヤ間依存情報復号手段）
２２１１…レイヤセット情報符号化手段
２２１２…最大サブレイヤ値符号化手段
２２１３…出力レイヤセット情報符号化手段
２２１５…DPB情報符号化手段
２２２０…レイヤ間依存情報符号化手段
２２２１…PTL情報符号化手段
２２２２…スケーラブル識別子符号化手段
２２２３…関連レイヤ導出手段
２２２４…レイヤ間位置対応情報符号化手段
２２２５…ピクチャ情報符号化手段
２４…ピクチャ符号化部(VCL符号化手段)
２６…符号化パラメータ決定部
２４１…スライスヘッダ符号化部
２４２…ＣＴＵ符号化部
２４２１…予測残差符号化部
２４２２…予測画像符号化部
２４２３…ＣＴＵ復号画像生成部
【図１】
2015195543.tif 000003
【図２】
2015195543.tif 000004
【図３】
2015195543.tif 000005
【図４】
2015195543.tif 000006
【図５】
2015195543.tif 000007
【図６】
2015195543.tif 000008
【図７】
2015195543.tif 000009
【図８】
2015195543.tif 000010
【図９】
2015195543.tif 000011
【図１０】
2015195543.tif 000012
【図１１】
2015195543.tif 000013
【図１２】
2015195543.tif 000014
【図１３】
2015195543.tif 000015
【図１４】
2015195543.tif 000016
【図１５】
2015195543.tif 000017
【図１６】
2015195543.tif 000018
【図１７】
2015195543.tif 000019
【図１８】
2015195543.tif 000020
【図１９】
2015195543.tif 000021
【図２０】
2015195543.tif 000022
【図２１】
2015195543.tif 000023
【図２２】
2015195543.tif 000024
【図２３】
2015195543.tif 000025
【図２４】
2015195543.tif 000026
【図２５】
2015195543.tif 000027
【図２６】
2015195543.tif 000028
【図２７】
2015195543.tif 000029
【図２８】
2015195543.tif 000030
【図２９】
2015195543.tif 000031
【図３０】
2015195543.tif 000032
【図３１】
2015195543.tif 000033
【図３２】
2015195543.tif 000034
【図３３】
2015195543.tif 000035
【図３４】
2015195543.tif 000036
【図３５】
2015195543.tif 000037
【図３６】
2015195543.tif 000038
【図３７】
2015195543.tif 000039
【図３８】
2015195543.tif 000040